(57)【要約】  システム情報送信方法、システム情報更新方法、及びデバイスが提供され、ＤＲＸサイクルがＭＰより長い場合に、ＵＥがページングメッセージを受信しないことがあるという技術的問題を解決する。ネットワークデバイスは、第１のタイプのシステム情報が第１の周期に変更される対象ではないことを保証するために、第１のタイプのシステム情報（例えば、ページング構成情報を含んでよい）に対して、変更周期（すなわち、第１の周期）を別個に設定してよい。例えば、第１の周期は、ＤＲＸサイクルより長くてよい。このように、ＤＲＸサイクルに基づいて端末デバイスが起動する場合、端末デバイスが起動する時は、なお第１の周期にある。端末デバイスは、ページング構成情報が変更される対象であることを示すページングメッセージを標準的に受信してよく、これにより、新たなページング構成情報を適時的に取得し、後続のページングメッセージの取得失敗を回避する。
2019501596.tif 000002
【特許請求の範囲】
【請求項１】
システム情報送信方法であって、
ネットワークデバイスによって第１の周期に基づいて、第１のタイプのシステム情報を端末デバイスに送信する段階であって、前記ネットワークデバイスによって送信される前記第１のタイプのシステム情報の内容は、１つの第１の周期において変更されないままであり、前記第１の周期は、前記端末デバイスに対して構成可能な最大不連続受信ＤＲＸサイクルである、又は、前記第１の周期は、前記ネットワークデバイスによって前記第１のタイプのシステム情報に対して設定される変更周期である、段階
を備える方法。
【請求項２】
前記方法は、
前記ネットワークデバイスによって、ｉ番目の第１の周期にページングメッセージを前記端末デバイスに送信する段階であって、前記端末デバイスのＤＲＸサイクルは、前記第１の周期より短い又はこれと等しく、前記ページングメッセージは、第１の変更指示を保持し、前記第１の変更指示は、次の第１の周期に送信される第１のタイプのシステム情報が変更される対象であるか否かを示すために用いられる、又は、前記第１の変更指示は、次の変更周期ＭＰに送信されるいずれかのシステム情報が変更される対象であるか否かを示すために用いられ、ｉは、正の整数である、段階
をさらに備える、
請求項１に記載の方法。
【請求項３】
前記ページングメッセージは、第２の変更指示をさらに保持し、前記第２の変更指示は、前記次のＭＰ又は前記次の第１の周期に送信される第２のタイプのシステム情報が変更される対象であるか否かを示すために用いられ、前記第２のタイプのシステム情報は、前記第１のタイプのシステム情報以外のシステム情報を含む、
請求項２に記載の方法。
【請求項４】
前記方法は、
前記ネットワークデバイスによって、ｉ番目の第１の周期にページングメッセージを前記端末デバイスに送信する段階であって、前記端末デバイスのＤＲＸサイクルは、前記ＭＰより短い又はこれと等しく、前記第１の周期より短い又はこれと等しく、前記ページングメッセージは、第１の変更指示を保持し、前記第１の変更指示は、次の第１の周期に送信される第１のタイプのシステム情報が変更される対象であるか否かを示すために用いられる、又は、前記第１の変更指示は、次の変更周期ＭＰに送信されるいずれかのシステム情報が変更される対象であるか否かを示すために用いられ、ｉは、正の整数である、段階
をさらに備える、
請求項２に記載の方法。
【請求項５】
前記方法は、
前記ネットワークデバイスによって、ｉ番目の第１の周期にページングメッセージを前記端末デバイスに送信する段階であって、前記端末デバイスのＤＲＸサイクルは、前記ＭＰより長く、前記第１の周期より短い又はこれと等しく、前記ページングメッセージは、第１の変更指示を保持し、前記第１の変更指示は、次の第１の周期に送信される第１のタイプのシステム情報が変更される対象であるか否かを示すために用いられ、ｉは、正の整数である、段階
をさらに備える、
請求項２に記載の方法。
【請求項６】
前記ページングメッセージは、第２の変更指示をさらに保持し、前記第２の変更指示は、次のＭＰ又は前記次の第１の周期に送信される第２のタイプのシステム情報が変更される対象であるか否かを示すために用いられ、前記第２のタイプのシステム情報は、前記第１のタイプのシステム情報以外のシステム情報を含む、
請求項５に記載の方法。
【請求項７】
前記方法は、
前記ネットワークデバイスによって、ｉ番目の第１の周期に第１のシステムメッセージを送信する段階であって、前記第１のシステムメッセージは、第１の変更指示を保持する、段階
をさらに備え、
前記第１の変更指示は、前記ネットワークデバイスによって現在送信されている前記第１のシステムメッセージ以外のシステム情報が、前記端末デバイスに格納された前記第１のシステムメッセージ以外のシステム情報に対して変更されたか否かを示すために用いられる、又は、前記第１の変更指示は、前記ネットワークデバイスによって現在送信されている前記第１のシステムメッセージ以外の第２のタイプのシステム情報が、前記端末デバイスに格納された前記第１のシステムメッセージ以外の第２のタイプのシステム情報に対して変更されたか否かを示すために用いられ、
前記第２のタイプのシステム情報は、前記第１のタイプのシステム情報以外のシステム情報を含み、ｉは、正の整数である、
請求項１に記載の方法。
【請求項８】
前記第１のシステムメッセージは、第２の変更指示をさらに保持し、前記第２の変更指示は、前記ネットワークデバイスによって現在送信されている前記第１のタイプのシステム情報が、前記ネットワークデバイスによって前の第１の周期に送信された第１のタイプのシステム情報に対して変更されたか否かを示すために用いられる、
請求項７に記載の方法。
【請求項９】
前記第１のタイプのシステム情報は、ページング構成情報を含む、
請求項１から８のいずれか１項に記載の方法。
【請求項１０】
前記ページング構成情報は、ページング制御チャネルＰＣＣＨ構成情報、前記ページングメッセージが位置する時間周波数リソースについての情報、前記ページングメッセージが前記端末デバイスに反復送信される回数、ページングウィンドウのウィンドウ長、前記ページングウィンドウにおける短ＤＲＸサイクル、及び前記第１のタイプのシステム情報に対して再設定された変更周期の少なくとも１つを含む、
請求項９に記載の方法。
【請求項１１】
システム情報更新方法であって、
端末デバイスによってｉ番目の第１の周期に、ネットワークデバイスによって送信された第１のメッセージを受信する段階であって、前記第１のメッセージは、第１の変更指示を保持し、前記第１の周期は、前記ネットワークデバイスによって第１のタイプのシステム情報に対して設定される変更周期であり、ｉは、正の整数である、段階と、
前記端末デバイスによって前記第１の変更指示に基づいて、前記第１のタイプのシステム情報を更新するか否かを決定する段階と、
を備え、
前記第１の変更指示は、前記第１のタイプのシステム情報の変更ステータス又はいずれかのシステム情報の変更ステータスを示すために用いられる、
方法。
【請求項１２】
前記方法は、
前記端末デバイスによって、前記端末デバイスに対して構成されるＤＲＸサイクルが第２のタイプのシステム情報のＭＰより長く、前記ＤＲＸサイクルが前記第１の周期より長いと決定する段階、又は、
前記端末デバイスによって、前記端末デバイスに対して構成されるＤＲＸサイクルが前記第１の周期より短い又はこれと等しいと決定する段階
をさらに備える、
請求項１１に記載の方法。
【請求項１３】
前記ＤＲＸサイクルが前記第１の周期より短い又はこれと等しい場合に、
端末デバイスによってｉ番目の第１の周期に、ネットワークデバイスによって送信された第１のメッセージを受信する前記段階は、
前記端末デバイスによって前記ｉ番目の第１の周期に、前記第１の変更指示を保持する、前記ネットワークデバイスによって送信されたページングメッセージを受信する段階
を含み、
前記端末デバイスによって前記第１の変更指示に基づいて、前記第１のタイプのシステム情報を更新するか否かを決定する前記段階は、
前記第１の変更指示が、次の第１の周期に送信される第１のタイプのシステム情報が変更される対象であることを示すために用いられる場合に、前記端末デバイスによって、（ｉ＋１）番目の第１の周期に前記第１のタイプのシステム情報を更新する段階、又は、
前記第１の変更指示が、次のＭＰに送信されるいずれかのシステム情報が変更される対象であることを示すために用いられる場合に、前記端末デバイスによって、前記次のＭＰ又は（ｉ＋１）番目の第１の周期に前記第１のタイプのシステム情報を更新する段階
を含む、
請求項１２に記載の方法。
【請求項１４】
前記ＤＲＸサイクルが前記第１の周期より短い又はこれと等しく、前記ＭＰより短い又はこれと等しい場合に、
端末デバイスによってｉ番目の第１の周期に、ネットワークデバイスによって送信された第１のメッセージを受信する前記段階は、
前記端末デバイスによって前記ｉ番目の第１の周期に、前記第１の変更指示を保持する、前記ネットワークデバイスによって送信されたページングメッセージを受信する段階
を含み、
前記端末デバイスによって前記第１の変更指示に基づいて、前記第１のタイプのシステム情報を更新するか否かを決定する前記段階は、
前記第１の変更指示が、次の第１の周期に送信される第１のタイプのシステム情報が変更される対象であることを示すために用いられる場合に、前記端末デバイスによって、（ｉ＋１）番目の第１の周期に前記第１のタイプのシステム情報を更新する段階、又は、
前記第１の変更指示が、次のＭＰに送信されるいずれかのシステム情報が変更される対象であることを示すために用いられる場合に、前記端末デバイスによって、前記次のＭＰ又は（ｉ＋１）番目の第１の周期に前記第１のタイプのシステム情報を更新する段階
を含む、
請求項１３に記載の方法。
【請求項１５】
前記ＤＲＸサイクルが前記第１の周期より短い又はこれと等しく、前記ＭＰより長い場合に、
端末デバイスによってｉ番目の第１の周期に、ネットワークデバイスによって送信された第１のメッセージを受信する前記段階は、
前記端末デバイスによって前記ｉ番目の第１の周期に、前記第１の変更指示を保持する、前記ネットワークデバイスによって送信されたページングメッセージを受信する段階
を含み、
前記端末デバイスによって前記第１の変更指示に基づいて、前記第１のタイプのシステム情報を更新するか否かを決定する前記段階は、
前記第１の変更指示が、次の第１の周期に送信される第１のタイプのシステム情報が変更される対象であることを示すために用いられる場合に、前記端末デバイスによって、（ｉ＋１）番目の第１の周期に前記第１のタイプのシステム情報を更新する段階、又は、
前記第１の変更指示が、次のＭＰに送信されるいずれかのシステム情報が変更される対象であることを示すために用いられる場合に、前記端末デバイスによって、前記次のＭＰ又は（ｉ＋１）番目の第１の周期に前記第１のタイプのシステム情報を更新する段階
を含む、
請求項１３に記載の方法。
【請求項１６】
前記端末デバイスによって、（ｉ＋１）番目の第１の周期に前記第１のタイプのシステム情報を更新する前記段階は、
前記端末デバイスによって、前記（ｉ＋１）番目の第１の周期の開始時におけるスーパーフレームのフレーム番号を決定し、前記端末デバイスによって、前記決定されたフレーム番号に基づいて、前記スーパーフレームにおける前記第１のタイプのシステム情報を更新する段階、又は、
前記端末デバイスによって、前記（ｉ＋１）番目の第１の周期の開始時における無線フレームのフレーム番号を決定し、前記端末デバイスによって、前記決定されたフレーム番号に基づいて、前記無線フレームにおける前記第１のタイプのシステム情報を更新する段階
を含む、
請求項１３から１５のいずれか１項に記載の方法。
【請求項１７】
前記端末デバイスによって前記ｉ番目の第１の周期に、前記第１の変更指示を保持する、前記ネットワークデバイスによって送信されたページングメッセージを受信する前記段階の後で、
前記第１の変更指示が、前記次の第１の周期に送信される前記第１のタイプのシステム情報が変更される対象であることを示すために用いられる場合、又は、前記第１の変更指示が、前記次のＭＰに送信されるいずれかのシステム情報が変更される対象であることを示すために用いられる場合に、前記端末デバイスによって、前記（ｉ＋１）番目の第１の周期に前記第２のタイプのシステム情報を更新する段階であって、前記第２のタイプのシステム情報は、前記第１のタイプのシステム情報以外のシステム情報を含む、段階、又は、
前記第１の変更指示が、前記次の第１の周期に送信される前記第１のタイプのシステム情報が変更される対象であることを示すために用いられる場合、又は、前記第１の変更指示が、前記次のＭＰに送信されるいずれかのシステム情報が変更される対象であることを示すために用いられる場合に、前記端末デバイスによって、前記次のＭＰに前記第２のタイプのシステム情報を更新する段階であって、前記第２のタイプのシステム情報は、前記第１のタイプのシステム情報以外のシステム情報を含む、段階
をさらに備える、
請求項１３から１６のいずれか１項に記載の方法。
【請求項１８】
前記端末デバイスによって、第２のタイプのシステム情報を更新する前記段階の前に、
前記端末デバイスによって、前記ページングメッセージが第２の変更指示をさらに保持すると決定する段階であって、前記第２の変更指示は、前記次のＭＰ又は前記次の第１の周期に送信される前記第２のタイプのシステム情報が変更される対象であることを示すために用いられる、段階
をさらに備える、
請求項１７に記載の方法。
【請求項１９】
前記ＤＲＸサイクルが前記第１の周期より長い場合に、
端末デバイスによってｉ番目の第１の周期に、ネットワークデバイスによって送信された第１のメッセージを受信する前記段階の前に、前記方法は、
前記端末デバイスによって、前記ｉ番目の第１の周期の開始時におけるスーパーフレームのフレーム番号を決定する段階
をさらに備え、
端末デバイスによってｉ番目の第１の周期に、ネットワークデバイスによって送信された第１のメッセージを受信する前記段階は、
前記端末デバイスによって、前記フレーム番号に基づいて、前記ネットワークデバイスによって前記スーパーフレームにおいて送信される第１のシステムメッセージの位置を決定し、前記位置において、前記第１の変更指示を保持する前記第１のシステムメッセージを読み出す段階
を含む、
請求項１２に記載の方法。
【請求項２０】
前記ＤＲＸサイクルが前記第１の周期より長い場合に、
端末デバイスによってｉ番目の第１の周期に、ネットワークデバイスによって送信された第１のメッセージを受信する前記段階の前に、前記方法は、
前記端末デバイスによって、前記ｉ番目の第１の周期の開始時における無線フレームのフレーム番号を決定する段階
をさらに備え、
端末デバイスによってｉ番目の第１の周期に、ネットワークデバイスによって送信された第１のメッセージを受信する前記段階は、
前記端末デバイスによって、前記フレーム番号に基づいて、前記ネットワークデバイスによって前記無線フレームにおいて送信される第１のシステムメッセージの位置を決定し、前記位置において、前記第１の変更指示を保持する前記第１のシステムメッセージを読み出す段階
を含む、
請求項１２に記載の方法。
【請求項２１】
前記方法は、
前記第１の変更指示が、前記ネットワークデバイスによって現在送信されている前記第１のシステムメッセージ以外のシステム情報が前記端末デバイスに格納された前記第１のシステムメッセージ以外のシステム情報に対して変更されたことを示すために用いられる場合、又は、前記第１の変更指示が、前記ネットワークデバイスによって現在送信されている前記第１のシステムメッセージ以外の第２のタイプのシステム情報が前記端末デバイスに格納された前記第１のシステムメッセージ以外の第２のタイプのシステム情報に対して変更されたことを示すために用いられる場合に、前記端末デバイスによって、前記第１のタイプのシステム情報が変更されたか否かを検出する段階であって、前記システム情報は、前記第１のタイプのシステム情報及び前記第２のタイプのシステム情報を含み、前記第２のタイプのシステム情報は、前記第１のタイプのシステム情報以外のシステム情報を含む、段階と、
前記第１のタイプのシステム情報が変更された場合に、前記端末デバイスによって、前記第１のタイプのシステム情報を更新する段階と、
をさらに備える、
請求項１９又は２０に記載の方法。
【請求項２２】
前記方法は、
前記第１の変更指示が、前記ネットワークデバイスによって現在送信されている前記第１のシステムメッセージ以外のシステム情報が前記端末デバイスに格納された前記第１のシステムメッセージ以外のシステム情報に対して変更されたことを示すために用いられる場合、又は、前記第１の変更指示が、前記ネットワークデバイスによって現在送信されている前記第１のシステムメッセージ以外の第２のタイプのシステム情報が前記端末デバイスに格納された前記第１のシステムメッセージ以外の第２のタイプのシステム情報に対して変更されたことを示すために用いられる場合に、前記端末デバイスによって、前記第１のシステムメッセージ以外の第２のタイプのシステム情報が変更されたか否かを検出する段階と、
前記第１のシステムメッセージ以外の前記第２のタイプのシステム情報が変更された場合に、前記端末デバイスによって、前記第１のシステムメッセージ以外の前記第２のタイプのシステム情報を更新する段階と、
をさらに備える、
請求項２１に記載の方法。
【請求項２３】
前記方法は、
前記端末デバイスによって、前記第１のシステムメッセージが第２の変更指示をさらに保持すると決定する段階と、
前記第２の変更指示が、前記ネットワークデバイスによって現在送信されている第１のタイプのシステム情報が前記ネットワークデバイスによって前の第１の周期に送信された第１のタイプのシステム情報に対して変更されたことを示すために用いられる場合に、前記端末デバイスによって、前記第１のタイプのシステム情報が変更されたか否かを検出する段階と、
前記第１のタイプのシステム情報が変更された場合に、前記端末デバイスによって、前記第１のタイプのシステム情報を更新する段階と、
をさらに備える、
請求項１９又は２０に記載の方法。
【請求項２４】
前記方法は、
前記第１の変更指示が、前記ネットワークデバイスによって現在送信されている前記第１のシステムメッセージ以外のシステム情報が前記端末デバイスに格納された前記第１のシステムメッセージ以外のシステム情報に対して変更されたことを示すために用いられる場合、又は、前記第１の変更指示が、前記ネットワークデバイスによって現在送信されている前記第１のシステムメッセージ以外の第２のタイプのシステム情報が前記端末デバイスに格納された前記第１のシステムメッセージ以外の第２のタイプのシステム情報に対して変更されたことを示すために用いられる場合に、前記端末デバイスによって、第１のシステムメッセージ以外の第２のタイプのシステム情報が変更されたか否かを検出する段階と、
前記第１のシステムメッセージ以外の前記第２のタイプのシステム情報が変更された場合に、前記端末デバイスによって、前記第１のシステムメッセージ以外の前記第２のタイプのシステム情報を更新する段階と、
をさらに備える、
請求項２３に記載の方法。
【請求項２５】
前記方法は、
前記ネットワークデバイスとの無線リソース制御ＲＲＣ接続を確立する前に、前記端末デバイスによって、前記ネットワークデバイスによって送信された前記第１のシステムメッセージを読み出す段階と、
前記第１のシステムメッセージに保持された前記第１の変更指示が、前記ネットワークデバイスによって現在送信されている前記第１のシステムメッセージ以外のシステム情報が前記端末デバイスに格納された前記第１のシステムメッセージ以外の前記システム情報に対して変更されたことを示すために用いられる場合に、前記端末デバイスによって、前記第１のシステムメッセージ以外の前記システム情報を更新する段階であって、前記システム情報は、前記第１のタイプのシステム情報及び前記第２のタイプのシステム情報を含み、前記第２のタイプのシステム情報は、前記第１のタイプのシステム情報以外のシステム情報を含む、段階と、
をさらに備える、
請求項１１から２４のいずれか１項に記載の方法。
【請求項２６】
前記方法は、
前記端末デバイスによって、前記更新されたシステム情報に基づいて、前記ネットワークデバイスとの前記ＲＲＣ接続を確立する段階
をさらに備える、
請求項２５に記載の方法。
【請求項２７】
前記方法は、
前記ネットワークデバイスとのＲＲＣ接続を確立する前に、前記端末デバイスによって、前記ネットワークデバイスによって送信された前記第１のシステムメッセージを読み出す段階と、
前記第１のシステムメッセージに保持された前記第１の変更指示が、前記ネットワークデバイスによって現在送信されている前記第１のシステムメッセージ以外の前記第２のタイプのシステム情報が前記端末デバイスに格納された前記第１のシステムメッセージ以外の前記第２のタイプのシステム情報に対して変更されたことを示すために用いられる場合に、前記端末デバイスによって、前記第１のシステムメッセージ以外の前記第２のタイプのシステム情報を更新する段階であって、前記システム情報は、前記第１のタイプのシステム情報及び前記第２のタイプのシステム情報を含み、前記第２のタイプのシステム情報は、前記第１のタイプのシステム情報以外のシステム情報を含む、段階と、
をさらに備える、
請求項１１から２４のいずれか１項に記載の方法。
【請求項２８】
前記方法は、
前記端末デバイスによって、前記第１のシステムメッセージが前記第２の変更指示をさらに保持すると決定する段階と、
前記第２の変更指示が、前記ネットワークデバイスによって現在送信されている前記第１のタイプのシステム情報が前記ネットワークデバイスによって前記前の第１の周期に送信された前記第１のタイプのシステム情報に対して変更されたことを示すために用いられる場合に、前記端末デバイスによって、前記第１のタイプのシステム情報を更新する段階と、
をさらに備える、
請求項２７に記載の方法。
【請求項２９】
前記方法は、
前記端末デバイスによって、前記更新されたシステム情報に基づいて、前記ネットワークデバイスとの前記ＲＲＣ接続を確立する段階
をさらに備える、
請求項２８に記載の方法。
【請求項３０】
システム情報送信方法であって、
ネットワークデバイスによって、変更周期ＭＰに基づいて、第１のタイプのシステム情報を端末デバイスに送信する段階であって、前記ネットワークデバイスによって送信される前記第１のタイプのシステム情報の内容は、予め定められた期間変更されないままである、段階
を備える方法。
【請求項３１】
ネットワークデバイスであって、
第１の周期に基づいて、第１のタイプのシステム情報を端末デバイスに送信するように構成される送信ユニットであって、前記ネットワークデバイスによって送信される前記第１のタイプのシステム情報の内容は、１つの第１の周期において変更されないままであり、前記第１の周期は、前記端末デバイスに対して構成可能な最大不連続受信ＤＲＸサイクルである、又は、前記第１の周期は、前記ネットワークデバイスによって前記第１のタイプのシステム情報に対して設定される変更周期である、送信ユニット
を備えるネットワークデバイス。
【請求項３２】
前記送信ユニットは、さらに、
ｉ番目の第１の周期にページングメッセージを前記端末デバイスに送信することであって、前記端末デバイスのＤＲＸサイクルは、前記第１の周期より短い又はこれと等しく、前記ページングメッセージは、第１の変更指示を保持し、前記第１の変更指示は、次の第１の周期に送信される第１のタイプのシステム情報が変更される対象であるか否かを示すために用いられる、又は、前記第１の変更指示は、次の変更周期ＭＰに送信されるいずれかのシステム情報が変更される対象であるか否かを示すために用いられ、ｉは、正の整数である、送信すること
を実行するように構成される、
請求項３１に記載のネットワークデバイス。
【請求項３３】
前記ページングメッセージは、第２の変更指示をさらに保持し、前記第２の変更指示は、前記次のＭＰ又は前記次の第１の周期に送信される第２のタイプのシステム情報が変更される対象であるか否かを示すために用いられ、前記第２のタイプのシステム情報は、前記第１のタイプのシステム情報以外のシステム情報を含む、
請求項３２に記載のネットワークデバイス。
【請求項３４】
前記送信ユニットは、さらに、
ｉ番目の第１の周期にページングメッセージを前記端末デバイスに送信することであって、前記端末デバイスのＤＲＸサイクルは、前記ＭＰより短い又はこれと等しく、前記第１の周期より短い又はこれと等しく、前記ページングメッセージは、第１の変更指示を保持し、前記第１の変更指示は、次の第１の周期に送信される第１のタイプのシステム情報が変更される対象であるか否かを示すために用いられる、又は、前記第１の変更指示は、次の変更周期ＭＰに送信されるいずれかのシステム情報が変更される対象であるか否かを示すために用いられ、ｉは、正の整数である、送信すること
を実行するように構成される、
請求項３２に記載のネットワークデバイス。
【請求項３５】
前記送信ユニットは、さらに、
ｉ番目の第１の周期にページングメッセージを前記端末デバイスに送信することであって、前記端末デバイスのＤＲＸサイクルは、前記ＭＰより長く、前記第１の周期より短い又はこれと等しく、前記ページングメッセージは、第１の変更指示を保持し、前記第１の変更指示は、次の第１の周期に送信される第１のタイプのシステム情報が変更される対象であるか否かを示すために用いられ、ｉは、正の整数である、送信すること
を実行するように構成される、
請求項３２に記載のネットワークデバイス。
【請求項３６】
前記ページングメッセージは、第２の変更指示をさらに保持し、前記第２の変更指示は、次のＭＰ又は前記次の第１の周期に送信される第２のタイプのシステム情報が変更される対象であるか否かを示すために用いられ、前記第２のタイプのシステム情報は、前記第１のタイプのシステム情報以外のシステム情報を含む、
請求項３５に記載のネットワークデバイス。
【請求項３７】
前記送信ユニットは、さらに、
ｉ番目の第１の周期に第１のシステムメッセージを送信することであって、前記第１のシステムメッセージは、第１の変更指示を保持する、送信すること
を実行するように構成され、
前記第１の変更指示は、前記ネットワークデバイスによって現在送信されている前記第１のシステムメッセージ以外のシステム情報が、前記端末デバイスに格納された前記第１のシステムメッセージ以外のシステム情報に対して変更されたか否かを示すために用いられる、又は、前記第１の変更指示は、前記ネットワークデバイスによって現在送信されている前記第１のシステムメッセージ以外の第２のタイプのシステム情報が、前記端末デバイスに格納された前記第１のシステムメッセージ以外の第２のタイプのシステム情報に対して変更されたか否かを示すために用いられ、
前記第２のタイプのシステム情報は、前記第１のタイプのシステム情報以外のシステム情報を含み、ｉは、正の整数である、
請求項３１に記載のネットワークデバイス。
【請求項３８】
前記第１のシステムメッセージは、第２の変更指示をさらに保持し、前記第２の変更指示は、前記ネットワークデバイスによって現在送信されている前記第１のタイプのシステム情報が、前記ネットワークデバイスによって前の第１の周期に送信された第１のタイプのシステム情報に対して変更されたか否かを示すために用いられる、
請求項３７に記載のネットワークデバイス。
【請求項３９】
前記第１のタイプのシステム情報は、ページング構成情報を含む、請求項３１から３８のいずれか１項に記載のネットワークデバイス。
【請求項４０】
前記ページング構成情報は、ページング制御チャネルＰＣＣＨ構成情報、前記ページングメッセージが位置する時間周波数リソースについての情報、前記ページングメッセージが前記端末デバイスに反復送信される回数、ページングウィンドウのウィンドウ長、前記ページングウィンドウにおける短ＤＲＸサイクル、及び前記第１のタイプのシステム情報に対して再設定された変更周期の少なくとも１つを含む、
請求項３９に記載のネットワークデバイス。
【請求項４１】
ｉ番目の第１の周期に、ネットワークデバイスによって送信された第１のメッセージを受信するように構成される受信ユニットであって、前記第１のメッセージは、第１の変更指示を保持し、前記第１の周期は、前記ネットワークデバイスによって第１のタイプのシステム情報に対して設定される変更周期であり、ｉは、正の整数である、受信ユニットと、
前記第１の変更指示に基づいて、前記第１のタイプのシステム情報を更新するか否かを決定するように構成される処理ユニットと、
を備え、
前記第１の変更指示は、前記第１のタイプのシステム情報の変更ステータス又はいずれかのシステム情報の変更ステータスを示すために用いられる、
端末デバイス。
【請求項４２】
前記処理ユニットは、さらに、
前記端末デバイスに対して構成されるＤＲＸサイクルが第２のタイプのシステム情報のＭＰより長く、前記ＤＲＸサイクルが前記第１の周期より長いと決定する、又は、
前記端末デバイスに対して構成されるＤＲＸサイクルが前記第１の周期より短い又はこれと等しいと決定する
ように構成される、
請求項４１に記載の端末デバイス。
【請求項４３】
前記ＤＲＸサイクルが前記第１の周期より短い又はこれと等しい場合に、
前記受信ユニットは、
前記ｉ番目の第１の周期に、前記第１の変更指示を保持する、前記ネットワークデバイスによって送信されたページングメッセージを受信する
ように構成され、
前記処理ユニットは、
前記第１の変更指示が、次の第１の周期に送信される第１のタイプのシステム情報が変更される対象であることを示すために用いられる場合に、（ｉ＋１）番目の第１の周期に前記第１のタイプのシステム情報を更新する、又は、
前記第１の変更指示が、次のＭＰに送信されるいずれかのシステム情報が変更される対象であることを示すために用いられる場合に、前記次のＭＰ又は（ｉ＋１）番目の第１の周期に前記第１のタイプのシステム情報を更新する
ように構成される、
請求項４２に記載の端末デバイス。
【請求項４４】
前記ＤＲＸサイクルが前記第１の周期より短い又はこれと等しく、前記ＭＰより短い又はこれと等しい場合に、
前記受信ユニットは、
前記ｉ番目の第１の周期に、前記第１の変更指示を保持する、前記ネットワークデバイスによって送信されたページングメッセージを受信する
ように構成され、
前記処理ユニットは、
前記第１の変更指示が、次の第１の周期に送信される第１のタイプのシステム情報が変更される対象であることを示すために用いられる場合に、（ｉ＋１）番目の第１の周期に前記第１のタイプのシステム情報を更新する、又は、
前記第１の変更指示が、次のＭＰに送信されるいずれかのシステム情報が変更される対象であることを示すために用いられる場合に、前記次のＭＰ又は（ｉ＋１）番目の第１の周期に前記第１のタイプのシステム情報を更新する
ように構成される、
請求項４３に記載の端末デバイス。
【請求項４５】
前記ＤＲＸサイクルが前記第１の周期より短い又はこれと等しく、前記ＭＰより長い場合に、
前記受信ユニットは、
前記ｉ番目の第１の周期に、前記第１の変更指示を保持する、前記ネットワークデバイスによって送信されたページングメッセージを受信する
ように構成され、
前記処理ユニットは、
前記第１の変更指示が、次の第１の周期に送信される第１のタイプのシステム情報が変更される対象であることを示すために用いられる場合に、（ｉ＋１）番目の第１の周期に前記第１のタイプのシステム情報を更新する、又は、
前記第１の変更指示が、次のＭＰに送信されるいずれかのシステム情報が変更される対象であることを示すために用いられる場合に、前記次のＭＰ又は（ｉ＋１）番目の第１の周期に前記第１のタイプのシステム情報を更新する
ように構成される、
請求項４３に記載の端末デバイス。
【請求項４６】
前記処理ユニットは、
前記（ｉ＋１）番目の第１の周期の開始時におけるスーパーフレームのフレーム番号を決定し、前記決定されたフレーム番号に基づいて、前記スーパーフレームにおける前記第１のタイプのシステム情報を更新する、又は、
前記（ｉ＋１）番目の第１の周期の開始時における無線フレームのフレーム番号を決定し、前記決定されたフレーム番号に基づいて、前記無線フレームにおける前記第１のタイプのシステム情報を更新する
ように構成される、
請求項４３から４５のいずれか１項に記載の端末デバイス。
【請求項４７】
前記処理ユニットは、さらに、
前記受信ユニットが、前記ｉ番目の第１の周期に、前記第１の変更指示を保持する、前記ネットワークデバイスによって送信された前記ページングメッセージを受信した後で、前記第１の変更指示が、前記次の第１の周期に送信される前記第１のタイプのシステム情報が変更される対象であることを示すために用いられる場合、又は、前記第１の変更指示が、前記次のＭＰに送信されるいずれかのシステム情報が変更される対象であることを示すために用いられる場合に、前記（ｉ＋１）番目の第１の周期に前記第２のタイプのシステム情報を更新することであって、前記第２のタイプのシステム情報は、前記第１のタイプのシステム情報以外のシステム情報を含む、更新すること、又は、
前記受信ユニットが、前記ｉ番目の第１の周期に、前記第１の変更指示を保持する、前記ネットワークデバイスによって送信された前記ページングメッセージを受信した後で、前記第１の変更指示が、前記次の第１の周期に送信される前記第１のタイプのシステム情報が変更される対象であることを示すために用いられる場合、又は、前記第１の変更指示が、前記次のＭＰに送信されるいずれかのシステム情報が変更される対象であることを示すために用いられる場合に、前記次のＭＰに前記第２のタイプのシステム情報を更新することであって、前記第２のタイプのシステム情報は、前記第１のタイプのシステム情報以外のシステム情報を含む、更新すること
を実行するように構成される、
請求項４３から４６のいずれか１項に記載の端末デバイス。
【請求項４８】
前記処理ユニットは、さらに、
前記第２のタイプのシステム情報を更新する前に、前記ページングメッセージが第２の変更指示をさらに保持すると決定することであって、前記第２の変更指示は、前記次のＭＰ又は前記次の第１の周期に送信される前記第２のタイプのシステム情報が変更される対象であることを示すために用いられる、決定すること
を実行するように構成される、
請求項４７に記載の端末デバイス。
【請求項４９】
前記ＤＲＸサイクルが前記第１の周期より長い場合に、
前記処理ユニットは、さらに、前記受信ユニットが、前記ｉ番目の第１の周期に、前記ネットワークデバイスによって送信された前記第１のメッセージを受信する前に、前記ｉ番目の第１の周期の開始時におけるスーパーフレームのフレーム番号を決定し、前記フレーム番号に基づいて、前記ネットワークデバイスによって前記スーパーフレームにおいて送信される第１のシステムメッセージの位置を決定する
ように構成され、
前記受信ユニットは、前記位置において、前記第１の変更指示を保持する前記第１のシステムメッセージを読み出すように構成される、
請求項４２に記載の端末デバイス。
【請求項５０】
前記ＤＲＸサイクルが前記第１の周期より長い場合に、
前記処理ユニットは、さらに、前記受信ユニットが、前記ｉ番目の第１の周期に、前記ネットワークデバイスによって送信された前記第１のメッセージを受信する前に、前記ｉ番目の第１の周期の開始時における無線フレームのフレーム番号を決定し、前記フレーム番号に基づいて、前記ネットワークデバイスによって前記無線フレームにおいて送信される第１のシステムメッセージの位置を決定する
ように構成され、
前記受信ユニットは、前記位置において、前記第１の変更指示を保持する前記第１のシステムメッセージを読み出すように構成される、
請求項４２に記載の端末デバイス。
【請求項５１】
前記処理ユニットは、さらに、
前記第１の変更指示が、前記ネットワークデバイスによって現在送信されている前記第１のシステムメッセージ以外のシステム情報が前記端末デバイスに格納された前記第１のシステムメッセージ以外のシステム情報に対して変更されたことを示すために用いられる場合、又は、前記第１の変更指示が、前記ネットワークデバイスによって現在送信されている前記第１のシステムメッセージ以外の第２のタイプのシステム情報が前記端末デバイスに格納された前記第１のシステムメッセージ以外の第２のタイプのシステム情報に対して変更されたことを示すために用いられる場合に、前記第１のタイプのシステム情報が変更されたか否かを検出することであって、前記システム情報は、前記第１のタイプのシステム情報及び前記第２のタイプのシステム情報を含み、前記第２のタイプのシステム情報は、前記第１のタイプのシステム情報以外のシステム情報を含む、検出することと、
前記第１のタイプのシステム情報が変更された場合に、前記第１のタイプのシステム情報を更新することと、
を実行するように構成される、
請求項４９又は５０に記載の端末デバイス。
【請求項５２】
前記処理ユニットは、さらに、
前記第１の変更指示が、前記ネットワークデバイスによって現在送信されている前記第１のシステムメッセージ以外のシステム情報が前記端末デバイスに格納された前記第１のシステムメッセージ以外のシステム情報に対して変更されたことを示すために用いられる場合、又は、前記第１の変更指示が、前記ネットワークデバイスによって現在送信されている前記第１のシステムメッセージ以外の第２のタイプのシステム情報が前記端末デバイスに格納された前記第１のシステムメッセージ以外の第２のタイプのシステム情報に対して変更されたことを示すために用いられる場合に、前記第１のシステムメッセージ以外の第２のタイプのシステム情報が変更されたか否かを検出することと、
前記第１のシステムメッセージ以外の前記第２のタイプのシステム情報が変更された場合に、前記第１のシステムメッセージ以外の前記第２のタイプのシステム情報を更新することと、
を実行するように構成される、
請求項５１に記載の端末デバイス。
【請求項５３】
前記処理ユニットは、さらに、
前記第１のシステムメッセージが第２の変更指示をさらに保持すると決定することと、
前記第２の変更指示が、前記ネットワークデバイスによって現在送信されている第１のタイプのシステム情報が前記ネットワークデバイスによって前の第１の周期に送信された第１のタイプのシステム情報に対して変更されたことを示すために用いられる場合に、前記第１のタイプのシステム情報が変更されたか否かを検出することと、
前記第１のタイプのシステム情報が変更された場合に、前記第１のタイプのシステム情報を更新することと、
を実行するように構成される、
請求項４９又は５０に記載の端末デバイス。
【請求項５４】
前記処理ユニットは、さらに、
前記第１の変更指示が、前記ネットワークデバイスによって現在送信されている前記第１のシステムメッセージ以外のシステム情報が前記端末デバイスに格納された前記第１のシステムメッセージ以外のシステム情報に対して変更されたことを示すために用いられる場合、又は、前記第１の変更指示が、前記ネットワークデバイスによって現在送信されている前記第１のシステムメッセージ以外の第２のタイプのシステム情報が前記端末デバイスに格納された前記第１のシステムメッセージ以外の第２のタイプのシステム情報に対して変更されたことを示すために用いられる場合に、前記第１のシステムメッセージ以外の第２のタイプのシステム情報が変更されたか否かを検出することと、
前記第１のシステムメッセージ以外の前記第２のタイプのシステム情報が変更された場合に、前記第１のシステムメッセージ以外の前記第２のタイプのシステム情報を更新することと、
を実行するように構成される、
請求項５３に記載の端末デバイス。
【請求項５５】
前記受信ユニットは、さらに、
前記ネットワークデバイスとの無線リソース制御ＲＲＣ接続を確立する前に、前記ネットワークデバイスによって送信された前記第１のシステムメッセージを読み出す
ように構成され、
前記処理ユニットは、さらに、
前記第１のシステムメッセージに保持された前記第１の変更指示が、前記ネットワークデバイスによって現在送信されている前記第１のシステムメッセージ以外のシステム情報が前記端末デバイスに格納された前記第１のシステムメッセージ以外の前記システム情報に対して変更されたことを示すために用いられる場合に、前記第１のシステムメッセージ以外の前記システム情報を更新することであって、前記システム情報は、前記第１のタイプのシステム情報及び前記第２のタイプのシステム情報を含み、前記第２のタイプのシステム情報は、前記第１のタイプのシステム情報以外のシステム情報を含む、更新すること、
を実行するように構成される、
請求項４１から５４のいずれか１項に記載の端末デバイス。
【請求項５６】
前記処理ユニットは、さらに、
前記更新されたシステム情報に基づいて、前記ネットワークデバイスとの前記ＲＲＣ接続を確立する
ように構成される、
請求項５５に記載の端末デバイス。
【請求項５７】
前記受信ユニットは、さらに、
前記ネットワークデバイスとのＲＲＣ接続を確立する前に、前記ネットワークデバイスによって送信された前記第１のシステムメッセージを読み出す
ように構成され、
前記処理ユニットは、さらに、
前記第１のシステムメッセージに保持された前記第１の変更指示が、前記ネットワークデバイスによって現在送信されている前記第１のシステムメッセージ以外の前記第２のタイプのシステム情報が前記端末デバイスに格納された前記第１のシステムメッセージ以外の前記第２のタイプのシステム情報に対して変更されたことを示すために用いられる場合に、前記第１のシステムメッセージ以外の前記第２のタイプのシステム情報を更新することであって、前記システム情報は、前記第１のタイプのシステム情報及び前記第２のタイプのシステム情報を含み、前記第２のタイプのシステム情報は、前記第１のタイプのシステム情報以外のシステム情報を含む、更新すること
を実行するように構成される、
請求項４１から５４のいずれか１項に記載の端末デバイス。
【請求項５８】
前記処理ユニットは、さらに、
前記第１のシステムメッセージが前記第２の変更指示をさらに保持すると決定することと、
前記第２の変更指示が、前記ネットワークデバイスによって現在送信されている第１のタイプのシステム情報が前記ネットワークデバイスによって前記前の第１の周期に送信された前記第１のタイプのシステム情報に対して変更されたことを示すために用いられる場合に、前記第１のタイプのシステム情報を更新することと、
を実行するように構成される、
請求項５７に記載の端末デバイス。
【請求項５９】
前記処理ユニットは、さらに、
前記更新されたシステム情報に基づいて、前記ネットワークデバイスとの前記ＲＲＣ接続を確立する
ように構成される、
請求項５８に記載の端末デバイス。
【請求項６０】
変更周期ＭＰに基づいて、第１のタイプのシステム情報を端末デバイスに送信するように構成される送信ユニットであって、前記ネットワークデバイスによって送信される前記第１のタイプのシステム情報の内容は、予め定められた期間変更されないままである、送信ユニット
を備える、ネットワークデバイス。
【発明の詳細な説明】
【技術分野】
【０００１】
本発明は、モバイル通信技術分野に関し、具体的には、システム情報送信方法、システム情報更新方法、及びデバイスに関する。
【背景技術】
【０００２】
不連続受信（Ｄｉｓｃｏｎｔｉｎｕｏｕｓ  ｒｅｃｅｐｔｉｏｎ、ＤＲＸ）サイクルは、ロングタームエボリューション（Ｌｏｎｇ  Ｔｅｒｍ  Ｅｖｏｌｕｔｉｏｎ、ＬＴＥ）システムに導入された新たな省電力動作メカニズムである。ＤＲＸサイクルにおいて、ユーザ機器（Ｕｓｅｒ  Ｅｑｕｉｐｍｅｎｔ、ＵＥ）がアイドル状態（ＩＤＬＥ）の場合、ユーザ機器は物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を監視する必要はなく、これにより、電力を節約する。
【０００３】
ＬＴＥシステムにおいて、変更周期（ｍｏｄｉｆｉｃａｔｉｏｎ  ｐｅｒｉｏｄ、ＭＰ）の概念が定義されている。システム情報は、１つのＭＰに複数回伝送されてよい。しかしながら、同じＭＰにおいて、いくつかのシステム情報（例えば、ページング構成情報）の内容は、変更されないままである。基地局がシステム情報のいくつか（例えば、ページング構成情報）を変更する必要がある場合、基地局は最初に、ＭＰにおいてページングメッセージを用いることによって、ページング構成情報が変更される対象である（が、基地局は現在のＭＰにおいて、新たなページング構成情報を送信又は使用しない）ことをＵＥに通知し、次のＭＰの開始時の境界において、新たなページング構成情報を用いる。次のＭＰにおいて、基地局は、新たなページング構成情報を送信する。しかしながら、ＵＥのＤＲＸサイクルがＭＰより長い場合、ＵＥは、ページング構成が変更される対象であることを示すページングメッセージを受信しないことがあり、その結果、新たなページング構成情報を取得できない。
【０００４】
例えば、図１を参照すると、図１は、ＬＴＥシステムにおいてページング構成情報を更新するプロセスを示す。図１において、基地局は、ＭＰ  ｎ＋１においてページング構成情報を更新しようとしており、従って、ＭＰ  ｎにおけるページングメッセージにおいて、ページング構成情報が変更される対象であることを通知する必要がある。しかしながら、ＵＥのＤＲＸサイクルはＭＰより長いので、ＭＰ  ｎは、ＵＥのページング時刻（ＰＯ）を含まない。換言すると、ＵＥは、ＭＰ  ｎにおいて起動しない。従って、ＵＥは、ＭＰ  ｎ−１におけるページングメッセージ、すなわちページングメッセージ１のみを受信することができるが、ＭＰ  ｎにおけるページングメッセージ、すなわちページングメッセージ２を受信ことができず、さらに、新たなページング構成情報を受信することができない。従って、ＤＲＸサイクルに基づいてＵＥが起動する場合、ＵＥは、後続のページングメッセージを取得失敗する、例えば、図１のページングメッセージ３を取得失敗する。
【発明の概要】
【０００５】
本願は、システム情報送信方法、システム情報更新方法、及びデバイスを提供し、ＤＲＸサイクルがＭＰより長い場合に、ＵＥがページングメッセージを受信しないことがあるという技術的問題を解決する。
【０００６】
第１の態様によれば、システム情報送信方法が提供される。方法は、
ネットワークデバイスによって第１の周期に基づいて、第１のタイプのシステム情報を端末デバイスに送信する段階であって、ネットワークデバイスによって送信される第１のタイプのシステム情報の内容は、１つの第１の周期において変更されないままであり、第１の周期は、端末デバイスに対して構成可能な最大ＤＲＸサイクルである、又は、第１の周期は、ネットワークデバイスによって第１のタイプのシステム情報に対して設定される変更周期である、段階
を含む。
【０００７】
ネットワークデバイスは、第１のタイプのシステム情報が第１の周期に変更される対象ではないことを保証するために、第１のタイプのシステム情報（例えば、ページング構成情報を含んでよい）に対して、変更周期（すなわち、第１の周期）を別個に設定してよい。例えば、第１の周期は、ＤＲＸサイクルより長くてよい。このように、ＤＲＸサイクルに基づいて端末デバイスが起動する場合、端末デバイスが起動する時は、なお第１の周期にある。端末デバイスは、ページング構成情報が変更される対象であることを示すページングメッセージを標準的に受信してよく、これにより、新たなページング構成情報を適時的に取得し、後続のページングメッセージの取得失敗を回避する。
【０００８】
第１の態様に関連して、第１の態様の第１の可能な実装において、方法は、
ネットワークデバイスによって、ｉ番目の第１の周期にページングメッセージを端末デバイスに送信する段階であって、端末デバイスのＤＲＸサイクルは、第１の周期より短い又はこれと等しく、ページングメッセージは、第１の変更指示を保持し、第１の変更指示は、次の第１の周期に送信される第１のタイプのシステム情報が変更される対象であるか否かを示すために用いられる、又は、第１の変更指示は、次のＭＰに送信されるいずれかのシステム情報が変更される対象であるか否かを示すために用いられ、ｉは、正の整数である、段階
をさらに含む。
【０００９】
ネットワークデバイスは、第１の変更指示をページングメッセージに追加してよい。ＤＲＸサイクルに基づいて端末デバイスが起動する場合、端末デバイスが起動する時は、なお第１の周期にある。端末デバイスは、ページング構成情報が変更される対象であることを示すページングメッセージを標準的に受信してよく、これにより、新たなページング構成情報を適時的に取得し、後続のページングメッセージの取得失敗を回避する。
【００１０】
第１の態様の第１の可能な実装に関連して、第１の態様の第２の可能な実装において、ページングメッセージは、第２の変更指示をさらに保持し、第２の変更指示は、次のＭＰ又は次の第１の周期に送信される第２のタイプのシステム情報が変更される対象であるか否かを示すために用いられ、第２のタイプのシステム情報は、第１のタイプのシステム情報以外のシステム情報を含む。
【００１１】
ページングメッセージは、第２の変更指示をさらに保持してよい。第２の変更指示は、第２のタイプのシステム情報の変更ステータスを示すために用いられてよい。このように、端末デバイスは、第１のタイプのシステム情報を更新するか否かを決定できるのみならず、第２のタイプのシステム情報を更新するか否かを決定することもでき、これにより、可能な限り、更新されることを必要とするシステム情報が適時的に更新可能とされることを保証する。
【００１２】
第１の態様の第１の可能な実装に関連して、第１の態様の第３の可能な実装において、方法は、
ネットワークデバイスによって、ｉ番目の第１の周期にページングメッセージを端末デバイスに送信する段階であって、端末デバイスのＤＲＸサイクルは、ＭＰより短い又はこれと等しく、第１の周期より短い又はこれと等しく、ページングメッセージは、第１の変更指示を保持し、第１の変更指示は、次の第１の周期に送信される第１のタイプのシステム情報が変更される対象であるか否かを示すために用いられる、又は、第１の変更指示は、次の変更周期ＭＰに送信されるいずれかのシステム情報が変更される対象であるか否かを示すために用いられ、ｉは、正の整数である、段階
をさらに含む。
【００１３】
第１の態様の第１の可能な実装に関連して、第１の態様の第４の可能な実装において、方法は、
ネットワークデバイスによって、ｉ番目の第１の周期にページングメッセージを端末デバイスに送信する段階であって、端末デバイスのＤＲＸサイクルは、ＭＰより長く、第１の周期より短い又はこれと等しく、ページングメッセージは、第１の変更指示を保持し、第１の変更指示は、次の第１の周期に送信される第１のタイプのシステム情報が変更される対象であるか否かを示すために用いられ、ｉは、正の整数である、段階
をさらに含む。
【００１４】
第１の態様の第４の可能な実装に関連して、第１の態様の第５の可能な実装において、ページングメッセージは、第２の変更指示をさらに保持し、第２の変更指示は、次のＭＰ又は次の第１の周期に送信される第２のタイプのシステム情報が変更される対象であるか否かを示すために用いられ、第２のタイプのシステム情報は、第１のタイプのシステム情報以外のシステム情報を含む。
【００１５】
第１の態様に関連して、第１の態様の第６の可能な実装において、方法は、
ネットワークデバイスによって、ｉ番目の第１の周期に第１のシステムメッセージを送信する段階であって、第１のシステムメッセージは、第１の変更指示を保持する、段階
をさらに含み、
第１の変更指示は、ネットワークデバイスによって現在送信されている第１のシステムメッセージ以外のシステム情報が、端末デバイスに格納された第１のシステムメッセージ以外のシステム情報に対して変更されたか否かを示すために用いられる、又は、第１の変更指示は、ネットワークデバイスによって現在送信されている第１のシステムメッセージ以外の第２のタイプのシステム情報が、端末デバイスに格納された第１のシステムメッセージ以外の第２のタイプのシステム情報に対して変更されたか否かを示すために用いられ、
第２のタイプのシステム情報は、第１のタイプのシステム情報以外のシステム情報を含み、ｉは、正の整数である。
【００１６】
ネットワークデバイスは、第１の変更指示を第１のシステムメッセージにさらに追加してよく、第１の変更指示は、異なるシステム情報の変更ステータスを示してよい。ＤＲＸサイクルに基づいて端末デバイスが起動する場合、端末デバイスが起動する時は、なお第１の周期にある。端末デバイスは、対応するシステム情報が変更される対象であることを示す第１のシステムメッセージを標準的に受信してよく、これにより、システム情報を適時的に更新する。
【００１７】
第１の態様の第６の可能な実装に関連して、第１の態様の第７の可能な実装において、第１のシステムメッセージは、第２の変更指示をさらに保持し、第２の変更指示は、ネットワークデバイスによって現在送信されている第１のタイプのシステム情報が、ネットワークデバイスによって前の第１の周期に送信された第１のタイプのシステム情報に対して変更されたか否かを示すために用いられる。
【００１８】
第１のシステムメッセージは、第２の変更指示をさらに保持してよい。第２の変更指示は、第１のタイプのシステム情報が変更される対象であるか否かを特に示すために用いられてよい。例えば、第１のタイプのシステム情報がページング構成情報を含んでよい場合に、第２の変更指示は、ページング構成情報の変更ステータスを特に示すために用いられる。端末デバイスは、ページング構成情報をよりタイムリーな方式でより正確に更新することができ、これにより、後続のページングメッセージを標準的に受信する。
【００１９】
第１の態様又は第１の態様の第１から第７の可能な実装のいずれか１つに関連して、第１の態様の第８の可能な実装において、第１のタイプのシステム情報は、ページング構成情報を含む。
【００２０】
第１の態様の第８の可能な実装に関連して、第１の態様の第９の可能な実装において、ページング構成情報は、ＰＣＣＨ構成情報、ページングメッセージが位置する時間周波数リソースについての情報、ページングメッセージが端末デバイスに反復送信される回数、ページングウィンドウのウィンドウ長、ページングウィンドウにおける短ＤＲＸサイクル、及び第１のタイプのシステム情報に対して再設定された変更周期の少なくとも１つを含む。
【００２１】
ページング構成情報は、ページング関連システム情報を含んでよい。
【００２２】
第２の態様によれば、システム情報更新方法が提供される。方法は、
端末デバイスによってｉ番目の第１の周期に、ネットワークデバイスによって送信された第１のメッセージを受信する段階であって、第１のメッセージは、第１の変更指示を保持し、第１の周期は、ネットワークデバイスによって第１のタイプのシステム情報に対して設定される変更周期であり、ｉは、正の整数である、段階と、
端末デバイスによって第１の変更指示に基づいて、第１のタイプのシステム情報を更新するか否かを決定する段階と、
を含み、
第１の変更指示は、第１のタイプのシステム情報の変更ステータス又はいずれかのシステム情報の変更ステータスを示すために用いられる。
【００２３】
ネットワークデバイスは、第１のタイプのシステム情報が第１の周期に変更される対象ではないことを保証するために、第１のタイプのシステム情報（例えば、ページング構成情報を含んでよい）に対して、変更周期（すなわち、第１の周期）を別個に設定してよい。例えば、第１の周期は、ＤＲＸサイクルより長くてよい。このように、ＤＲＸサイクルに基づいて端末デバイスが起動する場合、端末デバイスが起動する時は、なお第１の周期にある。端末デバイスは、ページング構成情報が変更される対象であることを示すページングメッセージを標準的に受信してよく、これにより、新たなページング構成情報を適時的に取得し、後続のページングメッセージの取得失敗を回避する。
【００２４】
第２の態様に関連して、第２の態様の第１の可能な実装において、方法は、
端末デバイスによって、端末デバイスに対して構成されるＤＲＸサイクルが第２のタイプのシステム情報のＭＰより長く、ＤＲＸサイクルが第１の周期より長いと決定する段階、又は、
端末デバイスによって、端末デバイスに対して構成されるＤＲＸサイクルが第１の周期より短い又はこれと等しいと決定する段階
をさらに含む。
【００２５】
第２の態様の第１の可能な実装に関連して、第２の態様の第２の可能な実装において、ＤＲＸサイクルが第１の周期より短い又はこれと等しい場合に、
端末デバイスによってｉ番目の第１の周期に、ネットワークデバイスによって送信された第１のメッセージを受信する段階は、
端末デバイスによってｉ番目の第１の周期に、第１の変更指示を保持する、ネットワークデバイスによって送信されたページングメッセージを受信する段階
を含み、
端末デバイスによって第１の変更指示に基づいて、第１のタイプのシステム情報を更新するか否かを決定する段階は、
第１の変更指示が、次の第１の周期に送信される第１のタイプのシステム情報が変更される対象であることを示すために用いられる場合に、端末デバイスによって、（ｉ＋１）番目の第１の周期に第１のタイプのシステム情報を更新する段階、又は、
第１の変更指示が、次のＭＰに送信されるいずれかのシステム情報が変更される対象であることを示すために用いられる場合に、端末デバイスによって、次のＭＰ又は（ｉ＋１）番目の第１の周期に第１のタイプのシステム情報を更新する段階
を含む。
【００２６】
ページングメッセージを受信した後で、端末デバイスは、第１の変更指示によって示されるステータスに基づいて、異なる時点で、第１のタイプのシステム情報を更新してよい。
【００２７】
第２の態様の第２の可能な実装に関連して、第２の態様の第３の可能な実装において、ＤＲＸサイクルが第１の周期より短い又はこれと等しく、ＭＰより短い又はこれと等しい場合に、
端末デバイスによってｉ番目の第１の周期に、ネットワークデバイスによって送信された第１のメッセージを受信する段階は、
端末デバイスによってｉ番目の第１の周期に、第１の変更指示を保持する、ネットワークデバイスによって送信されたページングメッセージを受信する段階
を含み、
端末デバイスによって第１の変更指示に基づいて、第１のタイプのシステム情報を更新するか否かを決定する段階は、
第１の変更指示が、次の第１の周期に送信される第１のタイプのシステム情報が変更される対象であることを示すために用いられる場合に、端末デバイスによって、（ｉ＋１）番目の第１の周期に第１のタイプのシステム情報を更新する段階、又は、
第１の変更指示が、次のＭＰに送信されるいずれかのシステム情報が変更される対象であることを示すために用いられる場合に、端末デバイスによって、次のＭＰ又は（ｉ＋１）番目の第１の周期に第１のタイプのシステム情報を更新する段階
を含む。
【００２８】
第２の態様の第２の可能な実装に関連して、第２の態様の第４の可能な実装において、ＤＲＸサイクルが第１の周期より短い又はこれと等しく、ＭＰより長い場合に、
端末デバイスによってｉ番目の第１の周期に、ネットワークデバイスによって送信された第１のメッセージを受信する段階は、
端末デバイスによってｉ番目の第１の周期に、第１の変更指示を保持する、ネットワークデバイスによって送信されたページングメッセージを受信する段階
を含み、
端末デバイスによって第１の変更指示に基づいて、第１のタイプのシステム情報を更新するか否かを決定する段階は、
第１の変更指示が、次の第１の周期に送信される第１のタイプのシステム情報が変更される対象であることを示すために用いられる場合に、端末デバイスによって、（ｉ＋１）番目の第１の周期に第１のタイプのシステム情報を更新する段階、又は、
第１の変更指示が、次のＭＰに送信されるいずれかのシステム情報が変更される対象であることを示すために用いられる場合に、端末デバイスによって、次のＭＰ又は（ｉ＋１）番目の第１の周期に第１のタイプのシステム情報を更新する段階
を含む。
【００２９】
第２の態様の第２、第３、又は第４の可能な実装に関連して、第２の態様の第５の可能な実装において、端末デバイスによって、（ｉ＋１）番目の第１の周期に第１のタイプのシステム情報を更新する段階は、
端末デバイスによって、（ｉ＋１）番目の第１の周期の開始時におけるスーパーフレームのフレーム番号を決定し、端末デバイスによって、決定されたフレーム番号に基づいて、スーパーフレームにおける第１のタイプのシステム情報を更新する段階、又は、
端末デバイスによって、（ｉ＋１）番目の第１の周期の開始時における無線フレームのフレーム番号を決定し、端末デバイスによって、決定されたフレーム番号に基づいて、無線フレームにおける第１のタイプのシステム情報を更新する段階
を含む。
【００３０】
第１のタイプのシステム情報を更新する２つの方式が提供される。端末デバイスは、比較的フレキシブルに、状況に基づいて、異なる方式で更新を実行してよい。さらに、更新は、フレーム番号を決定することによって実行されており、従って、比較的正確である。
【００３１】
第２の態様の第２、第３、第４、又は第５の可能な実装に関連して、第２の態様の第６の可能な実装において、端末デバイスによってｉ番目の第１の周期に、第１の変更指示を保持する、ネットワークデバイスによって送信されたページングメッセージを受信する段階の後で、方法は、
第１の変更指示が、次の第１の周期に送信される第１のタイプのシステム情報が変更される対象であることを示すために用いられる場合、又は、第１の変更指示が、次のＭＰに送信されるいずれかのシステム情報が変更される対象であることを示すために用いられる場合に、端末デバイスによって、（ｉ＋１）番目の第１の周期に第２のタイプのシステム情報を更新する段階であって、第２のタイプのシステム情報は、第１のタイプのシステム情報以外のシステム情報を含む、段階、又は、
第１の変更指示が、次の第１の周期に送信される第１のタイプのシステム情報が変更される対象であることを示すために用いられる場合、又は、第１の変更指示が、次のＭＰに送信されるいずれかのシステム情報が変更される対象であることを示すために用いられる場合に、端末デバイスによって、次のＭＰに第２のタイプのシステム情報を更新する段階であって、第２のタイプのシステム情報は、第１のタイプのシステム情報以外のシステム情報を含む、段階
をさらに含む。
【００３２】
第１のタイプのシステム情報に加えて、端末デバイスは、第２のタイプのシステム情報をさらに更新してよく、これにより、全てのシステム情報は、よりタイムリーな方式で更新可能となる。
【００３３】
第２の態様の第６の可能な実装に関連して、第２の態様の第７の可能な実装において、端末デバイスによって、第２のタイプのシステム情報を更新する段階の前に、方法は、
端末デバイスによって、ページングメッセージが第２の変更指示をさらに保持すると決定する段階であって、第２の変更指示は、次のＭＰ又は次の第１の周期に送信される第２のタイプのシステム情報が変更される対象であることを示すために用いられる、段階
をさらに含む。
【００３４】
ページングメッセージは、第２の変更指示を保持してよい。第２の変更指示は、第２のタイプのシステム情報の変更ステータスを示すために用いられる。このように、端末デバイスは、第２の変更指示によって示されるステータスに基づいて、第２のタイプのシステム情報を更新するか否かを決定してよい。第２の変更指示が、次のＭＰ又は次の第１の周期に送信される第２のタイプのシステム情報が変更される対象ではないことを示すために用いられる場合、端末デバイスは、第２のタイプのシステム情報を更新する必要はなく、これにより、端末デバイスの負荷を軽減する。
【００３５】
第２の態様の第１の可能な実装に関連して、第２の態様の第８の可能な実装において、ＤＲＸサイクルが第１の周期より長い場合に、
端末デバイスによってｉ番目の第１の周期に、ネットワークデバイスによって送信された第１のメッセージを受信する段階の前に、方法は、
端末デバイスによって、ｉ番目の第１の周期の開始時におけるスーパーフレームのフレーム番号を決定する段階
をさらに含み、
端末デバイスによってｉ番目の第１の周期に、ネットワークデバイスによって送信された第１のメッセージを受信する段階は、
端末デバイスによって、フレーム番号に基づいて、ネットワークデバイスによってスーパーフレームにおいて送信される第１のシステムメッセージの位置を決定し、位置において、第１の変更指示を保持する第１のシステムメッセージを読み出す段階
を含む。
【００３６】
ＤＲＸサイクルが第１の周期より長い場合、端末デバイスは、ｉ番目の第１の周期の開始時におけるスーパーフレームのフレーム番号を決定することができる。端末デバイスは、スーパーフレームの前に予め起動して第１のシステムメッセージを読み出してよく、これにより、第１のシステムメッセージの取得失敗を回避する。
【００３７】
第２の態様の第１の可能な実装に関連して、第２の態様の第９の可能な実装において、ＤＲＸサイクルが第１の周期より長い場合に、
端末デバイスによってｉ番目の第１の周期に、ネットワークデバイスによって送信された第１のメッセージを受信する段階の前に、方法は、
端末デバイスによって、ｉ番目の第１の周期の開始時における無線フレームのフレーム番号を決定する段階
をさらに含み、
端末デバイスによってｉ番目の第１の周期に、ネットワークデバイスによって送信された第１のメッセージを受信する段階は、
端末デバイスによって、フレーム番号に基づいて、ネットワークデバイスによって無線フレームにおいて送信される第１のシステムメッセージの位置を決定し、位置において、第１の変更指示を保持する第１のシステムメッセージを読み出す段階
を含む。
【００３８】
ＤＲＸサイクルが第１の周期より長い場合、端末デバイスは、ｉ番目の第１の周期の開始時における無線フレームのフレーム番号を決定することができる。端末デバイスは、無線フレームの前に予め起動して第１のシステムメッセージを読み出してよく、これにより、第１のシステムメッセージの取得失敗を回避する。
【００３９】
第２の態様の第８又は第９の可能な実装に関連して、第２の態様の第１０の可能な実装において、方法は、
第１の変更指示が、ネットワークデバイスによって現在送信されている第１のシステムメッセージ以外のシステム情報が端末デバイスに格納された第１のシステムメッセージ以外のシステム情報に対して変更されたことを示すために用いられる場合、又は、第１の変更指示が、ネットワークデバイスによって現在送信されている第１のシステムメッセージ以外の第２のタイプのシステム情報が端末デバイスに格納された第１のシステムメッセージ以外の第２のタイプのシステム情報に対して変更されたことを示すために用いられる場合に、端末デバイスによって、第１のタイプのシステム情報が変更されたか否かを検出する段階であって、システム情報は、第１のタイプのシステム情報及び第２のタイプのシステム情報を含み、第２のタイプのシステム情報は、第１のタイプのシステム情報以外のシステム情報を含む、段階と、
第１のタイプのシステム情報が変更された場合に、端末デバイスによって、第１のタイプのシステム情報を更新する段階と、
をさらに含む。
【００４０】
何が第１の変更指示によって示されるかに関わらず、第１の変更指示が、変更が実行される予定であることを示すために用いられることを前提とすると、端末デバイスは、第１のタイプのシステム情報が変更されたか否かを検出し、第１のタイプのシステム情報が変更された場合には、第１のタイプのシステム情報を更新することができ、これにより、可能な限り、第１のタイプのシステム情報がよりタイムリーな方式で更新可能となることを保証する。
【００４１】
第２の態様の第１０の可能な実装に関連して、第２の態様の第１１の可能な実装において、方法は、
第１の変更指示が、ネットワークデバイスによって現在送信されている第１のシステムメッセージ以外のシステム情報が端末デバイスに格納された第１のシステムメッセージ以外のシステム情報に対して変更されたことを示すために用いられる場合、又は、第１の変更指示が、ネットワークデバイスによって現在送信されている第１のシステムメッセージ以外の第２のタイプのシステム情報が端末デバイスに格納された第１のシステムメッセージ以外の第２のタイプのシステム情報に対して変更されたことを示すために用いられる場合に、端末デバイスによって、第１のシステムメッセージ以外の第２のタイプのシステム情報が変更されたか否かを検出する段階と、
第１のシステムメッセージ以外の第２のタイプのシステム情報が変更された場合に、端末デバイスによって、第１のシステムメッセージ以外の第２のタイプのシステム情報を更新する段階と、
をさらに含む。
【００４２】
何が第１の変更指示によって示されるかに関わらず、第１の変更指示が、変更が実行される予定であることを示すために用いられることを前提とすると、端末デバイスは、第２のタイプのシステム情報が変更されたか否かを検出し、第２のタイプのシステム情報が変更された場合には、第２のタイプのシステム情報を更新することができ、これにより、可能な限り、全てのシステム情報がよりタイムリーな方式で更新可能となることを保証する。
【００４３】
第２の態様の第８又は第９の可能な実装に関連して、第２の態様の第１２の可能な実装において、方法は、
端末デバイスによって、第１のシステムメッセージが第２の変更指示をさらに保持すると決定する段階と、
第２の変更指示が、ネットワークデバイスによって現在送信されている第１のタイプのシステム情報がネットワークデバイスによって前の第１の周期に送信された第１のタイプのシステム情報に対して変更されたことを示すために用いられる場合に、端末デバイスによって、第１のタイプのシステム情報が変更されたか否かを検出する段階と、
第１のタイプのシステム情報が変更された場合に、端末デバイスによって、第１のタイプのシステム情報を更新する段階と、
をさらに含む。
【００４４】
第１のシステムメッセージは、第２の変更指示をさらに保持してよい。第２の変更指示は、第１のタイプのシステム情報の変更ステータスを特に示し、端末デバイスに対する指示をより明確にするために用いられ、これにより、第１のタイプのシステム情報がよりタイムリーな方式で更新可能となることを保証する。
【００４５】
第２の態様の第１２の可能な実装に関連して、第２の態様の第１３の可能な実装において、方法は、
第１の変更指示が、ネットワークデバイスによって現在送信されている第１のシステムメッセージ以外のシステム情報が端末デバイスに格納された第１のシステムメッセージ以外のシステム情報に対して変更されたことを示すために用いられる場合、又は、第１の変更指示が、ネットワークデバイスによって現在送信されている第１のシステムメッセージ以外の第２のタイプのシステム情報が端末デバイスに格納された第１のシステムメッセージ以外の第２のタイプのシステム情報に対して変更されたことを示すために用いられる場合に、端末デバイスによって、第１のシステムメッセージ以外の第２のタイプのシステム情報が変更されたか否かを検出する段階と、
第１のシステムメッセージ以外の第２のタイプのシステム情報が変更された場合に、端末デバイスによって、第１のシステムメッセージ以外の第２のタイプのシステム情報を更新する段階と、
をさらに含む。
【００４６】
第１のシステムメッセージが第１の変更指示及び第２の変更指示を保持する場合に、端末デバイスは、第１の変更指示によって示されるステータスに基づいて、第２のタイプのシステム情報が更新される必要があるか否かを決定し、第２の変更指示によって示されるステータスに基づいて、第１のタイプのシステム情報が更新される必要があるか否かを決定してよい。指示の効果は、２つの変更指示用いることによって、より良好となる。
【００４７】
第２の態様又は第２の態様の第１から第１３の可能な実装のいずれか１つに関連して、第１４の可能な実装において、方法は、
ネットワークデバイスとのＲＲＣ接続を確立する前に、端末デバイスによって、ネットワークデバイスによって送信された第１のシステムメッセージを読み出す段階と、
第１のシステムメッセージに保持された第１の変更指示が、ネットワークデバイスによって現在送信されている第１のシステムメッセージ以外のシステム情報が端末デバイスに格納された第１のシステムメッセージ以外のシステム情報に対して変更されたことを示すために用いられる場合に、端末デバイスによって、第１のシステムメッセージ以外のシステム情報を更新する段階であって、システム情報は、第１のタイプのシステム情報及び第２のタイプのシステム情報を含み、第２のタイプのシステム情報は、第１のタイプのシステム情報以外のシステム情報を含む、段階と、
をさらに含む。
【００４８】
ネットワークデバイスとのＲＲＣ接続を確立する前に、端末デバイスは、第１のシステムメッセージに保持される第１の変更指示に基づいて、対応するシステム情報を更新するか否かを決定してよく、これにより、可能な限り、端末デバイスが適時的にシステム情報を更新することを保証する。
【００４９】
第２の態様の第１４の可能な実装に関連して、第２の態様の第１５の可能な実装において、方法は、
端末デバイスによって、更新されたシステム情報に基づいて、ネットワークデバイスとのＲＲＣ接続を確立する段階
をさらに含む。
【００５０】
端末デバイスは、更新されたシステム情報に基づいて、ネットワークデバイスとのＲＲＣ接続を確立してよく、これにより、可能な限り、確立成功率を保証する。
【００５１】
第２の態様又は第２の態様の第１から第１３の可能な実装のいずれか１つに関連して、第１６の可能な実装において、方法は、
ネットワークデバイスとのＲＲＣ接続を確立する前に、端末デバイスによって、ネットワークデバイスによって送信された第１のシステムメッセージを読み出す段階と、
第１のシステムメッセージに保持された第１の変更指示が、ネットワークデバイスによって現在送信されている第１のシステムメッセージ以外の第２のタイプのシステム情報が端末デバイスに格納された第１のシステムメッセージ以外の第２のタイプのシステム情報に対して変更されたことを示すために用いられる場合に、端末デバイスによって、第１のシステムメッセージ以外の第２のタイプのシステム情報を更新する段階であって、システム情報は、第１のタイプのシステム情報及び第２のタイプのシステム情報を含み、第２のタイプのシステム情報は、第１のタイプのシステム情報以外のシステム情報を含む、段階と、
をさらに含む。
【００５２】
第１のシステムメッセージに保持される第１の変更指示は、第２のタイプのシステム情報の変更ステータスを示すために用いられてもよく、これにより、端末デバイスは、更新されることを必要とするシステム情報の範囲を低減することにより、端末デバイスにとってより良い指示の効果を得る。
【００５３】
第２の態様の第１６の可能な実装に関連して、第２の態様の第１７の可能な実装において、方法は、
端末デバイスによって、第１のシステムメッセージが第２の変更指示をさらに保持すると決定する段階と、
第２の変更指示が、ネットワークデバイスによって現在送信されている第１のタイプのシステム情報がネットワークデバイスによって前の第１の周期に送信された第１のタイプのシステム情報に対して変更されたことを示すために用いられる場合に、端末デバイスによって、第１のタイプのシステム情報を更新する段階と、
をさらに含む。
【００５４】
第１のシステムメッセージは、第２の変更指示をさらに保持してよい。第２の変更指示は、第１のタイプのシステム情報の変更ステータスを示すために用いられる。端末デバイスは、第１のタイプのシステム情報及び第２のタイプのシステム情報の変更ステータスをそれぞれ示す２つの変更指示を用いることによって、より明示的な更新を実行することができる。指示の効果が、より良好となる。
【００５５】
第２の態様の第１７の可能な実装に関連して、第２の態様の第１８の可能な実装において、方法は、
端末デバイスによって、更新されたシステム情報に基づいて、ネットワークデバイスとのＲＲＣ接続を確立する段階
をさらに含む。
【００５６】
端末デバイスは、更新されたシステム情報に基づいて、ネットワークデバイスとのＲＲＣ接続を確立してよく、これにより、可能な限り、確立成功率を保証する。
【００５７】
第３の態様によれば、他のシステム情報送信方法が提供される。方法は、
ネットワークデバイスによって、ＭＰに基づいて、第１のタイプのシステム情報を端末デバイスに送信する段階であって、ネットワークデバイスによって送信される第１のタイプのシステム情報の内容は、予め定められた期間変更されないままである、段階
を含む。
【００５８】
ネットワークデバイスは、ＭＰに基づいて、第１のタイプのシステム情報を端末デバイスに送信し続けることができる。これが、送信された第１のタイプのシステム情報の内容が予め定められた期間変更されないままであることを保証することを前提として、端末デバイスは、第１のタイプのシステム情報を適時的に受信することができる。
【００５９】
第４の態様によれば、ネットワークデバイスが提供される。ネットワークデバイスは、
第１の周期に基づいて、第１のタイプのシステム情報を端末デバイスに送信するように構成される送信ユニットであって、ネットワークデバイスによって送信される第１のタイプのシステム情報の内容は、１つの第１の周期において変更されないままであり、第１の周期は、端末デバイスに対して構成可能な最大不連続受信ＤＲＸサイクルである、又は、第１の周期は、ネットワークデバイスによって第１のタイプのシステム情報に対して設定される変更周期である、送信ユニット
を含む。
【００６０】
第４の態様に関連して、第４の態様の第１の可能な実装において、送信ユニットは、さらに、
ｉ番目の第１の周期にページングメッセージを端末デバイスに送信することであって、端末デバイスのＤＲＸサイクルは、第１の周期より短い又はこれと等しく、ページングメッセージは、第１の変更指示を保持し、第１の変更指示は、次の第１の周期に送信される第１のタイプのシステム情報が変更される対象であるか否かを示すために用いられる、又は、第１の変更指示は、次の変更周期ＭＰに送信されるいずれかのシステム情報が変更される対象であるか否かを示すために用いられ、ｉは、正の整数である、送信すること
を実行するように構成される。
【００６１】
第４の態様の第１の可能な実装に関連して、第４の態様の第２の可能な実装において、ページングメッセージは、第２の変更指示をさらに保持し、第２の変更指示は、次のＭＰ又は次の第１の周期に送信される第２のタイプのシステム情報が変更される対象であるか否かを示すために用いられ、第２のタイプのシステム情報は、第１のタイプのシステム情報以外のシステム情報を含む。
【００６２】
第４の態様の第１の可能な実装に関連して、第４の態様の第３の可能な実装において、送信ユニットは、さらに、
ｉ番目の第１の周期にページングメッセージを端末デバイスに送信することであって、端末デバイスのＤＲＸサイクルは、ＭＰより短い又はこれと等しく、第１の周期より短い又はこれと等しく、ページングメッセージは、第１の変更指示を保持し、第１の変更指示は、次の第１の周期に送信される第１のタイプのシステム情報が変更される対象であるか否かを示すために用いられる、又は、第１の変更指示は、次の変更周期ＭＰに送信されるいずれかのシステム情報が変更される対象であるか否かを示すために用いられ、ｉは、正の整数である、送信すること
を実行するように構成される。
【００６３】
第４の態様の第１の可能な実装に関連して、第４の態様の第４の可能な実装において、送信ユニットは、さらに、
ｉ番目の第１の周期にページングメッセージを端末デバイスに送信することであって、端末デバイスのＤＲＸサイクルは、ＭＰより長く、第１の周期より短い又はこれと等しく、ページングメッセージは、第１の変更指示を保持し、第１の変更指示は、次の第１の周期に送信される第１のタイプのシステム情報が変更される対象であるか否かを示すために用いられ、ｉは、正の整数である、送信すること
を実行するように構成される。
【００６４】
第４の態様の第４の可能な実装に関連して、第４の態様の第５の可能な実装において、ページングメッセージは、第２の変更指示をさらに保持し、第２の変更指示は、次のＭＰ又は次の第１の周期に送信される第２のタイプのシステム情報が変更される対象であるか否かを示すために用いられ、第２のタイプのシステム情報は、第１のタイプのシステム情報以外のシステム情報を含む。
【００６５】
第４の態様に関連して、第４の態様の第６の可能な実装において、送信ユニットは、さらに、
ｉ番目の第１の周期に第１のシステムメッセージを送信することであって、第１のシステムメッセージは、第１の変更指示を保持する、送信すること
を実行するように構成され、
第１の変更指示は、ネットワークデバイスによって現在送信されている第１のシステムメッセージ以外のシステム情報が、端末デバイスに格納された第１のシステムメッセージ以外のシステム情報に対して変更されたか否かを示すために用いられる、又は、第１の変更指示は、ネットワークデバイスによって現在送信されている第１のシステムメッセージ以外の第２のタイプのシステム情報が、端末デバイスに格納された第１のシステムメッセージ以外の第２のタイプのシステム情報に対して変更されたか否かを示すために用いられ、
第２のタイプのシステム情報は、第１のタイプのシステム情報以外のシステム情報を含み、ｉは、正の整数である。
【００６６】
第４の態様の第６の可能な実装に関連して、第４の態様の第７の可能な実装において、第１のシステムメッセージは、第２の変更指示をさらに保持し、第２の変更指示は、ネットワークデバイスによって現在送信されている第１のタイプのシステム情報が、ネットワークデバイスによって前の第１の周期に送信された第１のタイプのシステム情報に対して変更されたか否かを示すために用いられる。
【００６７】
第４の態様又は第４の態様の第１から第７の可能な実装のいずれか１つに関連して、第４の態様の第８の可能な実装において、第１のタイプのシステム情報は、ページング構成情報を含む。
【００６８】
第４の態様の第８の可能な実装に関連して、第４の態様の第９の可能な実装において、ページング構成情報は、ＰＣＣＨ構成情報、ページングメッセージが位置する時間周波数リソースについての情報、ページングメッセージが端末デバイスに反復送信される回数、ページングウィンドウのウィンドウ長、ページングウィンドウにおける短ＤＲＸサイクル、及び第１のタイプのシステム情報に対して再設定された変更周期の少なくとも１つを含む。
【００６９】
第５の態様によれば、端末デバイスが提供される。端末デバイスは、
ｉ番目の第１の周期に、ネットワークデバイスによって送信された第１のメッセージを受信するように構成される受信ユニットであって、第１のメッセージは、第１の変更指示を保持し、第１の周期は、ネットワークデバイスによって第１のタイプのシステム情報に対して設定される変更周期であり、ｉは、正の整数である、受信ユニットと、
第１の変更指示に基づいて、第１のタイプのシステム情報を更新するか否かを決定するように構成される処理ユニットと、
を含み、
第１の変更指示は、第１のタイプのシステム情報の変更ステータス又はいずれかのシステム情報の変更ステータスを示すために用いられる。
【００７０】
第５の態様に関連して、第５の態様の第１の可能な実装において、処理ユニットは、さらに、
端末デバイスに対して構成されるＤＲＸサイクルが第２のタイプのシステム情報のＭＰより長く、ＤＲＸサイクルが第１の周期より長いと決定する、又は、
端末デバイスに対して構成されるＤＲＸサイクルが第１の周期より短い又はこれと等しいと決定する
ように構成される。
【００７１】
第５の態様の第１の可能な実装に関連して、第５の態様の第２の可能な実装において、ＤＲＸサイクルが第１の周期より短い又はこれと等しい場合に、
受信ユニットは、
ｉ番目の第１の周期に、第１の変更指示を保持する、ネットワークデバイスによって送信されたページングメッセージを受信する
ように構成され、
処理ユニットは、
第１の変更指示が、次の第１の周期に送信される第１のタイプのシステム情報が変更される対象であることを示すために用いられる場合に、（ｉ＋１）番目の第１の周期に第１のタイプのシステム情報を更新する、又は、
第１の変更指示が、次のＭＰに送信されるいずれかのシステム情報が変更される対象であることを示すために用いられる場合に、次のＭＰ又は（ｉ＋１）番目の第１の周期に第１のタイプのシステム情報を更新する
ように構成される。
【００７２】
第５の態様の第２の可能な実装に関連して、第５の態様の第３の可能な実装において、ＤＲＸサイクルが第１の周期より短い又はこれと等しく、ＭＰより短い又はこれと等しい場合に、
受信ユニットは、
ｉ番目の第１の周期に、第１の変更指示を保持する、ネットワークデバイスによって送信されたページングメッセージを受信する
ように構成され、
処理ユニットは、
第１の変更指示が、次の第１の周期に送信される第１のタイプのシステム情報が変更される対象であることを示すために用いられる場合に、（ｉ＋１）番目の第１の周期に第１のタイプのシステム情報を更新する、又は、
第１の変更指示が、次のＭＰに送信されるいずれかのシステム情報が変更される対象であることを示すために用いられる場合に、次のＭＰ又は（ｉ＋１）番目の第１の周期に第１のタイプのシステム情報を更新する
ように構成される。
【００７３】
第５の態様の第２の可能な実装に関連して、第５の態様の第４の可能な実装において、ＤＲＸサイクルが第１の周期より短い又はこれと等しく、ＭＰより長い場合に、
受信ユニットは、
ｉ番目の第１の周期に、第１の変更指示を保持する、ネットワークデバイスによって送信されたページングメッセージを受信する
ように構成され、
処理ユニットは、
第１の変更指示が、次の第１の周期に送信される第１のタイプのシステム情報が変更される対象であることを示すために用いられる場合に、（ｉ＋１）番目の第１の周期に第１のタイプのシステム情報を更新する、又は、
第１の変更指示が、次のＭＰに送信されるいずれかのシステム情報が変更される対象であることを示すために用いられる場合に、次のＭＰ又は（ｉ＋１）番目の第１の周期に第１のタイプのシステム情報を更新する
ように構成される。
【００７４】
第５の態様の第２、第３、又は第４の可能な実装に関連して、第５の態様の第５の可能な実装において、処理ユニットは、
（ｉ＋１）番目の第１の周期の開始時におけるスーパーフレームのフレーム番号を決定し、決定されたフレーム番号に基づいて、スーパーフレームにおける第１のタイプのシステム情報を更新する、又は、
（ｉ＋１）番目の第１の周期の開始時における無線フレームのフレーム番号を決定し、決定されたフレーム番号に基づいて、無線フレームにおける第１のタイプのシステム情報を更新する
ように構成される。
【００７５】
第５の態様の第２、第３、第４、又は第５の可能な実装に関連して、第５の態様の第６の可能な実装において、処理ユニットは、さらに、
受信ユニットが、ｉ番目の第１の周期に、第１の変更指示を保持する、ネットワークデバイスによって送信されたページングメッセージを受信した後で、第１の変更指示が、次の第１の周期に送信される第１のタイプのシステム情報が変更される対象であることを示すために用いられる場合、又は、第１の変更指示が、次のＭＰに送信されるいずれかのシステム情報が変更される対象であることを示すために用いられる場合に、（ｉ＋１）番目の第１の周期に第２のタイプのシステム情報を更新することであって、第２のタイプのシステム情報は、第１のタイプのシステム情報以外のシステム情報を含む、更新すること、又は、
受信ユニットが、ｉ番目の第１の周期に、第１の変更指示を保持する、ネットワークデバイスによって送信されたページングメッセージを受信した後で、第１の変更指示が、次の第１の周期に送信される第１のタイプのシステム情報が変更される対象であることを示すために用いられる場合、又は、第１の変更指示が、次のＭＰに送信されるいずれかのシステム情報が変更される対象であることを示すために用いられる場合に、次のＭＰに第２のタイプのシステム情報を更新することであって、第２のタイプのシステム情報は、第１のタイプのシステム情報以外のシステム情報を含む、更新すること
を実行するように構成される。
【００７６】
第５の態様の第６の可能な実装に関連して、第５の態様の第７の可能な実装において、処理ユニットは、さらに、
第２のタイプのシステム情報を更新する前に、ページングメッセージが第２の変更指示をさらに保持すると決定することであって、第２の変更指示は、次のＭＰ又は次の第１の周期に送信される第２のタイプのシステム情報が変更される対象であることを示すために用いられる、決定すること
を実行するように構成される。
【００７７】
第５の態様の第１の可能な実装に関連して、第５の態様の第８の可能な実装において、ＤＲＸサイクルが第１の周期より長い場合に、
処理ユニットは、さらに、受信ユニットが、ｉ番目の第１の周期に、ネットワークデバイスによって送信された第１のメッセージを受信する前に、ｉ番目の第１の周期の開始時におけるスーパーフレームのフレーム番号を決定し、フレーム番号に基づいて、ネットワークデバイスによってスーパーフレームにおいて送信される第１のシステムメッセージの位置を決定する
ように構成され、
受信ユニットは、位置において、第１の変更指示を保持する第１のシステムメッセージを読み出すように構成される。
【００７８】
第５の態様の第１の可能な実装に関連して、第５の態様の第９の可能な実装において、ＤＲＸサイクルが第１の周期より長い場合に、
処理ユニットは、さらに、受信ユニットが、ｉ番目の第１の周期に、ネットワークデバイスによって送信された第１のメッセージを受信する前に、ｉ番目の第１の周期の開始時における無線フレームのフレーム番号を決定し、フレーム番号に基づいて、ネットワークデバイスによって無線フレームにおいて送信される第１のシステムメッセージの位置を決定する
ように構成され、
受信ユニットは、位置において、第１の変更指示を保持する第１のシステムメッセージを読み出すように構成される。
【００７９】
第５の態様の第８又は第９の可能な実装に関連して、第５の態様の第１０の可能な実装において、処理ユニットは、さらに、
第１の変更指示が、ネットワークデバイスによって現在送信されている第１のシステムメッセージ以外のシステム情報が端末デバイスに格納された第１のシステムメッセージ以外のシステム情報に対して変更されたことを示すために用いられる場合、又は、第１の変更指示が、ネットワークデバイスによって現在送信されている第１のシステムメッセージ以外の第２のタイプのシステム情報が端末デバイスに格納された第１のシステムメッセージ以外の第２のタイプのシステム情報に対して変更されたことを示すために用いられる場合に、第１のタイプのシステム情報が変更されたか否かを検出することであって、システム情報は、第１のタイプのシステム情報及び第２のタイプのシステム情報を含み、第２のタイプのシステム情報は、第１のタイプのシステム情報以外のシステム情報を含む、検出することと、
第１のタイプのシステム情報が変更された場合に、第１のタイプのシステム情報を更新することと、
を実行するように構成される。
【００８０】
第５の態様の第１０の可能な実装に関連して、第５の態様の第１１の可能な実装において、処理ユニットは、さらに、
第１の変更指示が、ネットワークデバイスによって現在送信されている第１のシステムメッセージ以外のシステム情報が端末デバイスに格納された第１のシステムメッセージ以外のシステム情報に対して変更されたことを示すために用いられる場合、又は、第１の変更指示が、ネットワークデバイスによって現在送信されている第１のシステムメッセージ以外の第２のタイプのシステム情報が端末デバイスに格納された第１のシステムメッセージ以外の第２のタイプのシステム情報に対して変更されたことを示すために用いられる場合に、第１のシステムメッセージ以外の第２のタイプのシステム情報が変更されたか否かを検出することと、
第１のシステムメッセージ以外の第２のタイプのシステム情報が変更された場合に、第１のシステムメッセージ以外の第２のタイプのシステム情報を更新することと、
を実行するように構成される。
【００８１】
第５の態様の第８又は第９の可能な実装に関連して、第５の態様の第１２の可能な実装において、処理ユニットは、さらに、
第１のシステムメッセージが第２の変更指示をさらに保持すると決定することと、
第２の変更指示が、ネットワークデバイスによって現在送信されている第１のタイプのシステム情報がネットワークデバイスによって前の第１の周期に送信された第１のタイプのシステム情報に対して変更されたことを示すために用いられる場合に、第１のタイプのシステム情報が変更されたか否かを検出することと、
第１のタイプのシステム情報が変更された場合に、第１のタイプのシステム情報を更新することと、
を実行するように構成される。
【００８２】
第５の態様の第１２の可能な実装に関連して、第５の態様の第１３の可能な実装において、処理ユニットは、さらに、
第１の変更指示が、ネットワークデバイスによって現在送信されている第１のシステムメッセージ以外のシステム情報が端末デバイスに格納された第１のシステムメッセージ以外のシステム情報に対して変更されたことを示すために用いられる場合、又は、第１の変更指示が、ネットワークデバイスによって現在送信されている第１のシステムメッセージ以外の第２のタイプのシステム情報が端末デバイスに格納された第１のシステムメッセージ以外の第２のタイプのシステム情報に対して変更されたことを示すために用いられる場合に、第１のシステムメッセージ以外の第２のタイプのシステム情報が変更されたか否かを検出することと、
第１のシステムメッセージ以外の第２のタイプのシステム情報が変更された場合に、第１のシステムメッセージ以外の第２のタイプのシステム情報を更新することと、
を実行するように構成される。
【００８３】
第５の態様又は第５の態様の第１から第１３の可能な実装のいずれか１つに関連して、第５の態様の第１４の可能な実装において、受信ユニットは、さらに、
ネットワークデバイスとのＲＲＣ接続を確立する前に、ネットワークデバイスによって送信された第１のシステムメッセージを読み出す
ように構成され、
処理ユニットは、さらに、
第１のシステムメッセージに保持された第１の変更指示が、ネットワークデバイスによって現在送信されている第１のシステムメッセージ以外のシステム情報が端末デバイスに格納された第１のシステムメッセージ以外のシステム情報に対して変更されたことを示すために用いられる場合に、第１のシステムメッセージ以外のシステム情報を更新することであって、システム情報は、第１のタイプのシステム情報及び第２のタイプのシステム情報を含み、第２のタイプのシステム情報は、第１のタイプのシステム情報以外のシステム情報を含む、更新すること、
を実行するように構成される。
【００８４】
第５の態様の第１４の可能な実装に関連して、第５の態様の第１５の可能な実装において、処理ユニットは、さらに、
更新されたシステム情報に基づいて、ネットワークデバイスとのＲＲＣ接続を確立する
ように構成される。
【００８５】
第５の態様又は第５の態様の第１から第１３の可能な実装のいずれか１つに関連して、第５の態様の第１６の可能な実装において、
受信ユニットは、さらに、
ネットワークデバイスとのＲＲＣ接続を確立する前に、ネットワークデバイスによって送信された第１のシステムメッセージを読み出す
ように構成され、
処理ユニットは、さらに、
第１のシステムメッセージに保持された第１の変更指示が、ネットワークデバイスによって現在送信されている第１のシステムメッセージ以外の第２のタイプのシステム情報が端末デバイスに格納された第１のシステムメッセージ以外の第２のタイプのシステム情報に対して変更されたことを示すために用いられる場合に、第１のシステムメッセージ以外の第２のタイプのシステム情報を更新することであって、システム情報は、第１のタイプのシステム情報及び第２のタイプのシステム情報を含み、第２のタイプのシステム情報は、第１のタイプのシステム情報以外のシステム情報を含む、更新すること
を実行するように構成される。
【００８６】
第５の態様の第１６の可能な実装に関連して、第５の態様の第１７の可能な実装において、処理ユニットは、さらに、
第１のシステムメッセージが第２の変更指示をさらに保持すると決定することと、
第２の変更指示が、ネットワークデバイスによって現在送信されている第１のタイプのシステム情報がネットワークデバイスによって前の第１の周期に送信された第１のタイプのシステム情報に対して変更されたことを示すために用いられる場合に、第１のタイプのシステム情報を更新することと、
を実行するように構成される。
【００８７】
第５の態様の第１７の可能な実装に関連して、第５の態様の第１８の可能な実装において、処理ユニットは、さらに、
更新されたシステム情報に基づいて、ネットワークデバイスとのＲＲＣ接続を確立する
ように構成される。
【００８８】
第６の態様によれば、他のネットワークデバイスが提供される。ネットワークデバイスは、
変更周期ＭＰに基づいて、第１のタイプのシステム情報を端末デバイスに送信するように構成される送信ユニットであって、ネットワークデバイスによって送信される第１のタイプのシステム情報の内容は、予め定められた期間変更されないままである、送信ユニット
を含む。
【図面の簡単な説明】
【００８９】
本発明の実施形態における技術的解決手段をより明確に説明すべく、以下、本発明の実施形態の説明に必要な添付図面を簡潔に説明する。以下の説明における添付図面は、本発明のいくつかの実施形態を示しているに過ぎず、当業者であれば、創造的努力なく、これらの添付図面から他の図面をさらに派生させ得ることは明らかである。
【００９０】
【図１】ＬＴＥにおいてページング構成情報を更新するプロセスの模式図である。
【００９１】
【図２】本発明の実施形態に係る第１のシステム情報送信方法のフローチャートである。
【００９２】
【図３】本発明の実施形態に係るシステム情報更新方法のフローチャートである。
【００９３】
【図４】本発明の実施形態に係る第２のシステム情報送信方法のフローチャートである。
【００９４】
【図５】本発明の実施形態に係るシステム情報更新プロセスのいくつかの模式図である。
【図６】本発明の実施形態に係るシステム情報更新プロセスのいくつかの模式図である。
【００９５】
【図７】本発明の実施形態に係るネットワークデバイスの構造ブロック図である。
【００９６】
【図８】本発明の実施形態に係る端末デバイスの構造ブロック図である。
【００９７】
【図９】本発明の実施形態に係るネットワークデバイスの模式構造図である。
【００９８】
【図１０】本発明の実施形態に係る端末デバイスの模式構造図である。
【発明を実施するための形態】
【００９９】
本発明の実施形態の目的、技術的解決手段、及び利点をより明確にすべく、以下、本発明の実施形態における添付図面に関連して、本発明の実施形態における技術的解決手段を明確かつ完全に説明する。説明される実施形態は、本発明の実施形態の一部であって全てではないことは明らかである。当業者によって本発明の実施形態に基づいて創造的努力なく得られた全ての他の実施形態は、本発明の実施形態の保護範囲に属するものとする。
【０１００】
本明細書において説明される技術は、様々な通信システム、例えば、ＬＴＥシステム、第５世代モバイル通信システム（５Ｇ）、及び他のこのような通信システムに適用されてよい。
【０１０１】
例えば、５Ｇの構成部分として、モノのインターネット（Ｉｎｔｅｒｎｅｔ  ｏｆ  Ｔｈｉｎｇｓ、ＩｏＴ）の市場における要求が、急速に高まっている。第３世代パートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、３ＧＰＰ）は、セルラネットワークに基づいて新たな無線インタフェースを設計することによって、ＩｏＴサービスを保持するために、ナローバンド技術の機能をいかにフル活用するかについて、現在研究を進めている。このようなＩｏＴは、ナローバンドのモノのインターネット（Ｎａｒｒｏｗ  Ｂａｎｄ−ＩｏＴ、ＮＢ‐ＩｏＴ）と称されている。従来のセルラネットワークと比較すると、ＮＢ‐ＩｏＴサービスは、概して、低速及び長い到着サイクルのような特徴を有する。従来のセルラネットワークと比較すると、ＮＢ‐ＩｏＴサービスは、より小さいデータパケットを生成し、通常、時間遅延に敏感ではない。さらに、ＮＢ‐ＩｏＴによれば、通常、端末デバイスの電力消費は、より低くて済む。これにより、端末デバイスのバッテリ電力が節約され、端末デバイスの極めて長い待機時間を保証し、これにより、バッテリ交換のための人件費を削減する。これらの前提の下、ＮＢ‐ＩｏＴにおける端末デバイスにいくつかの変化が生じる可能性がある。例えば、ＮＢ‐ＩｏＴサービスの低速及び長い到着サイクルのような特徴では、無線リソース制御＿アイドル（Ｒａｄｉｏ  Ｒｅｓｏｕｒｃｅ  Ｃｏｎｔｒｏｌ＿ＩＤＬＥ、ＲＲＣ＿ＩＤＬＥ）状態の端末デバイスに対し、比較的長いＤＲＸサイクルが用いられてよく、これにより、端末デバイスに対する不要なＰＤＣＣＨの監視が減少し、電力が節約され、端末デバイスの待機時間を可能な限り長くする。
【０１０２】
しかしながら、ＮＢ‐ＩｏＴでは、比較的長いＤＲＸサイクルに起因して、ページング周期（通常、ページング周期はＤＲＸサイクルにほぼ等しい）がシステム情報の変更周期（ＭＰ）より長くなる可能性がかなり高い。端末デバイスが、システム情報が変更される対象であることを通知するために用いられるページングメッセージを受信する前に、システム情報は、既に変更されていることがある。変更されたシステム情報がページング構成情報を含む場合、端末デバイスが、ＤＲＸサイクルが到来した場合に起動した後で、システム情報の受信に成功できると保証することができない。端末デバイスがシステム情報を受信できない場合、端末デバイスは、後続のページングメッセージを受信することができない。その結果、図１の問題が生じる。従って、本発明の実施形態における技術的解決手段は、ＮＢ‐ＩｏＴに適用される場合、比較的自明な利点を有することは明らかである。もちろん、ＮＢ‐ＩｏＴに加えて、本発明の実施形態における技術的解決手段は、ＬＴＥシステムのような他のネットワークシステムにさらに適用されてよい。
【０１０３】
以下、本発明の実施形態におけるいくつかの用語が、当業者がより良く理解することを助けるために説明される。
【０１０４】
（１）端末デバイスは、ユーザへの音声及び／又はデータ接続を提供するデバイスであり、例えば、無線接続機能を有するハンドヘルドデバイス又は無線モデムに接続された処理デバイスであってよい。端末デバイスは、無線アクセスネットワーク（Ｒａｄｉｏ  Ａｃｃｅｓｓ  Ｎｅｔｗｏｒｋ、ＲＡＮ）を用いることによって、コアネットワークと通信を行い、音声及び／又はデータをＲＡＮと交換してよい。端末デバイスは、ＵＥ、無線端末デバイス、モバイル端末デバイス、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ、ＡＰ）、リモート端末デバイス（Ｒｅｍｏｔｅ  Ｔｅｒｍｉｎａｌ）、アクセス端末デバイス（Ａｃｃｅｓｓ  Ｔｅｒｍｉｎａｌ）、ユーザ端末デバイス（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）等を含んでよい。例えば、端末デバイスは、携帯電話（又は「セルラ」フォンと称される）、モバイル端末デバイス付きコンピュータ、ＮＢ‐ＩｏＴにおける特別端末デバイス、及びポータブル、ポケットサイズ、ハンドヘルド、コンピュータビルトイン、又は車載型モバイル装置を含んでよい。例えば、端末デバイスは、パーソナル通信サービス（Ｐｅｒｓｏｎａｌ  Ｃｏｍｍｕｎｉｃａｔｉｏｎ  Ｓｅｒｖｉｃｅ、ＰＣＳ）フォン、コードレス電話、セッション開始プロトコル（ＳＩＰ）フォン、無線ローカルループ（Ｗｉｒｅｌｅｓｓ  Ｌｏｃａｌ  Ｌｏｏｐ、ＷＬＬ）局、又はパーソナルデジタルアシスタント（Ｐｅｒｓｏｎａｌ  Ｄｉｇｉｔａｌ  Ａｓｓｉｓｔａｎｔ、ＰＤＡ）のようなデバイスであってよい。
【０１０５】
（２）ネットワークデバイスは、例えば、基地局（例えばアクセスポイント）であり、具体的には、アクセスネットワークにおける無線インタフェースに対する１つ又は複数のセクタを用いることによって無線端末デバイスとの通信を行うデバイスであってよい。基地局は、受信された無線フレームをインターネットプロトコル（ＩＰ）パケットに、又は逆もまた同様に変換し、無線端末デバイスとアクセスネットワークの残りの部分との間でルータとして機能するように構成されてよい。アクセスネットワークの残りの部分は、ＩＰネットワークを含んでよい。基地局は、無線インタフェースの属性管理をさらに調整してよい。例えば、基地局は、ＬＴＥアドバンスドシステム（ＬＴＥ−Ａｄｖａｎｃｅｄ、ＬＴＥ−Ａ）における発展型ＮｏｄｅＢ（ＮｏｄｅＢ、ｅＮＢ、又はｅ−ＮｏｄｅＢ、ｅｖｏｌｖｅｄ  ＮｏｄｅＢ）であってよい。これは、本発明の実施形態において限定されるものではない。
【０１０６】
（３）本発明の実施形態において、内容の分割に基づいて、システム情報は、第１のタイプのシステム情報及び第２のタイプのシステム情報を含んでよい。
【０１０７】
第１のタイプのシステム情報は、ページング構成情報と、端末デバイスが適時的に取得することが必要な他のシステム情報とを含んでよい。ページング構成情報は、ページング関連システム情報を含んでよく、例えば、ページング制御チャネル（Ｐａｇｉｎｇ  Ｃｏｎｔｒｏｌ  Ｃｈａｎｎｅｌ、ＰＣＣＨ）構成情報、ページングメッセージが位置する時間周波数リソースについての情報、ページングメッセージが端末デバイスに反復送信される回数、ページングウィンドウ（Ｐａｇｉｎｇ  Ｗｉｎｄｏｗ）のウィンドウ長、ページングウィンドウにおける短ＤＲＸサイクル、及び第１のタイプのシステム情報に対して再設定された変更周期の少なくとも１つを含んでよい。もちろん、ページング構成情報は、他の可能なページング関連システム情報をさらに含んでよい。
【０１０８】
第２のタイプのシステム情報は、第１のタイプのシステム情報以外のシステム情報を含んでよい。
【０１０９】
（４）本発明の実施形態において、第１のシステムメッセージは、例えば、マスタ情報ブロック（ｍａｓｔｅｒ  ｉｎｆｏｒｍａｔｉｏｎ  ｂｌｏｃｋ、ＭＩＢ）メッセージ及び／又はシステム情報ブロック（Ｓｙｓｔｅｍ  Ｉｎｆｏｒｍａｔｉｏｎ  Ｂｌｏｃｋ、ＳＩＢ）メッセージを含んでよく、他の可能なシステムメッセージをさらに含んでよい。ＳＩＢメッセージは、例えば、ＳＩＢ１メッセージを含んでよく、もちろん、他のＳＩＢメッセージをさらに含んでよい。
【０１１０】
（５）「システム」及び「ネットワーク」という用語は、本発明の実施形態において互換的に用いられてよい。「複数の」は、２つ又は２つより多いことを意味する。「及び／又は」という用語は、関連オブジェクトを説明するための対応関係を説明し、３つの関係が存在し得ることを表す。例えば、Ａ及び／又はＢは、以下の３つの場合、すなわち、Ａのみが存在すること、Ａ及びＢの両方が存在すること、ならびにＢのみが存在することを表してよい。さらに、「／」という記号は、概して、別段の規定がない限り、関連オブジェクト間の「又は」という関係を示す。
【０１１１】
以下、本明細書に関連して、本発明の実施形態をさらに詳細に説明する。
【０１１２】
図２を参照すると、第１のシステム情報送信方法が提供される。方法の手順が、以下の通り説明される。
【０１１３】
段階２０１：ネットワークデバイスは、第１の周期に基づいて、第１のタイプのシステム情報を端末デバイスに送信する。ネットワークデバイスによって送信される第１のタイプのシステム情報の内容は、１つの第１の周期において変更されないままであり、第１の周期は、端末デバイスに対して構成可能な最大ＤＲＸサイクルである、又は、第１の周期は、ネットワークデバイスによって第１のタイプのシステム情報に対して設定される変更周期である。
【０１１４】
図３を参照すると、同じ発明の概念に基づいて、システム情報更新方法が提供される。方法の手順が、以下の通り説明される。
【０１１５】
段階３０１：端末デバイスは、ｉ番目の第１の周期に、ネットワークデバイスによって送信された第１のメッセージを受信する。第１のメッセージは、第１の変更指示を保持し、第１の周期は、ネットワークデバイスによって第１のタイプのシステム情報に対して設定される変更周期であり、ｉは、正の整数である。
【０１１６】
段階３０２：端末デバイスは、第１の変更指示に基づいて、第１のタイプのシステム情報を更新するか否かを決定する。第１の変更指示は、第１のタイプのシステム情報の変更ステータスを示すために用いられる、又は、第１の変更指示は、いずれかのシステム情報の変更ステータスを示すために用いられる。
【０１１７】
図４を参照すると、同じ発明の概念に基づいて、第２のシステム情報送信方法が提供される。方法の手順が、以下の通り説明される。
【０１１８】
段階４０１：ネットワークデバイスは、ＭＰに基づいて、第１のタイプのシステム情報を端末デバイスに送信する。ネットワークデバイスによって送信される第１のタイプのシステム情報の内容は、予め定められた期間変更されないままである。
【０１１９】
任意選択的に、予め定められた期間は、ネットワークデバイスによってデフォルト設定されたＤＲＸサイクルの整数倍、又はＭＰの整数倍であってよい。例えば、予め定められた期間は、端末デバイスに対して構成可能な最大ＤＲＸサイクルであってよい。予め定められた期間及びＭＰの値の間には、任意の関係があってよい。
【０１２０】
図２、図３、及び図４の方法は、対応する方法であり、共に後述される。
【０１２１】
任意選択的に、第１の周期は、ネットワークデバイスによってデフォルト設定されたＤＲＸサイクルの整数倍、又はＭＰの整数倍であってよい。
【０１２２】
第１の周期が端末デバイスに対して構成可能な最大ＤＲＸサイクルである場合、端末デバイスのＤＲＸサイクルがＭＰより長い場合は第１のタイプのシステム情報の変更ステータス（例えば、ページング構成情報を含む）がなお確実に、適時的に取得可能であることを保証することができ、これにより、ページング構成情報を適時的に更新し、後続のページングメッセージの取得失敗を回避する。しかしながら、実装中に比較的大きな制限が、この方式に課されることがある。従って、第１の周期がネットワークデバイスによって第１のタイプのシステム情報に対して設定される変更周期である場合が、主に後述される。
【０１２３】
ＤＲＸサイクル、ＭＰ、及び第１の周期の値の間の関係に基づいて、説明が、以下のいくつかの場合に基づいて提供される。端末デバイスは、ＤＲＸサイクルを構成し、ＤＲＸサイクルをコアネットワークデバイスに報告する。コアネットワークデバイスは、ＤＲＸサイクルをネットワークデバイス（基地局が、本発明の実施形態においてネットワークデバイスの例として用いられる）に伝送してよい。ネットワークデバイスはＭＰを構成し、必要とされる場合（すなわち、ＤＲＸサイクルがＭＰより長い場合）には、第１の周期をさらに構成してよい。ネットワークデバイスは、ＭＰ及び第１の周期を端末デバイスに通知してよい。
【０１２４】
１．ケース１：端末デバイスに対して構成されるＤＲＸサイクルは、第１の周期より短い又はこれと等しい。
【０１２５】
任意選択的に、この場合、ＤＲＸサイクルは、第２のタイプのシステム情報のＭＰより短い又はこれと等しくてよい、又は、ＭＰより長くてよい。
【０１２６】
この場合、ネットワークデバイスは、ページングメッセージを端末デバイスに送信してよい。例えば、図５を参照すると、ネットワークデバイスは、ｉ番目の第１の周期に、ページングメッセージを端末デバイスに送信する（これは、ネットワークデバイスによって送信されたいくつかのページングメッセージが、ｉ番目の第１の周期に該当することを意味しているに過ぎず、ページング周期が第１の周期であることを意味するものではなく、通常、ページング周期は、ＤＲＸサイクルにほぼ等しくてよい）。例えば、ページングメッセージは、図５において小さいブロックによって表されており、ｉは、正の整数である。ネットワークデバイスは、第１のタイプのシステム情報が第１の周期において変更されないままであることを保証する必要があり、第１のタイプのシステム情報が変更される対象である場合、ネットワークデバイスは、前の第１の周期に端末デバイスに通知する必要がある。第１のタイプのシステム情報がページング構成情報を含む例において、ページング構成情報が（ｉ＋１）番目の第１の周期に変更される対象である場合、ページング構成情報の変更ステータスは、ｉ番目の第１の周期にネットワークデバイスによって送信されるページングメッセージを用いることによって、通知される必要がある。
【０１２７】
任意選択的に、ｉ番目の第１の周期に送信されるページングメッセージは、第１の変更指示を保持してよい。第１の変更指示は、次の第１の周期に送信される第１のタイプのシステム情報が変更される対象であるか否かを示すために用いられてよい、又は、第１の変更指示は、次のＭＰに送信されるいずれかのシステム情報が変更される対象か否かを示すために用いられてよい。例えば、第１の変更指示は、１ビット（ｂｉｔ）を占有してよい。例えば、第１の変更指示の値が「０」の場合、これは、次の第１の周期に送信される第１のタイプのシステム情報が変更される対象ではないことを示す、又は、次のＭＰに送信されるいずれかのシステム情報が変更される対象ではないことを示す。第１の変更指示の値が「１」の場合、これは、次の第１の周期に送信される第１のタイプのシステム情報が変更される対象であることを示す、又は、次のＭＰに送信されるいずれかのシステム情報が変更される対象であることを示す。図５の例において、端末デバイスは、ｉ番目の第１の周期にページングメッセージ１及びページングメッセージ２を受信してよい。ページングメッセージ１は、端末デバイスがＤＲＸサイクルに入る前に受信され、ページングメッセージ２は、ＤＲＸサイクルから端末デバイスが起動した後で受信される。例えば、第１のタイプのシステム情報は、（ｉ＋１）番目の第１の周期に変更される対象である。従って、ページングメッセージ１及びページングメッセージ２に保持される第１の変更指示の値が両方とも「１」の場合、端末デバイスは、第１のタイプのシステム情報が次の第１の周期に変更される対象ではないと決定する、又は、次のＭＰに送信されるいずれかのシステム情報が変更される対象であると決定する。この場合、端末デバイスは、（ｉ＋１）番目の第１の周期に第１のタイプのシステム情報を更新してよい。
【０１２８】
任意選択的に、第１の変更指示は、次のＭＰに送信されるいずれかのシステム情報が変更される対象であるか否かを示すために用いられてよい。例えば、第１の変更指示は、１ビットを占有する。この場合、システム情報の少なくとも１つのタイプが変更されたことを前提として、第１の変更指示の値は「１」であってよい。具体的には、これは、変更されたシステム情報のタイプを一意に示すのではなく、一様な指示の方式である。
【０１２９】
任意選択的に、端末デバイスが、ページングメッセージに保持される第１の変更指示に基づいて、次の第１の周期の第１のタイプのシステム情報が変更される対象である、又は、次のＭＰに送信されるいずれかのシステム情報が変更される対象であると決定した場合に、端末デバイスは、（ｉ＋１）番目の第１の周期の開始時におけるスーパーフレームのフレーム番号を決定してよい。端末デバイスは、決定されたフレーム番号に基づいて、スーパーフレームにおける第１のタイプのシステム情報を更新してよく、例えば、図５に示される（ｉ＋１）番目の第１の周期の開始時の境界において、第１のタイプのシステム情報を更新してよい。このように、端末デバイスは、後続のページングメッセージ３、ページングメッセージ４、及びページングメッセージ５を標準的に受信することができる。端末デバイスは、フレーム番号を決定することによって、比較的正確な位置で、第１のタイプのシステム情報を受信することができる。
【０１３０】
任意選択的に、端末デバイスは、以下の式に従って、（ｉ＋１）番目の第１の周期の開始時におけるスーパーフレームのフレーム番号を決定してよい。
Ｈ−ＳＦＮ  ｍｏｄ  Ｐ−ＭＰ  ＝  ０  （１）
【０１３１】
式（１）において、Ｈ−ＳＦＮはスーパーフレームの番号を表し、Ｐ−ＭＰは第１の周期を表し、ｍｏｄは、剰余演算を表す。
【０１３２】
任意選択的に、端末デバイスが、ページングメッセージに保持される第１の変更指示に基づいて、次の第１の周期の第１のタイプのシステム情報が変更される対象である、又は、次のＭＰに送信されるいずれかのシステム情報が変更される対象であると決定した場合に、端末デバイスは、（ｉ＋１）番目の第１の周期の開始時における無線フレームのフレーム番号を決定してよい。端末デバイスは、決定されたフレーム番号に基づいて、無線フレームにおける第１のタイプのシステム情報を更新してよく、例えば、図５に示される（ｉ＋１）番目の第１の周期の開始時の境界において、第１のタイプのシステム情報を更新してよい。このように、端末デバイスは、後続のページングメッセージ３、ページングメッセージ４、及びページングメッセージ５を標準的に受信することができる。端末デバイスは、フレーム番号を決定することによって、比較的正確な位置で、第１のタイプのシステム情報を受信することができる。
【０１３３】
任意選択的に、第１のタイプのシステム情報及び第２のタイプのシステム情報は両方とも、システム情報に属する。第１のタイプのシステム情報が変更される場合、第２のタイプのシステム情報も変更されてよい。この場合、可能な限り最新のシステム情報を取得するために、端末デバイスが、次の第１の周期の第１のタイプのシステム情報が変更される対象である、又は、次のＭＰに送信されるいずれかのシステム情報が変更される対象であると決定する場合、第１のタイプのシステム情報に加えて、端末デバイスは、（ｉ＋１）番目の周期に第２のタイプのシステム情報をさらに更新してよい、又は、次のＭＰに第２のタイプのシステム情報をさらに更新してよい。例えば、端末デバイスは、１つのＭＰにページングメッセージを受信し、次のＭＰに第２のタイプのシステム情報を更新してよい。
【０１３４】
任意選択的に、端末デバイスが（ｉ＋１）番目の周期に第２のタイプのシステム情報を更新する場合、端末デバイスは、（ｉ＋１）番目の第１の周期の開始時におけるスーパーフレームのフレーム番号を決定してよい。すなわち、スーパーフレームのフレーム番号を決定した後で、端末デバイスは、スーパーフレームにおける第１のタイプのシステム情報の更新に加えて、スーパーフレームにおける第２のタイプのシステム情報をさらに更新してよい。
【０１３５】
任意選択的に、端末デバイスが（ｉ＋１）番目の周期に第２のタイプのシステム情報を更新する場合、端末デバイスは、（ｉ＋１）番目の第１の周期の開始時における無線フレームのフレーム番号を決定してよい。すなわち、無線フレームのフレーム番号を決定した後で、端末デバイスは、無線フレームにおける第１のタイプのシステム情報の更新に加えて、無線フレームにおける第２のタイプのシステム情報をさらに更新してよい。
【０１３６】
任意選択的に、第１の変更指示に加えて、ページングメッセージは、第２の変更指示をさらに保持してよい。第２の変更指示は、次のＭＰ又は次の第１の周期に送信される第２のタイプのシステム情報が変更される対象であるか否かを示すために用いられてよい。第２の変更指示も、例えば、１ビットを占有してよい。第２の変更指示の値が「０」の場合、これは、次のＭＰ又は次の第１の周期に送信される第２のタイプのシステム情報が変更される対象ではないことを示す。第２の変更指示の値が「１」の場合、これは、次のＭＰ又は次の第１の周期に送信される第２のタイプのシステム情報が変更される対象であることを示す。この場合、端末デバイスは、次のＭＰ（例えば、次のＭＰの開始時の境界において）又は次の第１の周期に、第２のタイプのシステム情報を更新してよい。
【０１３７】
ページングメッセージが第１の変更指示及び第２の変更指示を保持する場合、端末デバイスは、第１の変更指示に基づいて、第１のタイプのシステム情報を更新するか否かを決定し、第２の変更指示に基づいて、第２のタイプのシステム情報を更新するか否かを決定してよい。例えば、第１の変更指示及び第２の変更指示の値が両方とも「０」の場合、端末デバイスは、第１のタイプのシステム情報又は第２のタイプのシステム情報のどちらも変更される対象ではないと決定し、端末デバイスは、第１のタイプのシステム情報及び第２のタイプのシステム情報を更新しなくてよい。第１の変更指示及び第２の変更指示の値が両方とも「１」の場合、端末デバイスは、第１のタイプのシステム情報が次の第１の周期に変更される対象である（又は、次のＭＰに送信されるいずれかのシステム情報が変更される対象である）と決定し、第２のタイプのシステム情報が次のＭＰ又は次の第１の周期に変更される対象であると決定する。端末デバイスは、次の第１の周期に第１のタイプのシステム情報を更新し、次のＭＰ又は次の第１の周期に第２のタイプのシステム情報を更新してよい。第１の変更指示の値が「０」であり、第２の変更指示の値が「１」である場合、端末デバイスは、第１のタイプのシステム情報が次の第１の周期に変更される対象ではない（又は、次のＭＰに送信されるいずれかのシステム情報が変更される対象ではない）と決定し、第２のタイプのシステム情報が次のＭＰ又は次の第１の周期に変更される対象であると決定する。端末デバイスは、第１のタイプのシステム情報を更新せず、次のＭＰ又は次の第１の周期に第２のタイプのシステム情報を更新してよい。第１の変更指示の値が「１」であり、第２の変更指示の値が「０」である場合、端末デバイスは、第１のタイプのシステム情報が次の第１の周期に変更される対象である（又は、次のＭＰに送信されるいずれかのシステム情報が変更される対象である）と決定し、第２のタイプのシステム情報が次のＭＰ又は次の第１の周期に変更される対象ではないと決定する。端末デバイスは、第１のタイプのシステム情報を次の第１の周期に更新してよく、第２のタイプのシステム情報を更新しなくてよい。
【０１３８】
第１のタイプのシステム情報及び第２のタイプのシステム情報の変更ステータスは、第１の変更指示及び第２の変更指示を用いることによって、それぞれ示されてよい。指示は、より正確であり、端末デバイスは、ターゲットの更新を実行してよい。
【０１３９】
２．ケース２：端末デバイスに対して構成されるＤＲＸサイクルは、第２のタイプのシステム情報のＭＰより長く、ＤＲＸサイクルが第１の周期より長い。
【０１４０】
この場合、ネットワークデバイスは、第１のシステムメッセージを端末デバイスに送信してよい。例えば、図６を参照すると、ネットワークデバイスは、ｉ番目の第１の周期に、第１のシステムメッセージを端末デバイスに送信する（これは、ネットワークデバイスによって送信されるいくつかの第１のシステムメッセージがｉ番目の第１の周期に該当することを意味しているに過ぎず、第１のシステムメッセージの送信周期が第１の周期であることを意味するものではない）。例えば、第１のシステムメッセージは、図６において矢印が指すものであり、ｉは、正の整数である。ネットワークデバイスは、第１のタイプのシステム情報が第１の周期において変更されないままであることを保証する必要がない。
【０１４１】
ネットワークデバイスは、第１のシステムメッセージをブロードキャスト（又は他の方式）で送信してよい。従って、ネットワークデバイスが第１のシステムメッセージを送信する時は、端末デバイスのＤＲＸサイクル、ＭＰ、及び第１の周期の間の関係に依存しない。本発明の実施形態において、第１のシステムメッセージは、端末デバイスに対して構成されるＤＲＸサイクルが第２のタイプのシステム情報のＭＰより長く、ＤＲＸサイクルが第１の周期より長い場合にのみ、用いられる必要がある。
【０１４２】
任意選択的に、第１のシステムメッセージは、第１の変更指示を保持してよい。第１の変更指示は、ネットワークデバイスによって現在送信されている第１のシステムメッセージ以外のシステム情報が、端末デバイスに格納された第１のシステムメッセージ以外のシステム情報に対して変更されたか否かを示すために用いられる、又は、第１の変更指示は、ネットワークデバイスによって現在送信されている第１のシステムメッセージ以外の第２のタイプのシステム情報が、端末デバイスに格納された第１のシステムメッセージ以外の第２のタイプのシステム情報に対して変更されたか否かを示すために用いられる。
【０１４３】
例えば、第１のシステムメッセージがＭＩＢメッセージを含む場合、第１の変更指示は、ＭＩＢメッセージにおけるシステム情報識別子（ｓｙｓｔｅｍＩｎｆｏＶａｌｕｅＴａｇ、ＶＴ）であってよい。ＭＩＢメッセージにおけるｓｙｓｔｅｍＩｎｆｏＶａｌｕｅＴａｇの値が端末デバイスに格納されたｓｙｓｔｅｍＩｎｆｏＶａｌｕｅＴａｇの値と異なる場合、端末デバイスは、第１のシステムメッセージ以外のシステム情報が変更されたと決定する、又は、第１のシステムメッセージ以外の第２のタイプのシステム情報が変更されたと決定する。ＭＩＢメッセージにおけるｓｙｓｔｅｍＩｎｆｏＶａｌｕｅＴａｇの値が端末デバイスに格納されたｓｙｓｔｅｍＩｎｆｏＶａｌｕｅＴａｇの値と同じ場合、端末デバイスは、第１のシステムメッセージ以外のシステム情報が変更されなかったと決定する、又は、第１のシステムメッセージ以外の第２のタイプのシステム情報が変更されなかったと決定する。第１のシステムメッセージが他のメッセージである場合、第１の変更指示は、他の対応する表現形式を有してよい。例えば、第１の変更指示は、１ビットで表されてよい。
【０１４４】
例えば、第１のシステムメッセージがＳＩＢ１メッセージを含む場合、第１の変更指示は、ＳＩＢ１メッセージ及びＭＩＢメッセージ以外のシステム情報が変更されたか否かを示すために用いられてよい。
【０１４５】
ケース１では、ネットワークデバイスは第１のシステムメッセージも送信し、ケース２では、ネットワークデバイスは（図６において小さいブロックによって示されるページングメッセージ１及びページングメッセージ２のような）ページングメッセージも送信することに留意されたい。
【０１４６】
任意選択的に、ＤＲＸサイクルが第１の周期より長く、端末デバイスが厳密にＤＲＸサイクルに基づいてハイバネートする場合、いくつかの第１のシステムメッセージが取得失敗することがある。第１のシステムメッセージが第１のタイプのシステム情報の変更を示す場合、端末デバイスは、後続のページングメッセージを取得失敗することがある。従って、ＤＲＸサイクルが第１の周期より長い場合、端末デバイスは、最初に、ｉ番目の第１の周期の開始時におけるスーパーフレームのフレーム番号を決定（又は、ｉ番目の第１の周期の開始時における無線フレームのフレーム番号を決定）することにより、端末デバイスは、フレーム番号に基づいて、ネットワークデバイスによってスーパーフレーム（又は無線フレーム）において送信される第１のシステムメッセージの位置を決定してよい。例えば、端末デバイスは、決定された位置に基づいて、ｉ番目の第１の周期に起動（又は予め起動）し、当該位置において、第１の変更指示を保持する第１のシステムメッセージを読み出し（又は受信と称される）てよい。第１のタイプのシステム情報が１つの第１の周期において変更されないままであるので、端末デバイスが、各第１の周期において、第１の変更指示を保持する第１のシステムメッセージを読み出す場合、端末デバイスは、変更された第１のタイプのシステム情報を取得失敗しなくてよく、これにより、後続のページングメッセージが標準的に受信可能となることを保証する。
【０１４７】
任意選択的に、端末デバイスは、さらに式（１）に従って、スーパーフレームの番号を計算してよい。
【０１４８】
任意選択的に、図６の例において、端末デバイスは、ＤＲＸサイクルの開始時（図６において、（ｉ−１）番目の第１の周期の開始時であってよい）に、第１のシステムメッセージ１を受信する。例えば、第１のシステムメッセージ１に保持される第１の変更指示は、ネットワークデバイスによって現在送信されている第１のシステムメッセージ以外のシステム情報が、端末デバイスに格納された第１のシステムメッセージ以外のシステム情報に対して変更されなかったことを示すために用いられる、又は、第１の変更指示は、ネットワークデバイスによって現在送信されている第１のシステムメッセージ以外の第２のタイプのシステム情報が、端末デバイスに格納された第１のシステムメッセージ以外の第２のタイプのシステム情報に対して変更されなかったことを示すために用いられる。端末デバイスは、ＤＲＸサイクルに入る。ＤＲＸサイクルに入る前、あるいは、ハイバネーション前として理解され得る状態において、端末デバイスは、ｉ番目の第１の周期の開始時におけるスーパーフレームのフレーム番号（又は無線フレームのフレーム番号）を決定してよい。これにより、端末デバイスは、フレーム番号に基づいて、ネットワークデバイスによってスーパーフレーム（又は無線フレーム）において送信される第１のシステムメッセージの位置を決定してよい。端末デバイスは、決定された位置に基づいて、ｉ番目の第１の周期に予め起動し、決定された位置において、第１の変更指示を保持する第１のシステムメッセージを読み出す、すなわち、図６に示される第１のシステムメッセージ２を読み出してよい。例えば、第１のシステムメッセージ２に保持される第１の変更指示は、ネットワークデバイスによって現在送信されている第１のシステムメッセージ以外のシステム情報が端末デバイスに格納された第１のシステムメッセージ以外のシステム情報に対して変更されなかったことを示すために用いられる、又は、第１の変更指示は、ネットワークデバイスによって現在送信されている第１のシステムメッセージ以外の第２のタイプのシステム情報が端末デバイスに格納された第１のシステムメッセージ以外の第２のタイプのシステム情報に対して変更されなかったことを示すために用いられる。端末デバイスは、ＤＲＸサイクルを継続する。図６の例において、端末デバイスは１つのＤＲＸサイクルで一度起動することだけを必要とするので、端末デバイスは、ＤＲＸサイクルにおいて再度起動する必要はない。（第１の周期は要件に応じて設定されてよいので、端末デバイスの１つのＤＲＸサイクルは、複数の第１の周期をさらに含んでよい。この場合、端末デバイスは、複数回の起動を必要とすることがあり、起動方式は同様である。詳細は、さらには説明されない。）ＤＲＸサイクルの終わり、あるいは、次のＤＲＸサイクルの開始時として理解される（図６では、ｉ番目の第１の周期の終わりにおける境界でもある、あるいは、（ｉ＋１）番目の第１の周期の開始時における境界として理解される）状態において、端末デバイスは、第１の変更指示を保持する第１のシステムメッセージ、すなわち、図６に示される第１のシステムメッセージ３を読み出してよい。例えば、第１のシステムメッセージ３に保持される第１の変更指示は、ネットワークデバイスによって現在送信されている第１のシステムメッセージ以外のシステム情報が端末デバイスに格納された第１のシステムメッセージ以外のシステム情報に対して変更されたことを示すために用いられる、又は、第１の変更指示は、ネットワークデバイスによって現在送信されている第１のシステムメッセージ以外の第２のタイプのシステム情報が端末デバイスに格納された第１のシステムメッセージ以外の第２のタイプのシステム情報に対して変更されたことを示すために用いられる。この場合、端末デバイスは、第１のタイプのシステム情報が変更されたか否かを検出してよい。第１のタイプのシステム情報が変更されたと決定した場合、端末デバイスは、第１のタイプのシステム情報を更新してよい。第２のタイプのシステム情報が端末デバイスによって予め起動していたことにより受信されたか、又は、第１のシステムメッセージが端末デバイスによって標準的に受信されたかに関わらず、保持された第１の変更指示が、ネットワークデバイスによって現在送信されている第１のシステムメッセージ以外のシステム情報が、端末デバイスに格納された第１のシステムメッセージ以外のシステム情報に対して変更されたか否かを示すために用いられる、又は、ネットワークデバイスによって現在送信されている第１のシステムメッセージ以外の第２のタイプのシステム情報が、端末デバイスに格納された第１のシステムメッセージ以外の第２のタイプのシステム情報に対して変更されたか否かを示すために用いられることを前提として、端末デバイスは、第１のタイプのシステム情報が変更されたか否かを検出することができる。第１のタイプのシステム情報が変更されたと決定した場合、端末デバイスは、第１のタイプのシステム情報を直ちに更新してよい。このように、端末デバイスは、ページングメッセージ２及びページングメッセージ３のような後続のページングメッセージを標準的に受信することができる。通常、第１のタイプのシステム情報を更新した後で、端末デバイスは、ＤＲＸサイクルを継続することができる。端末デバイスは、後続の第１のシステムメッセージ４、第１のシステムメッセージ５等を同様の方式で継続して読み出してよく、詳細は、さらには説明されない。
【０１４９】
任意選択的に、第１のタイプのシステム情報及び第２のタイプのシステム情報は両方とも、システム情報に属する。第１のタイプのシステム情報が変更される場合、第２のタイプのシステム情報も変更されてよい。この場合、可能な限り最新のシステム情報を取得するために、端末デバイスが、ネットワークデバイスによって現在送信されている第１のシステムメッセージ以外のシステム情報が端末デバイスに格納された第１のシステムメッセージ以外のシステム情報に対して変更されたと決定する、又は、ネットワークデバイスによって現在送信されている第１のシステムメッセージ以外の第２のタイプのシステム情報が端末デバイスに格納された第１のシステムメッセージ以外の第２のタイプのシステム情報に対して変更されたと決定した場合、第１のタイプのシステム情報が変更されたか否かを検出することに加えて、端末デバイスは、第１のシステムメッセージ以外の第２のタイプのシステム情報が変更されたか否かをさらに検出してよい。第１のシステムメッセージ以外の第２のタイプのシステム情報が変更された場合、端末デバイスは、第１のシステムメッセージ以外の第２のタイプのシステム情報を直ちに更新してよい。
【０１５０】
任意選択的に、第１の変更指示に加えて、第１のシステムメッセージは、第２の変更指示をさらに保持してよい。第２の変更指示は、ネットワークデバイスによって現在送信されている第１のタイプのシステム情報が、ネットワークデバイスによって前の第１の周期に送信された第１のタイプのシステム情報に対して変更されたか否かを示すために用いられてよい。すなわち、第２の変更指示は、第１のタイプのシステム情報を特に示すために用いられてよい。この理由は、第１のタイプのシステム情報の更新が、後続のページングメッセージが標準的に受信可能であるか否かに関するからである。従って、第１のタイプのシステム情報を特に示すために第２の変更指示を用いることによって、より良い指示の効果を得ることができる。
【０１５１】
任意選択的に、第２の変更指示は、例えば１ビットを占有してよい。第２の変更指示の値が「０」の場合、これは、ネットワークデバイスによって現在送信されている第１のタイプのシステム情報が、ネットワークデバイスによって前の第１の周期に送信された第１のタイプのシステム情報に対して変更されなかったことを示す。第２の変更指示の値が「１」の場合、これは、ネットワークデバイスによって現在送信されている第１のタイプのシステム情報が、ネットワークデバイスによって前の第１の周期に送信された第１のタイプのシステム情報に対して変更されたことを示す。この場合、端末デバイスは、第１のタイプのシステム情報を直ちに更新してよい。
【０１５２】
第１のシステムメッセージが第１の変更指示及び第２の変更指示を保持する場合、端末デバイスは、第１の変更指示に基づいて、第１のシステムメッセージ以外の第２のタイプのシステム情報を更新するか否かを決定し、第２の変更指示に基づいて、第１のタイプのシステム情報を更新するか否かを決定してよい。
【０１５３】
任意選択的に、第１の変更指示は、ＭＩＢメッセージ又はＳＩＢ１メッセージに保持されてよく、第２の変更指示は、ＭＩＢメッセージ又はＳＩＢ１メッセージに保持されてよい。第１の変更指示及び第２の変更指示は、同じメッセージに保持されてよい。例えば、両方とも、ＭＩＢメッセージ又はＳＩＢ１メッセージに保持されてよい。あるいは、第１の変更指示及び第２の変更指示は、異なるメッセージに保持されてよい。例えば、第１の変更指示はＭＩＢメッセージに保持されてよく、第２の変更指示はＳＩＢ１メッセージに保持されてよい。あるいは、第１の変更指示はＳＩＢ１メッセージに保持されてよく、第２の変更指示はＭＩＢメッセージに保持されてよい。
【０１５４】
ケース１であるか、又はケース２であるかに関わらず、ネットワークデバイスとのＲＲＣ接続を確立する前に、端末デバイスは、ネットワークデバイスによって送信された第１のシステムメッセージを読み出すことができる。
【０１５５】
任意選択的に、第１のシステムメッセージに保持される第１の変更指示が、ネットワークデバイスによって現在送信されている第１のシステムメッセージ以外のシステム情報が端末デバイスに格納された第１のシステムメッセージ以外のシステム情報に対して変更されたことを示すために用いられる場合、端末デバイスは、第１のシステムメッセージ以外のシステム情報を更新してよく、端末デバイスは、更新されたシステム情報に基づいて、ネットワークデバイスとのＲＲＣ接続を確立してよい。このように、更新された第１のタイプのシステム情報を用いることによって、ネットワークデバイスとのＲＲＣ接続が確立可能であることをさらに保証することができ、これにより、ＲＲＣ接続確立の成功率を保証する。
【０１５６】
任意選択的に、第１のシステムメッセージに保持される第１の変更指示が、ネットワークデバイスによって現在送信されている第１のシステムメッセージ以外の第２のタイプのシステム情報が端末デバイスに格納された第１のシステムメッセージ以外の第２のタイプのシステム情報に対して変更されたことを示すために用いられる場合、端末デバイスは、第１のシステムメッセージ以外の第２のタイプのシステム情報を更新してよい。この場合、第１のシステムメッセージは、第２の変更指示をさらに保持してよい。第２の変更指示は、ネットワークデバイスによって現在送信されている第１のタイプのシステム情報が、ネットワークデバイスによって前の第１の周期に送信された第１のタイプのシステム情報に対して変更されたか否かを示すために用いられてよい。第２の変更指示が、ネットワークデバイスによって現在送信されている第１のタイプのシステム情報がネットワークデバイスによって前の第１の周期に送信された第１のタイプのシステム情報に対して変更されたことを示すために用いられる場合、端末デバイスは、第１のタイプのシステム情報を更新してよい。端末デバイスは、更新されたシステム情報に基づいて、ネットワークデバイスとのＲＲＣ接続を確立することができる。
【０１５７】
以下、添付図面に関連して、本発明の実施形態において提供されるデバイスを説明する。
【０１５８】
図７を参照すると、同じ発明の概念に基づいて、ネットワークデバイスが提供される。ネットワークデバイスは、送信ユニット７０１を含んでよい。任意選択的に、ネットワークデバイスは、処理ユニット７０２をさらに含んでよい。例えば、処理ユニット７０２は、第１のタイプのシステム情報に対して第１の周期を設定するように構成されてよい。
【０１５９】
ネットワークデバイスは、図２から図６の方法を実行するように構成されてよい。従って、ネットワークデバイスのユニットによって実装される機能については、前述の方法部分の説明を参照されたく、詳細は、さらには説明されない。
【０１６０】
図８を参照すると、図８は、図７に示されるネットワークデバイスの可能なエンティティの模式構造図である。実際の適用において、送信ユニット７０１に対応する物理的デバイスは、送信器８０１であってよく、処理ユニット７０２に対応する物理的デバイスは、プロセッサ８０２であってよい。
【０１６１】
プロセッサ８０２は、例えば、中央処理装置（ＣＰＵ）又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）を含んでよく、制御プログラム、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、又はベースバンドチップを用いることによって開発されたハードウェア回路によって実行される１つ又は複数の集積回路であってよい。
【０１６２】
送信器８０１は、外部デバイスとのネットワーク通信を実行するように構成され、例えば、Ｅｔｈｅｒｎｅｔ（登録商標）、無線アクセスネットワーク、又は無線ローカルエリアネットワークのようなネットワークを用いることによって、外部デバイスとの通信を行ってよい。
【０１６３】
送信器８０１は、バス（図８で例として用いられている）を用いることによってプロセッサ８０２と接続されてよい、又は、特殊接続ケーブル用いることによってプロセッサ８０２と接続されてよい。
【０１６４】
前述の方法に対応するコードは、プロセッサ８０２を設計及びプログラミングすることによってチップに焼き付けられる。これにより、チップは、動作中に、図２から図６に示される前述の方法を実行することができる。いかにプロセッサ８０２を設計及びプログラムするかは、当業者にとって公知の技術であり、詳細は、本明細書において説明されない。
【０１６５】
図９を参照すると、同じ発明の概念に基づいて、端末デバイスが提供される。端末デバイスは、受信ユニット９０１及び処理ユニット９０２を含んでよい。
【０１６６】
端末デバイスは、図２から図６の方法を実行するように構成されてよい。従って、端末デバイスのユニットによって実装される機能については、前述の方法部分の説明を参照されたく、詳細は、さらには説明されない。
【０１６７】
図１０を参照すると、図１０は、図９に示される端末デバイスの可能なエンティティの模式構造図である。実際の適用において、受信ユニット９０１に対応する物理的デバイスは受信器１００１であってよく、処理ユニット９０２に対応する物理的デバイスはプロセッサ１００２であってよい。
【０１６８】
プロセッサ１００２は、例えば、ＣＰＵ又はＡＳＩＣを含んでよく、制御プログラム、ＦＰＧＡ用いることによって開発されたハードウェア回路、又はベースバンドチップによって実行される１つ又は複数の集積回路であってよい。
【０１６９】
受信器１００１は、外部デバイスとのネットワーク通信を実行する、例えば、Ｅｔｈｅｒｎｅｔ（登録商標）、無線アクセスネットワーク、又は無線ローカルエリアネットワークのようなネットワークを用いることによって、外部デバイスとの通信を行うように構成されてよい。
【０１７０】
受信器１００１は、バス（図１０において例として用いられている）用いることによってプロセッサ１００２と接続されてよい、又は、特殊接続ケーブル用いることによってプロセッサ１００２と接続されてよい。
【０１７１】
前述の方法に対応するコードは、プロセッサ１００２を設計及びプログラミングすることによってチップに焼き付けられる。これにより、チップは、動作中に、図２から図６に示される前述の方法を実行することができる。いかにプロセッサ１００２を設計及びプログラムするかは、当業者にとって公知の技術であり、詳細は、本明細書において説明されない。
【０１７２】
ネットワークデバイスは、第１のタイプのシステム情報が第１の周期に変更される対象ではないことを保証するために、第１のタイプのシステム情報（例えば、ページング構成情報を含んでよい）に対して、変更周期（すなわち、第１の周期）を別個に設定してよい。例えば、第１の周期は、ＤＲＸサイクルより長くてよい。このように、ＤＲＸサイクルに基づいて端末デバイスが起動する場合、端末デバイスが起動する時は、なお第１の周期にある。端末デバイスは、ページング構成情報が変更される対象であることを示すページングメッセージを標準的に受信してよく、これにより、新たなページング構成情報を適時的に取得し、後続のページングメッセージの取得失敗を回避する。
【０１７３】
本発明において、開示されたデバイス及び方法は、他の方式で実装されてよいことを理解されたい。例えば、説明された装置の実施形態は、例に過ぎない。例えば、ユニット分割は、論理的機能の分割に過ぎず、実際の実装では他の分割であってよい。例えば、複数のユニット又はコンポーネントは、他のシステムと組み合わせられ、又は統合されてよく、又はいくつかの機能は、無視されても、又は実行されなくてもよい。さらに、表示又は説明された相互連結もしくは直接連結又は通信接続は、いくつかのインタフェースにより実装されてよい。装置又はユニット間の間接連結又は通信接続は、電子又は他の形式で実装されてよい。
【０１７４】
別個の部分として説明されたユニットは、物理的に別個であってもなくてもよく、ユニットとして表示された部分は、物理的ユニットであってもなくてもよく、１か所に位置しても、複数のネットワークユニット上に分散させられてもよい。ユニットの一部又は全部は、本発明の実施形態を実現するために、実際の必要に従って選択されてよい。
【０１７５】
本発明の実施形態における機能ユニットは、１つの処理ユニットに統合されてよい、又は、ユニットの各々は、別個の物理的モジュールであってよい。
【０１７６】
統合ユニットがソフトウェア機能ユニット形式で実装され、別個の製品として販売又は使用される場合、統合ユニットは、コンピュータ可読記憶媒体に格納されてよい。このような理解に基づいて、本発明の技術的解決手段の全部又は一部が、ソフトウェア製品の形で実装されてよい。コンピュータソフトウェア製品は、記憶媒体に格納され、本発明の実施形態において説明された方法の段階の全部又は一部を実行するために、コンピュータデバイス（パーソナルコンピュータ、サーバ、又はネットワークデバイスであってよい）又はプロセッサ（ｐｒｏｃｅｓｓｏｒ）に命令するためのいくつかの命令を含む。前述の記憶媒体は、ＵＳＢフラッシュドライブ（ユニバーサルシリアルバスフラッシュドライブ）、リムーバブルハードディスク、リードオンリメモリ（Ｒｅａｄ  Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又は光ディスクのような、プログラムコードを格納可能なあらゆる媒体を含む。
【０１７７】
前述の実施形態は、本発明の技術的解決手段を説明するために用いられたに過ぎない。前述の実施形態は、本発明の方法の理解を助けることを意図しているに過ぎず、本発明の実施形態に対する限定と解されるべきではない。当業者によって容易に案出可能なあらゆるバリエーション又は置換は、本発明の実施形態の保護範囲に属するものとする。
【図１】
2019501596.tif 000003
【図２】
2019501596.tif 000004
【図３】
2019501596.tif 000005
【図４】
2019501596.tif 000006
【図５】
2019501596.tif 000007
【図６】
2019501596.tif 000008
【図７】
2019501596.tif 000009
【図８】
2019501596.tif 000010
【図９】
2019501596.tif 000011
【図１０】
2019501596.tif 000012
【手続補正書】
【提出日】平成30年8月15日(2018.8.15)
【手続補正１】
【補正対象書類名】特許請求の範囲
【補正対象項目名】全文
【補正方法】変更
【補正の内容】
【特許請求の範囲】
【請求項１】
システム情報送信方法であって、
ネットワークデバイスによって第１の周期に基づいて、第１のタイプのシステム情報を端末デバイスに送信する段階であって、前記ネットワークデバイスによって送信される前記第１のタイプのシステム情報の内容は、１つの第１の周期において変更されないままであり、前記第１の周期は、前記端末デバイスに対して構成可能な最大不連続受信（ＤＲＸ）サイクルである、又は、前記第１の周期は、前記ネットワークデバイスによって前記第１のタイプのシステム情報に対して設定される変更周期である、段階
を備える方法。
【請求項２】
前記方法は、
前記ネットワークデバイスによって、ｉ番目の第１の周期にページングメッセージを前記端末デバイスに送信する段階であって、前記端末デバイスのＤＲＸサイクルは、前記第１の周期より短い又はこれと等しく、前記ページングメッセージは、第１の変更指示を保持し、前記第１の変更指示は、次の第１の周期に送信される第１のタイプのシステム情報が変更される対象であるか否かを示すために用いられる、又は、前記第１の変更指示は、次の変更周期（ＭＰ）に送信されるいずれかのシステム情報が変更される対象であるか否かを示すために用いられ、ｉは、正の整数である、段階
をさらに備える、
請求項１に記載の方法。
【請求項３】
前記ページングメッセージは、第２の変更指示をさらに保持し、前記第２の変更指示は、前記次のＭＰ又は前記次の第１の周期に送信される第２のタイプのシステム情報が変更される対象であるか否かを示すために用いられ、前記第２のタイプのシステム情報は、前記第１のタイプのシステム情報以外のシステム情報を含む、
請求項２に記載の方法。
【請求項４】
前記方法は、
前記ネットワークデバイスによって、ｉ番目の第１の周期にページングメッセージを前記端末デバイスに送信する段階であって、前記端末デバイスのＤＲＸサイクルは、前記ＭＰより短い又はこれと等しく、前記第１の周期より短い又はこれと等しく、前記ページングメッセージは、第１の変更指示を保持し、前記第１の変更指示は、次の第１の周期に送信される第１のタイプのシステム情報が変更される対象であるか否かを示すために用いられる、又は、前記第１の変更指示は、次の変更周期ＭＰに送信されるいずれかのシステム情報が変更される対象であるか否かを示すために用いられ、ｉは、正の整数である、段階
をさらに備える、
請求項２に記載の方法。
【請求項５】
前記方法は、
前記ネットワークデバイスによって、ｉ番目の第１の周期にページングメッセージを前記端末デバイスに送信する段階であって、前記端末デバイスのＤＲＸサイクルは、前記ＭＰより長く、前記第１の周期より短い又はこれと等しく、前記ページングメッセージは、第１の変更指示を保持し、前記第１の変更指示は、次の第１の周期に送信される第１のタイプのシステム情報が変更される対象であるか否かを示すために用いられ、ｉは、正の整数である、段階
をさらに備える、
請求項２に記載の方法。
【請求項６】
前記方法は、
前記ネットワークデバイスによって、ｉ番目の第１の周期に第１のシステムメッセージを送信する段階であって、前記第１のシステムメッセージは、第１の変更指示を保持する、段階
をさらに備え、
前記第１の変更指示は、前記ネットワークデバイスによって現在送信されている前記第１のシステムメッセージ以外のシステム情報が、前記端末デバイスに格納された前記第１のシステムメッセージ以外のシステム情報に対して変更されたか否かを示すために用いられる、又は、前記第１の変更指示は、前記ネットワークデバイスによって現在送信されている前記第１のシステムメッセージ以外の第２のタイプのシステム情報が、前記端末デバイスに格納された前記第１のシステムメッセージ以外の第２のタイプのシステム情報に対して変更されたか否かを示すために用いられ、
前記第２のタイプのシステム情報は、前記第１のタイプのシステム情報以外のシステム情報を含み、ｉは、正の整数である、
請求項１に記載の方法。
【請求項７】
前記第１のタイプのシステム情報は、ページング構成情報を含む、
請求項１から６のいずれか１項に記載の方法。
【請求項８】
システム情報更新方法であって、
端末デバイスによってｉ番目の第１の周期に、ネットワークデバイスによって送信された第１のメッセージを受信する段階であって、前記第１のメッセージは、第１の変更指示を保持し、前記第１の周期は、前記ネットワークデバイスによって第１のタイプのシステム情報に対して設定される変更周期であり、ｉは、正の整数である、段階と、
前記端末デバイスによって前記第１の変更指示に基づいて、前記第１のタイプのシステム情報を更新するか否かを決定する段階と、
を備え、
前記第１の変更指示は、前記第１のタイプのシステム情報の変更ステータス又はいずれかのシステム情報の変更ステータスを示すために用いられる、
方法。
【請求項９】
前記方法は、
前記端末デバイスによって、前記端末デバイスに対して構成されるＤＲＸサイクルが第２のタイプのシステム情報のＭＰより長く、前記ＤＲＸサイクルが前記第１の周期より長いと決定する段階、又は、
前記端末デバイスによって、前記端末デバイスに対して構成されるＤＲＸサイクルが前記第１の周期より短い又はこれと等しいと決定する段階
をさらに備える、
請求項８に記載の方法。
【請求項１０】
前記ＤＲＸサイクルが前記第１の周期より短い又はこれと等しい場合に、
端末デバイスによってｉ番目の第１の周期に、ネットワークデバイスによって送信された第１のメッセージを受信する前記段階は、
前記端末デバイスによって前記ｉ番目の第１の周期に、前記第１の変更指示を保持する、前記ネットワークデバイスによって送信されたページングメッセージを受信する段階
を含み、
前記端末デバイスによって前記第１の変更指示に基づいて、前記第１のタイプのシステム情報を更新するか否かを決定する前記段階は、
前記第１の変更指示が、次の第１の周期に送信される第１のタイプのシステム情報が変更される対象であることを示すために用いられる場合に、前記端末デバイスによって、（ｉ＋１）番目の第１の周期に前記第１のタイプのシステム情報を更新する段階、又は、
前記第１の変更指示が、次のＭＰに送信されるいずれかのシステム情報が変更される対象であることを示すために用いられる場合に、前記端末デバイスによって、前記次のＭＰ又は（ｉ＋１）番目の第１の周期に前記第１のタイプのシステム情報を更新する段階
を含む、
請求項９に記載の方法。
【請求項１１】
前記ＤＲＸサイクルが前記第１の周期より短い又はこれと等しく、前記ＭＰより短い又はこれと等しい場合に、
端末デバイスによってｉ番目の第１の周期に、ネットワークデバイスによって送信された第１のメッセージを受信する前記段階は、
前記端末デバイスによって前記ｉ番目の第１の周期に、前記第１の変更指示を保持する、前記ネットワークデバイスによって送信されたページングメッセージを受信する段階
を含み、
前記端末デバイスによって前記第１の変更指示に基づいて、前記第１のタイプのシステム情報を更新するか否かを決定する前記段階は、
前記第１の変更指示が、次の第１の周期に送信される第１のタイプのシステム情報が変更される対象であることを示すために用いられる場合に、前記端末デバイスによって、（ｉ＋１）番目の第１の周期に前記第１のタイプのシステム情報を更新する段階、又は、
前記第１の変更指示が、次のＭＰに送信されるいずれかのシステム情報が変更される対象であることを示すために用いられる場合に、前記端末デバイスによって、前記次のＭＰ又は（ｉ＋１）番目の第１の周期に前記第１のタイプのシステム情報を更新する段階
を含む、
請求項１０に記載の方法。
【請求項１２】
前記ＤＲＸサイクルが前記第１の周期より短い又はこれと等しく、前記ＭＰより長い場合に、
端末デバイスによってｉ番目の第１の周期に、ネットワークデバイスによって送信された第１のメッセージを受信する前記段階は、
前記端末デバイスによって前記ｉ番目の第１の周期に、前記第１の変更指示を保持する、前記ネットワークデバイスによって送信されたページングメッセージを受信する段階
を含み、
前記端末デバイスによって前記第１の変更指示に基づいて、前記第１のタイプのシステム情報を更新するか否かを決定する前記段階は、
前記第１の変更指示が、次の第１の周期に送信される第１のタイプのシステム情報が変更される対象であることを示すために用いられる場合に、前記端末デバイスによって、（ｉ＋１）番目の第１の周期に前記第１のタイプのシステム情報を更新する段階、又は、
前記第１の変更指示が、次のＭＰに送信されるいずれかのシステム情報が変更される対象であることを示すために用いられる場合に、前記端末デバイスによって、前記次のＭＰ又は（ｉ＋１）番目の第１の周期に前記第１のタイプのシステム情報を更新する段階
を含む、
請求項１０に記載の方法。
【請求項１３】
前記端末デバイスによって、（ｉ＋１）番目の第１の周期に前記第１のタイプのシステム情報を更新する前記段階は、
前記端末デバイスによって、前記（ｉ＋１）番目の第１の周期の開始時におけるスーパーフレームのフレーム番号を決定し、前記端末デバイスによって、前記決定されたフレーム番号に基づいて、前記スーパーフレームにおける前記第１のタイプのシステム情報を更新する段階、又は、
前記端末デバイスによって、前記（ｉ＋１）番目の第１の周期の開始時における無線フレームのフレーム番号を決定し、前記端末デバイスによって、前記決定されたフレーム番号に基づいて、前記無線フレームにおける前記第１のタイプのシステム情報を更新する段階
を含む、
請求項１０から１２のいずれか１項に記載の方法。
【請求項１４】
前記端末デバイスによって前記ｉ番目の第１の周期に、前記第１の変更指示を保持する、前記ネットワークデバイスによって送信されたページングメッセージを受信する前記段階の後で、
前記第１の変更指示が、前記次の第１の周期に送信される前記第１のタイプのシステム情報が変更される対象であることを示すために用いられる場合、又は、前記第１の変更指示が、前記次のＭＰに送信されるいずれかのシステム情報が変更される対象であることを示すために用いられる場合に、前記端末デバイスによって、前記（ｉ＋１）番目の第１の周期に前記第２のタイプのシステム情報を更新する段階であって、前記第２のタイプのシステム情報は、前記第１のタイプのシステム情報以外のシステム情報を含む、段階、又は、
前記第１の変更指示が、前記次の第１の周期に送信される前記第１のタイプのシステム情報が変更される対象であることを示すために用いられる場合、又は、前記第１の変更指示が、前記次のＭＰに送信されるいずれかのシステム情報が変更される対象であることを示すために用いられる場合に、前記端末デバイスによって、前記次のＭＰに前記第２のタイプのシステム情報を更新する段階であって、前記第２のタイプのシステム情報は、前記第１のタイプのシステム情報以外のシステム情報を含む、段階
をさらに備える、
請求項１０から１３のいずれか１項に記載の方法。
【請求項１５】
前記ＤＲＸサイクルが前記第１の周期より長い場合に、
端末デバイスによってｉ番目の第１の周期に、ネットワークデバイスによって送信された第１のメッセージを受信する前記段階の前に、前記方法は、
前記端末デバイスによって、前記ｉ番目の第１の周期の開始時におけるスーパーフレームのフレーム番号を決定する段階
をさらに備え、
端末デバイスによってｉ番目の第１の周期に、ネットワークデバイスによって送信された第１のメッセージを受信する前記段階は、
前記端末デバイスによって、前記フレーム番号に基づいて、前記ネットワークデバイスによって前記スーパーフレームにおいて送信される第１のシステムメッセージの位置を決定し、前記位置において、前記第１の変更指示を保持する前記第１のシステムメッセージを読み出す段階
を含む、
請求項９に記載の方法。
【請求項１６】
前記ＤＲＸサイクルが前記第１の周期より長い場合に、
端末デバイスによってｉ番目の第１の周期に、ネットワークデバイスによって送信された第１のメッセージを受信する前記段階の前に、前記方法は、
前記端末デバイスによって、前記ｉ番目の第１の周期の開始時における無線フレームのフレーム番号を決定する段階
をさらに備え、
端末デバイスによってｉ番目の第１の周期に、ネットワークデバイスによって送信された第１のメッセージを受信する前記段階は、
前記端末デバイスによって、前記フレーム番号に基づいて、前記ネットワークデバイスによって前記無線フレームにおいて送信される第１のシステムメッセージの位置を決定し、前記位置において、前記第１の変更指示を保持する前記第１のシステムメッセージを読み出す段階
を含む、
請求項９に記載の方法。
【請求項１７】
前記方法は、
前記ネットワークデバイスとの無線リソース制御ＲＲＣ接続を確立する前に、前記端末デバイスによって、前記ネットワークデバイスによって送信された前記第１のシステムメッセージを読み出す段階と、
前記第１のシステムメッセージに保持された前記第１の変更指示が、前記ネットワークデバイスによって現在送信されている前記第１のシステムメッセージ以外のシステム情報が前記端末デバイスに格納された前記第１のシステムメッセージ以外の前記システム情報に対して変更されたことを示すために用いられる場合に、前記端末デバイスによって、前記第１のシステムメッセージ以外の前記システム情報を更新する段階であって、前記システム情報は、前記第１のタイプのシステム情報及び前記第２のタイプのシステム情報を含み、前記第２のタイプのシステム情報は、前記第１のタイプのシステム情報以外のシステム情報を含む、段階と、
をさらに備える、
請求項１５又は１６に記載の方法。
【請求項１８】
前記方法は、
前記ネットワークデバイスとのＲＲＣ接続を確立する前に、前記端末デバイスによって、前記ネットワークデバイスによって送信された前記第１のシステムメッセージを読み出す段階と、
前記第１のシステムメッセージに保持された前記第１の変更指示が、前記ネットワークデバイスによって現在送信されている前記第１のシステムメッセージ以外の前記第２のタイプのシステム情報が前記端末デバイスに格納された前記第１のシステムメッセージ以外の前記第２のタイプのシステム情報に対して変更されたことを示すために用いられる場合に、前記端末デバイスによって、前記第１のシステムメッセージ以外の前記第２のタイプのシステム情報を更新する段階であって、前記第２のタイプのシステム情報は、前記第１のタイプのシステム情報以外のシステム情報を含む、段階と、
をさらに備える、
請求項１５又は１６に記載の方法。
【請求項１９】
ネットワークデバイスであって、
第１の周期に基づいて、第１のタイプのシステム情報を端末デバイスに送信するように構成される送信ユニットであって、前記ネットワークデバイスによって送信される前記第１のタイプのシステム情報の内容は、１つの第１の周期において変更されないままであり、前記第１の周期は、前記端末デバイスに対して構成可能な最大不連続受信（ＤＲＸ）サイクルである、又は、前記第１の周期は、前記ネットワークデバイスによって前記第１のタイプのシステム情報に対して設定される変更周期である、送信ユニット
を備えるネットワークデバイス。
【請求項２０】
前記送信ユニットは、さらに、
ｉ番目の第１の周期にページングメッセージを前記端末デバイスに送信することであって、前記端末デバイスのＤＲＸサイクルは、前記第１の周期より短い又はこれと等しく、前記ページングメッセージは、第１の変更指示を保持し、前記第１の変更指示は、次の第１の周期に送信される第１のタイプのシステム情報が変更される対象であるか否かを示すために用いられる、又は、前記第１の変更指示は、次の変更周期（ＭＰ）に送信されるいずれかのシステム情報が変更される対象であるか否かを示すために用いられ、ｉは、正の整数である、送信すること
を実行するように構成される、
請求項１９に記載のネットワークデバイス。
【請求項２１】
前記ページングメッセージは、第２の変更指示をさらに保持し、前記第２の変更指示は、前記次のＭＰ又は前記次の第１の周期に送信される第２のタイプのシステム情報が変更される対象であるか否かを示すために用いられ、前記第２のタイプのシステム情報は、前記第１のタイプのシステム情報以外のシステム情報を含む、
請求項２０に記載のネットワークデバイス。
【請求項２２】
前記送信ユニットは、さらに、
ｉ番目の第１の周期にページングメッセージを前記端末デバイスに送信することであって、前記端末デバイスのＤＲＸサイクルは、前記ＭＰより短い又はこれと等しく、前記第１の周期より短い又はこれと等しく、前記ページングメッセージは、第１の変更指示を保持し、前記第１の変更指示は、次の第１の周期に送信される第１のタイプのシステム情報が変更される対象であるか否かを示すために用いられる、又は、前記第１の変更指示は、次の変更周期ＭＰに送信されるいずれかのシステム情報が変更される対象であるか否かを示すために用いられ、ｉは、正の整数である、送信すること
を実行するように構成される、
請求項２０に記載のネットワークデバイス。
【請求項２３】
前記送信ユニットは、さらに、
ｉ番目の第１の周期にページングメッセージを前記端末デバイスに送信することであって、前記端末デバイスのＤＲＸサイクルは、前記ＭＰより長く、前記第１の周期より短い又はこれと等しく、前記ページングメッセージは、第１の変更指示を保持し、前記第１の変更指示は、次の第１の周期に送信される第１のタイプのシステム情報が変更される対象であるか否かを示すために用いられ、ｉは、正の整数である、送信すること
を実行するように構成される、
請求項２０に記載のネットワークデバイス。
【請求項２４】
前記送信ユニットは、さらに、
ｉ番目の第１の周期に第１のシステムメッセージを送信することであって、前記第１のシステムメッセージは、第１の変更指示を保持する、送信すること
を実行するように構成され、
前記第１の変更指示は、前記ネットワークデバイスによって現在送信されている前記第１のシステムメッセージ以外のシステム情報が、前記端末デバイスに格納された前記第１のシステムメッセージ以外のシステム情報に対して変更されたか否かを示すために用いられる、又は、前記第１の変更指示は、前記ネットワークデバイスによって現在送信されている前記第１のシステムメッセージ以外の第２のタイプのシステム情報が、前記端末デバイスに格納された前記第１のシステムメッセージ以外の第２のタイプのシステム情報に対して変更されたか否かを示すために用いられ、
前記第２のタイプのシステム情報は、前記第１のタイプのシステム情報以外のシステム情報を含み、ｉは、正の整数である、
請求項２０に記載のネットワークデバイス。
【請求項２５】
前記第１のタイプのシステム情報は、ページング構成情報を含む、請求項１９から２４のいずれか１項に記載のネットワークデバイス。
【請求項２６】
ｉ番目の第１の周期に、ネットワークデバイスによって送信された第１のメッセージを受信するように構成される受信ユニットであって、前記第１のメッセージは、第１の変更指示を保持し、前記第１の周期は、前記ネットワークデバイスによって第１のタイプのシステム情報に対して設定される変更周期であり、ｉは、正の整数である、受信ユニットと、
前記第１の変更指示に基づいて、前記第１のタイプのシステム情報を更新するか否かを決定するように構成される処理ユニットと、
を備え、
前記第１の変更指示は、前記第１のタイプのシステム情報の変更ステータス又はいずれかのシステム情報の変更ステータスを示すために用いられる、
端末デバイス。
【請求項２７】
前記処理ユニットは、さらに、
前記端末デバイスに対して構成されるＤＲＸサイクルが第２のタイプのシステム情報のＭＰより長く、前記ＤＲＸサイクルが前記第１の周期より長いと決定する、又は、
前記端末デバイスに対して構成されるＤＲＸサイクルが前記第１の周期より短い又はこれと等しいと決定する
ように構成される、
請求項２６に記載の端末デバイス。
【請求項２８】
前記ＤＲＸサイクルが前記第１の周期より短い又はこれと等しい場合に、
前記受信ユニットは、
前記ｉ番目の第１の周期に、前記第１の変更指示を保持する、前記ネットワークデバイスによって送信されたページングメッセージを受信する
ように構成され、
前記処理ユニットは、
前記第１の変更指示が、次の第１の周期に送信される第１のタイプのシステム情報が変更される対象であることを示すために用いられる場合に、（ｉ＋１）番目の第１の周期に前記第１のタイプのシステム情報を更新する、又は、
前記第１の変更指示が、次のＭＰに送信されるいずれかのシステム情報が変更される対象であることを示すために用いられる場合に、前記次のＭＰ又は（ｉ＋１）番目の第１の周期に前記第１のタイプのシステム情報を更新する
ように構成される、
請求項２７に記載の端末デバイス。
【請求項２９】
前記ＤＲＸサイクルが前記第１の周期より短い又はこれと等しく、前記ＭＰより短い又はこれと等しい場合に、
前記受信ユニットは、
前記ｉ番目の第１の周期に、前記第１の変更指示を保持する、前記ネットワークデバイスによって送信されたページングメッセージを受信する
ように構成され、
前記処理ユニットは、
前記第１の変更指示が、次の第１の周期に送信される第１のタイプのシステム情報が変更される対象であることを示すために用いられる場合に、（ｉ＋１）番目の第１の周期に前記第１のタイプのシステム情報を更新する、又は、
前記第１の変更指示が、次のＭＰに送信されるいずれかのシステム情報が変更される対象であることを示すために用いられる場合に、前記次のＭＰ又は（ｉ＋１）番目の第１の周期に前記第１のタイプのシステム情報を更新する
ように構成される、
請求項２８に記載の端末デバイス。
【請求項３０】
前記ＤＲＸサイクルが前記第１の周期より短い又はこれと等しく、前記ＭＰより長い場合に、
前記受信ユニットは、
前記ｉ番目の第１の周期に、前記第１の変更指示を保持する、前記ネットワークデバイスによって送信されたページングメッセージを受信する
ように構成され、
前記処理ユニットは、
前記第１の変更指示が、次の第１の周期に送信される第１のタイプのシステム情報が変更される対象であることを示すために用いられる場合に、（ｉ＋１）番目の第１の周期に前記第１のタイプのシステム情報を更新する、又は、
前記第１の変更指示が、次のＭＰに送信されるいずれかのシステム情報が変更される対象であることを示すために用いられる場合に、前記次のＭＰ又は（ｉ＋１）番目の第１の周期に前記第１のタイプのシステム情報を更新する
ように構成される、
請求項２８に記載の端末デバイス。
【請求項３１】
前記処理ユニットは、
前記（ｉ＋１）番目の第１の周期の開始時におけるスーパーフレームのフレーム番号を決定し、前記決定されたフレーム番号に基づいて、前記スーパーフレームにおける前記第１のタイプのシステム情報を更新する、又は、
前記（ｉ＋１）番目の第１の周期の開始時における無線フレームのフレーム番号を決定し、前記決定されたフレーム番号に基づいて、前記無線フレームにおける前記第１のタイプのシステム情報を更新する
ように構成される、
請求項２８から３０のいずれか１項に記載の端末デバイス。
【請求項３２】
前記処理ユニットは、さらに、
前記受信ユニットが、前記ｉ番目の第１の周期に、前記第１の変更指示を保持する、前記ネットワークデバイスによって送信された前記ページングメッセージを受信した後で、前記第１の変更指示が、前記次の第１の周期に送信される前記第１のタイプのシステム情報が変更される対象であることを示すために用いられる場合、又は、前記第１の変更指示が、前記次のＭＰに送信されるいずれかのシステム情報が変更される対象であることを示すために用いられる場合に、前記（ｉ＋１）番目の第１の周期に前記第２のタイプのシステム情報を更新することであって、前記第２のタイプのシステム情報は、前記第１のタイプのシステム情報以外のシステム情報を含む、更新すること、又は、
前記受信ユニットが、前記ｉ番目の第１の周期に、前記第１の変更指示を保持する、前記ネットワークデバイスによって送信された前記ページングメッセージを受信した後で、前記第１の変更指示が、前記次の第１の周期に送信される前記第１のタイプのシステム情報が変更される対象であることを示すために用いられる場合、又は、前記第１の変更指示が、前記次のＭＰに送信されるいずれかのシステム情報が変更される対象であることを示すために用いられる場合に、前記次のＭＰに前記第２のタイプのシステム情報を更新することであって、前記第２のタイプのシステム情報は、前記第１のタイプのシステム情報以外のシステム情報を含む、更新すること
を実行するように構成される、
請求項２８から３１のいずれか１項に記載の端末デバイス。
【請求項３３】
前記ＤＲＸサイクルが前記第１の周期より長い場合に、
前記処理ユニットは、さらに、前記受信ユニットが、前記ｉ番目の第１の周期に、前記ネットワークデバイスによって送信された前記第１のメッセージを受信する前に、前記ｉ番目の第１の周期の開始時におけるスーパーフレームのフレーム番号を決定し、前記フレーム番号に基づいて、前記ネットワークデバイスによって前記スーパーフレームにおいて送信される第１のシステムメッセージの位置を決定する
ように構成され、
前記受信ユニットは、前記位置において、前記第１の変更指示を保持する前記第１のシステムメッセージを読み出すように構成される、
請求項２７に記載の端末デバイス。
【請求項３４】
前記ＤＲＸサイクルが前記第１の周期より長い場合に、
前記処理ユニットは、さらに、前記受信ユニットが、前記ｉ番目の第１の周期に、前記ネットワークデバイスによって送信された前記第１のメッセージを受信する前に、前記ｉ番目の第１の周期の開始時における無線フレームのフレーム番号を決定し、前記フレーム番号に基づいて、前記ネットワークデバイスによって前記無線フレームにおいて送信される第１のシステムメッセージの位置を決定する
ように構成され、
前記受信ユニットは、前記位置において、前記第１の変更指示を保持する前記第１のシステムメッセージを読み出すように構成される、
請求項２７に記載の端末デバイス。
【請求項３５】
前記受信ユニットは、さらに、
前記ネットワークデバイスとの無線リソース制御ＲＲＣ接続を確立する前に、前記ネットワークデバイスによって送信された前記第１のシステムメッセージを読み出す
ように構成され、
前記処理ユニットは、さらに、
前記第１のシステムメッセージに保持された前記第１の変更指示が、前記ネットワークデバイスによって現在送信されている前記第１のシステムメッセージ以外のシステム情報が前記端末デバイスに格納された前記第１のシステムメッセージ以外の前記システム情報に対して変更されたことを示すために用いられる場合に、前記第１のシステムメッセージ以外の前記システム情報を更新することであって、前記システム情報は、前記第１のタイプのシステム情報及び前記第２のタイプのシステム情報を含み、前記第２のタイプのシステム情報は、前記第１のタイプのシステム情報以外のシステム情報を含む、更新すること、
を実行するように構成される、
請求項３３又は３４に記載の端末デバイス。
【請求項３６】
前記受信ユニットは、さらに、
前記ネットワークデバイスとのＲＲＣ接続を確立する前に、前記ネットワークデバイスによって送信された前記第１のシステムメッセージを読み出す
ように構成され、
前記処理ユニットは、さらに、
前記第１のシステムメッセージに保持された前記第１の変更指示が、前記ネットワークデバイスによって現在送信されている前記第１のシステムメッセージ以外の前記第２のタイプのシステム情報が前記端末デバイスに格納された前記第１のシステムメッセージ以外の前記第２のタイプのシステム情報に対して変更されたことを示すために用いられる場合に、前記第１のシステムメッセージ以外の前記第２のタイプのシステム情報を更新することであって、前記第２のタイプのシステム情報は、前記第１のタイプのシステム情報以外のシステム情報を含む、更新すること
を実行するように構成される、
請求項３３又は３４に記載の端末デバイス。
【手続補正２】
【補正対象書類名】明細書
【補正対象項目名】０００３
【補正方法】変更
【補正の内容】
【０００３】
ＬＴＥシステムにおいて、変更周期（ｍｏｄｉｆｉｃａｔｉｏｎ  ｐｅｒｉｏｄ、ＭＰ）の概念が定義されている。システム情報は、１つのＭＰに複数回伝送されてよい。しかしながら、同じＭＰにおいて、いくつかのシステム情報（例えば、ページング構成情報）の内容は、変更されないままである。基地局がシステム情報のいくつか（例えば、ページング構成情報）を変更する必要がある場合、基地局は最初に、ＭＰにおいてページングメッセージを用いることによって、ページング構成情報が変更される対象である（が、基地局は現在のＭＰにおいて、新たなページング構成情報を送信又は使用しない）ことをＵＥに通知し、次のＭＰの開始時の境界において、新たなページング構成情報を用いる。次のＭＰにおいて、基地局は、新たなページング構成情報を送信する。しかしながら、ＵＥのＤＲＸサイクルがＭＰより長い場合、ＵＥは、ページング構成情報が変更される対象であることを示すページングメッセージを受信しないことがあり、その結果、新たなページング構成情報を取得できない。
【手続補正３】
【補正対象書類名】明細書
【補正対象項目名】０１０４
【補正方法】変更
【補正の内容】
【０１０４】
（１）端末デバイスは、ユーザへの音声及び／又はデータ接続を提供するデバイスであり、例えば、無線接続機能を有するハンドヘルドデバイス又は無線モデムに接続された処理デバイスであってよい。端末デバイスは、無線アクセスネットワーク（Ｒａｄｉｏ  Ａｃｃｅｓｓ  Ｎｅｔｗｏｒｋ、ＲＡＮ）を用いることによって、コアネットワークと通信を行い、音声及び／又はデータをＲＡＮと交換してよい。端末デバイスは、ＵＥ、無線端末デバイス、モバイル端末デバイス、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ、ＡＰ）、リモート端末デバイス（Ｒｅｍｏｔｅ  Ｔｅｒｍｉｎａｌ）、アクセス端末デバイス（Ａｃｃｅｓｓ  Ｔｅｒｍｉｎａｌ）、ユーザ端末デバイス（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）等を含んでよい。例えば、端末デバイスは、携帯電話（又は「セルラ」フォンと称される）、モバイル端末デバイス付きコンピュータ、ＮＢ‐ＩｏＴにおける特別端末デバイス、及びポータブル、ポケットサイズ、ハンドヘルド、コンピュータビルトイン、又は車載型モバイル装置を含んでよい。例えば、端末デバイスは、パーソナル通信サービス（Ｐｅｒｓｏｎａｌ  Ｃｏｍｍｕｎｉｃａｔｉｏｎｓ  Ｓｅｒｖｉｃｅ、ＰＣＳ）フォン、コードレス電話、セッション開始プロトコル（ＳＩＰ）フォン、無線ローカルループ（Ｗｉｒｅｌｅｓｓ  Ｌｏｃａｌ  Ｌｏｏｐ、ＷＬＬ）局、又はパーソナルデジタルアシスタント（Ｐｅｒｓｏｎａｌ  Ｄｉｇｉｔａｌ  Ａｓｓｉｓｔａｎｔ、ＰＤＡ）のようなデバイスであってよい。
【手続補正４】
【補正対象書類名】明細書
【補正対象項目名】０１０９
【補正方法】変更
【補正の内容】
【０１０９】
（４）本発明の実施形態において、第１のシステムメッセージは、例えば、マスタ情報ブロック（ｍａｓｔｅｒ  ｉｎｆｏｒｍａｔｉｏｎ  ｂｌｏｃｋ、ＭＩＢ）メッセージ及び／又はシステム情報ブロック（Ｓｙｓｔｅｍ  Ｉｎｆｏｒｍａｔｉｏｎ  Ｂｌｏｃｋｓ、ＳＩＢ）メッセージを含んでよく、他の可能なシステムメッセージをさらに含んでよい。ＳＩＢメッセージは、例えば、ＳＩＢ１メッセージを含んでよく、もちろん、他のＳＩＢメッセージをさらに含んでよい。
【手続補正５】
【補正対象書類名】明細書
【補正対象項目名】０１２４
【補正方法】変更
【補正の内容】
【０１２４】
ケース１：端末デバイスに対して構成されるＤＲＸサイクルは、第１の周期より短い又はこれと等しい。
【手続補正６】
【補正対象書類名】明細書
【補正対象項目名】０１４６
【補正方法】変更
【補正の内容】
【０１４６】
任意選択的に、ＤＲＸサイクルが第１の周期より長く、端末デバイスが厳密にＤＲＸサイクルに基づいてハイバネートする場合、いくつかの第１のシステムメッセージが取得失敗することがある。第１のシステムメッセージが第１のタイプのシステム情報の変更を示す場合、端末デバイスは、後続のページングメッセージを取得失敗することがある。従って、ＤＲＸサイクルが第１の周期より長い場合、端末デバイスは、最初に、ｉ番目の第１の周期の開始時におけるスーパーフレームのフレーム番号を決定（又は、ｉ番目の第１の周期の開始時における無線フレームのフレーム番号を決定）することにより、端末デバイスは、フレーム番号に基づいて、ネットワークデバイスによってスーパーフレーム（又は無線フレーム）において送信される第１のシステムメッセージの位置を決定してよい。例えば、端末デバイスは、決定された位置に基づいて、ｉ番目の第１の周期に起動（又は予め起動）し、当該位置において、第１の変更指示を保持する第１のシステムメッセージを読み出し（又は受信し）てよい。第１のタイプのシステム情報が１つの第１の周期において変更されないままであるので、端末デバイスが、各第１の周期において、第１の変更指示を保持する第１のシステムメッセージを読み出す場合、端末デバイスは、変更された第１のタイプのシステム情報を取得失敗しなくてよく、これにより、後続のページングメッセージが標準的に受信可能となることを保証する。
【手続補正７】
【補正対象書類名】明細書
【補正対象項目名】０１７７
【補正方法】変更
【補正の内容】
【０１７７】
前述の実施形態は、本発明の技術的解決手段を説明するために用いられたに過ぎない。前述の実施形態は、本発明の方法の理解を助けることを意図しているに過ぎず、本発明の実施形態に対する限定と解されるべきではない。当業者によって容易に案出可能なあらゆるバリエーション又は置換は、本発明の実施形態の保護範囲に属するものとする。
［項目１］
システム情報送信方法であって、
ネットワークデバイスによって第１の周期に基づいて、第１のタイプのシステム情報を端末デバイスに送信する段階であって、上記ネットワークデバイスによって送信される上記第１のタイプのシステム情報の内容は、１つの第１の周期において変更されないままであり、上記第１の周期は、上記端末デバイスに対して構成可能な最大不連続受信ＤＲＸサイクルである、又は、上記第１の周期は、上記ネットワークデバイスによって上記第１のタイプのシステム情報に対して設定される変更周期である、段階
を備える方法。
［項目２］
上記方法は、
上記ネットワークデバイスによって、ｉ番目の第１の周期にページングメッセージを上記端末デバイスに送信する段階であって、上記端末デバイスのＤＲＸサイクルは、上記第１の周期より短い又はこれと等しく、上記ページングメッセージは、第１の変更指示を保持し、上記第１の変更指示は、次の第１の周期に送信される第１のタイプのシステム情報が変更される対象であるか否かを示すために用いられる、又は、上記第１の変更指示は、次の変更周期ＭＰに送信されるいずれかのシステム情報が変更される対象であるか否かを示すために用いられ、ｉは、正の整数である、段階
をさらに備える、
項目１に記載の方法。
［項目３］
上記ページングメッセージは、第２の変更指示をさらに保持し、上記第２の変更指示は、上記次のＭＰ又は上記次の第１の周期に送信される第２のタイプのシステム情報が変更される対象であるか否かを示すために用いられ、上記第２のタイプのシステム情報は、上記第１のタイプのシステム情報以外のシステム情報を含む、
項目２に記載の方法。
［項目４］
上記方法は、
上記ネットワークデバイスによって、ｉ番目の第１の周期にページングメッセージを上記端末デバイスに送信する段階であって、上記端末デバイスのＤＲＸサイクルは、上記ＭＰより短い又はこれと等しく、上記第１の周期より短い又はこれと等しく、上記ページングメッセージは、第１の変更指示を保持し、上記第１の変更指示は、次の第１の周期に送信される第１のタイプのシステム情報が変更される対象であるか否かを示すために用いられる、又は、上記第１の変更指示は、次の変更周期ＭＰに送信されるいずれかのシステム情報が変更される対象であるか否かを示すために用いられ、ｉは、正の整数である、段階
をさらに備える、
項目２に記載の方法。
［項目５］
上記方法は、
上記ネットワークデバイスによって、ｉ番目の第１の周期にページングメッセージを上記端末デバイスに送信する段階であって、上記端末デバイスのＤＲＸサイクルは、上記ＭＰより長く、上記第１の周期より短い又はこれと等しく、上記ページングメッセージは、第１の変更指示を保持し、上記第１の変更指示は、次の第１の周期に送信される第１のタイプのシステム情報が変更される対象であるか否かを示すために用いられ、ｉは、正の整数である、段階
をさらに備える、
項目２に記載の方法。
［項目６］
上記ページングメッセージは、第２の変更指示をさらに保持し、上記第２の変更指示は、次のＭＰ又は上記次の第１の周期に送信される第２のタイプのシステム情報が変更される対象であるか否かを示すために用いられ、上記第２のタイプのシステム情報は、上記第１のタイプのシステム情報以外のシステム情報を含む、
項目５に記載の方法。
［項目７］
上記方法は、
上記ネットワークデバイスによって、ｉ番目の第１の周期に第１のシステムメッセージを送信する段階であって、上記第１のシステムメッセージは、第１の変更指示を保持する、段階
をさらに備え、
上記第１の変更指示は、上記ネットワークデバイスによって現在送信されている上記第１のシステムメッセージ以外のシステム情報が、上記端末デバイスに格納された上記第１のシステムメッセージ以外のシステム情報に対して変更されたか否かを示すために用いられる、又は、上記第１の変更指示は、上記ネットワークデバイスによって現在送信されている上記第１のシステムメッセージ以外の第２のタイプのシステム情報が、上記端末デバイスに格納された上記第１のシステムメッセージ以外の第２のタイプのシステム情報に対して変更されたか否かを示すために用いられ、
上記第２のタイプのシステム情報は、上記第１のタイプのシステム情報以外のシステム情報を含み、ｉは、正の整数である、
項目１に記載の方法。
［項目８］
上記第１のシステムメッセージは、第２の変更指示をさらに保持し、上記第２の変更指示は、上記ネットワークデバイスによって現在送信されている上記第１のタイプのシステム情報が、上記ネットワークデバイスによって前の第１の周期に送信された第１のタイプのシステム情報に対して変更されたか否かを示すために用いられる、
項目７に記載の方法。
［項目９］
上記第１のタイプのシステム情報は、ページング構成情報を含む、
項目１から８のいずれか１項に記載の方法。
［項目１０］
上記ページング構成情報は、ページング制御チャネルＰＣＣＨ構成情報、上記ページングメッセージが位置する時間周波数リソースについての情報、上記ページングメッセージが上記端末デバイスに反復送信される回数、ページングウィンドウのウィンドウ長、上記ページングウィンドウにおける短ＤＲＸサイクル、及び上記第１のタイプのシステム情報に対して再設定された変更周期の少なくとも１つを含む、
項目９に記載の方法。
［項目１１］
システム情報更新方法であって、
端末デバイスによってｉ番目の第１の周期に、ネットワークデバイスによって送信された第１のメッセージを受信する段階であって、上記第１のメッセージは、第１の変更指示を保持し、上記第１の周期は、上記ネットワークデバイスによって第１のタイプのシステム情報に対して設定される変更周期であり、ｉは、正の整数である、段階と、
上記端末デバイスによって上記第１の変更指示に基づいて、上記第１のタイプのシステム情報を更新するか否かを決定する段階と、
を備え、
上記第１の変更指示は、上記第１のタイプのシステム情報の変更ステータス又はいずれかのシステム情報の変更ステータスを示すために用いられる、
方法。
［項目１２］
上記方法は、
上記端末デバイスによって、上記端末デバイスに対して構成されるＤＲＸサイクルが第２のタイプのシステム情報のＭＰより長く、上記ＤＲＸサイクルが上記第１の周期より長いと決定する段階、又は、
上記端末デバイスによって、上記端末デバイスに対して構成されるＤＲＸサイクルが上記第１の周期より短い又はこれと等しいと決定する段階
をさらに備える、
項目１１に記載の方法。
［項目１３］
上記ＤＲＸサイクルが上記第１の周期より短い又はこれと等しい場合に、
端末デバイスによってｉ番目の第１の周期に、ネットワークデバイスによって送信された第１のメッセージを受信する上記段階は、
上記端末デバイスによって上記ｉ番目の第１の周期に、上記第１の変更指示を保持する、上記ネットワークデバイスによって送信されたページングメッセージを受信する段階
を含み、
上記端末デバイスによって上記第１の変更指示に基づいて、上記第１のタイプのシステム情報を更新するか否かを決定する上記段階は、
上記第１の変更指示が、次の第１の周期に送信される第１のタイプのシステム情報が変更される対象であることを示すために用いられる場合に、上記端末デバイスによって、（ｉ＋１）番目の第１の周期に上記第１のタイプのシステム情報を更新する段階、又は、
上記第１の変更指示が、次のＭＰに送信されるいずれかのシステム情報が変更される対象であることを示すために用いられる場合に、上記端末デバイスによって、上記次のＭＰ又は（ｉ＋１）番目の第１の周期に上記第１のタイプのシステム情報を更新する段階
を含む、
項目１２に記載の方法。
［項目１４］
上記ＤＲＸサイクルが上記第１の周期より短い又はこれと等しく、上記ＭＰより短い又はこれと等しい場合に、
端末デバイスによってｉ番目の第１の周期に、ネットワークデバイスによって送信された第１のメッセージを受信する上記段階は、
上記端末デバイスによって上記ｉ番目の第１の周期に、上記第１の変更指示を保持する、上記ネットワークデバイスによって送信されたページングメッセージを受信する段階
を含み、
上記端末デバイスによって上記第１の変更指示に基づいて、上記第１のタイプのシステム情報を更新するか否かを決定する上記段階は、
上記第１の変更指示が、次の第１の周期に送信される第１のタイプのシステム情報が変更される対象であることを示すために用いられる場合に、上記端末デバイスによって、（ｉ＋１）番目の第１の周期に上記第１のタイプのシステム情報を更新する段階、又は、
上記第１の変更指示が、次のＭＰに送信されるいずれかのシステム情報が変更される対象であることを示すために用いられる場合に、上記端末デバイスによって、上記次のＭＰ又は（ｉ＋１）番目の第１の周期に上記第１のタイプのシステム情報を更新する段階
を含む、
項目１３に記載の方法。
［項目１５］
上記ＤＲＸサイクルが上記第１の周期より短い又はこれと等しく、上記ＭＰより長い場合に、
端末デバイスによってｉ番目の第１の周期に、ネットワークデバイスによって送信された第１のメッセージを受信する上記段階は、
上記端末デバイスによって上記ｉ番目の第１の周期に、上記第１の変更指示を保持する、上記ネットワークデバイスによって送信されたページングメッセージを受信する段階
を含み、
上記端末デバイスによって上記第１の変更指示に基づいて、上記第１のタイプのシステム情報を更新するか否かを決定する上記段階は、
上記第１の変更指示が、次の第１の周期に送信される第１のタイプのシステム情報が変更される対象であることを示すために用いられる場合に、上記端末デバイスによって、（ｉ＋１）番目の第１の周期に上記第１のタイプのシステム情報を更新する段階、又は、
上記第１の変更指示が、次のＭＰに送信されるいずれかのシステム情報が変更される対象であることを示すために用いられる場合に、上記端末デバイスによって、上記次のＭＰ又は（ｉ＋１）番目の第１の周期に上記第１のタイプのシステム情報を更新する段階
を含む、
項目１３に記載の方法。
［項目１６］
上記端末デバイスによって、（ｉ＋１）番目の第１の周期に上記第１のタイプのシステム情報を更新する上記段階は、
上記端末デバイスによって、上記（ｉ＋１）番目の第１の周期の開始時におけるスーパーフレームのフレーム番号を決定し、上記端末デバイスによって、上記決定されたフレーム番号に基づいて、上記スーパーフレームにおける上記第１のタイプのシステム情報を更新する段階、又は、
上記端末デバイスによって、上記（ｉ＋１）番目の第１の周期の開始時における無線フレームのフレーム番号を決定し、上記端末デバイスによって、上記決定されたフレーム番号に基づいて、上記無線フレームにおける上記第１のタイプのシステム情報を更新する段階
を含む、
項目１３から１５のいずれか１項に記載の方法。
［項目１７］
上記端末デバイスによって上記ｉ番目の第１の周期に、上記第１の変更指示を保持する、上記ネットワークデバイスによって送信されたページングメッセージを受信する上記段階の後で、
上記第１の変更指示が、上記次の第１の周期に送信される上記第１のタイプのシステム情報が変更される対象であることを示すために用いられる場合、又は、上記第１の変更指示が、上記次のＭＰに送信されるいずれかのシステム情報が変更される対象であることを示すために用いられる場合に、上記端末デバイスによって、上記（ｉ＋１）番目の第１の周期に上記第２のタイプのシステム情報を更新する段階であって、上記第２のタイプのシステム情報は、上記第１のタイプのシステム情報以外のシステム情報を含む、段階、又は、
上記第１の変更指示が、上記次の第１の周期に送信される上記第１のタイプのシステム情報が変更される対象であることを示すために用いられる場合、又は、上記第１の変更指示が、上記次のＭＰに送信されるいずれかのシステム情報が変更される対象であることを示すために用いられる場合に、上記端末デバイスによって、上記次のＭＰに上記第２のタイプのシステム情報を更新する段階であって、上記第２のタイプのシステム情報は、上記第１のタイプのシステム情報以外のシステム情報を含む、段階
をさらに備える、
項目１３から１６のいずれか１項に記載の方法。
［項目１８］
上記端末デバイスによって、第２のタイプのシステム情報を更新する上記段階の前に、
上記端末デバイスによって、上記ページングメッセージが第２の変更指示をさらに保持すると決定する段階であって、上記第２の変更指示は、上記次のＭＰ又は上記次の第１の周期に送信される上記第２のタイプのシステム情報が変更される対象であることを示すために用いられる、段階
をさらに備える、
項目１７に記載の方法。
［項目１９］
上記ＤＲＸサイクルが上記第１の周期より長い場合に、
端末デバイスによってｉ番目の第１の周期に、ネットワークデバイスによって送信された第１のメッセージを受信する上記段階の前に、上記方法は、
上記端末デバイスによって、上記ｉ番目の第１の周期の開始時におけるスーパーフレームのフレーム番号を決定する段階
をさらに備え、
端末デバイスによってｉ番目の第１の周期に、ネットワークデバイスによって送信された第１のメッセージを受信する上記段階は、
上記端末デバイスによって、上記フレーム番号に基づいて、上記ネットワークデバイスによって上記スーパーフレームにおいて送信される第１のシステムメッセージの位置を決定し、上記位置において、上記第１の変更指示を保持する上記第１のシステムメッセージを読み出す段階
を含む、
項目１２に記載の方法。
［項目２０］
上記ＤＲＸサイクルが上記第１の周期より長い場合に、
端末デバイスによってｉ番目の第１の周期に、ネットワークデバイスによって送信された第１のメッセージを受信する上記段階の前に、上記方法は、
上記端末デバイスによって、上記ｉ番目の第１の周期の開始時における無線フレームのフレーム番号を決定する段階
をさらに備え、
端末デバイスによってｉ番目の第１の周期に、ネットワークデバイスによって送信された第１のメッセージを受信する上記段階は、
上記端末デバイスによって、上記フレーム番号に基づいて、上記ネットワークデバイスによって上記無線フレームにおいて送信される第１のシステムメッセージの位置を決定し、上記位置において、上記第１の変更指示を保持する上記第１のシステムメッセージを読み出す段階
を含む、
項目１２に記載の方法。
［項目２１］
上記方法は、
上記第１の変更指示が、上記ネットワークデバイスによって現在送信されている上記第１のシステムメッセージ以外のシステム情報が上記端末デバイスに格納された上記第１のシステムメッセージ以外のシステム情報に対して変更されたことを示すために用いられる場合、又は、上記第１の変更指示が、上記ネットワークデバイスによって現在送信されている上記第１のシステムメッセージ以外の第２のタイプのシステム情報が上記端末デバイスに格納された上記第１のシステムメッセージ以外の第２のタイプのシステム情報に対して変更されたことを示すために用いられる場合に、上記端末デバイスによって、上記第１のタイプのシステム情報が変更されたか否かを検出する段階であって、上記システム情報は、上記第１のタイプのシステム情報及び上記第２のタイプのシステム情報を含み、上記第２のタイプのシステム情報は、上記第１のタイプのシステム情報以外のシステム情報を含む、段階と、
上記第１のタイプのシステム情報が変更された場合に、上記端末デバイスによって、上記第１のタイプのシステム情報を更新する段階と、
をさらに備える、
項目１９又は２０に記載の方法。
［項目２２］
上記方法は、
上記第１の変更指示が、上記ネットワークデバイスによって現在送信されている上記第１のシステムメッセージ以外のシステム情報が上記端末デバイスに格納された上記第１のシステムメッセージ以外のシステム情報に対して変更されたことを示すために用いられる場合、又は、上記第１の変更指示が、上記ネットワークデバイスによって現在送信されている上記第１のシステムメッセージ以外の第２のタイプのシステム情報が上記端末デバイスに格納された上記第１のシステムメッセージ以外の第２のタイプのシステム情報に対して変更されたことを示すために用いられる場合に、上記端末デバイスによって、上記第１のシステムメッセージ以外の第２のタイプのシステム情報が変更されたか否かを検出する段階と、
上記第１のシステムメッセージ以外の上記第２のタイプのシステム情報が変更された場合に、上記端末デバイスによって、上記第１のシステムメッセージ以外の上記第２のタイプのシステム情報を更新する段階と、
をさらに備える、
項目２１に記載の方法。
［項目２３］
上記方法は、
上記端末デバイスによって、上記第１のシステムメッセージが第２の変更指示をさらに保持すると決定する段階と、
上記第２の変更指示が、上記ネットワークデバイスによって現在送信されている第１のタイプのシステム情報が上記ネットワークデバイスによって前の第１の周期に送信された第１のタイプのシステム情報に対して変更されたことを示すために用いられる場合に、上記端末デバイスによって、上記第１のタイプのシステム情報が変更されたか否かを検出する段階と、
上記第１のタイプのシステム情報が変更された場合に、上記端末デバイスによって、上記第１のタイプのシステム情報を更新する段階と、
をさらに備える、
項目１９又は２０に記載の方法。
［項目２４］
上記方法は、
上記第１の変更指示が、上記ネットワークデバイスによって現在送信されている上記第１のシステムメッセージ以外のシステム情報が上記端末デバイスに格納された上記第１のシステムメッセージ以外のシステム情報に対して変更されたことを示すために用いられる場合、又は、上記第１の変更指示が、上記ネットワークデバイスによって現在送信されている上記第１のシステムメッセージ以外の第２のタイプのシステム情報が上記端末デバイスに格納された上記第１のシステムメッセージ以外の第２のタイプのシステム情報に対して変更されたことを示すために用いられる場合に、上記端末デバイスによって、第１のシステムメッセージ以外の第２のタイプのシステム情報が変更されたか否かを検出する段階と、
上記第１のシステムメッセージ以外の上記第２のタイプのシステム情報が変更された場合に、上記端末デバイスによって、上記第１のシステムメッセージ以外の上記第２のタイプのシステム情報を更新する段階と、
をさらに備える、
項目２３に記載の方法。
［項目２５］
上記方法は、
上記ネットワークデバイスとの無線リソース制御ＲＲＣ接続を確立する前に、上記端末デバイスによって、上記ネットワークデバイスによって送信された上記第１のシステムメッセージを読み出す段階と、
上記第１のシステムメッセージに保持された上記第１の変更指示が、上記ネットワークデバイスによって現在送信されている上記第１のシステムメッセージ以外のシステム情報が上記端末デバイスに格納された上記第１のシステムメッセージ以外の上記システム情報に対して変更されたことを示すために用いられる場合に、上記端末デバイスによって、上記第１のシステムメッセージ以外の上記システム情報を更新する段階であって、上記システム情報は、上記第１のタイプのシステム情報及び上記第２のタイプのシステム情報を含み、上記第２のタイプのシステム情報は、上記第１のタイプのシステム情報以外のシステム情報を含む、段階と、
をさらに備える、
項目１１から２４のいずれか１項に記載の方法。
［項目２６］
上記方法は、
上記端末デバイスによって、上記更新されたシステム情報に基づいて、上記ネットワークデバイスとの上記ＲＲＣ接続を確立する段階
をさらに備える、
項目２５に記載の方法。
［項目２７］
上記方法は、
上記ネットワークデバイスとのＲＲＣ接続を確立する前に、上記端末デバイスによって、上記ネットワークデバイスによって送信された上記第１のシステムメッセージを読み出す段階と、
上記第１のシステムメッセージに保持された上記第１の変更指示が、上記ネットワークデバイスによって現在送信されている上記第１のシステムメッセージ以外の上記第２のタイプのシステム情報が上記端末デバイスに格納された上記第１のシステムメッセージ以外の上記第２のタイプのシステム情報に対して変更されたことを示すために用いられる場合に、上記端末デバイスによって、上記第１のシステムメッセージ以外の上記第２のタイプのシステム情報を更新する段階であって、上記システム情報は、上記第１のタイプのシステム情報及び上記第２のタイプのシステム情報を含み、上記第２のタイプのシステム情報は、上記第１のタイプのシステム情報以外のシステム情報を含む、段階と、
をさらに備える、
項目１１から２４のいずれか１項に記載の方法。
［項目２８］
上記方法は、
上記端末デバイスによって、上記第１のシステムメッセージが上記第２の変更指示をさらに保持すると決定する段階と、
上記第２の変更指示が、上記ネットワークデバイスによって現在送信されている上記第１のタイプのシステム情報が上記ネットワークデバイスによって上記前の第１の周期に送信された上記第１のタイプのシステム情報に対して変更されたことを示すために用いられる場合に、上記端末デバイスによって、上記第１のタイプのシステム情報を更新する段階と、
をさらに備える、
項目２７に記載の方法。
［項目２９］
上記方法は、
上記端末デバイスによって、上記更新されたシステム情報に基づいて、上記ネットワークデバイスとの上記ＲＲＣ接続を確立する段階
をさらに備える、
項目２８に記載の方法。
［項目３０］
システム情報送信方法であって、
ネットワークデバイスによって、変更周期ＭＰに基づいて、第１のタイプのシステム情報を端末デバイスに送信する段階であって、上記ネットワークデバイスによって送信される上記第１のタイプのシステム情報の内容は、予め定められた期間変更されないままである、段階
を備える方法。
［項目３１］
ネットワークデバイスであって、
第１の周期に基づいて、第１のタイプのシステム情報を端末デバイスに送信するように構成される送信ユニットであって、上記ネットワークデバイスによって送信される上記第１のタイプのシステム情報の内容は、１つの第１の周期において変更されないままであり、上記第１の周期は、上記端末デバイスに対して構成可能な最大不連続受信ＤＲＸサイクルである、又は、上記第１の周期は、上記ネットワークデバイスによって上記第１のタイプのシステム情報に対して設定される変更周期である、送信ユニット
を備えるネットワークデバイス。
［項目３２］
上記送信ユニットは、さらに、
ｉ番目の第１の周期にページングメッセージを上記端末デバイスに送信することであって、上記端末デバイスのＤＲＸサイクルは、上記第１の周期より短い又はこれと等しく、上記ページングメッセージは、第１の変更指示を保持し、上記第１の変更指示は、次の第１の周期に送信される第１のタイプのシステム情報が変更される対象であるか否かを示すために用いられる、又は、上記第１の変更指示は、次の変更周期ＭＰに送信されるいずれかのシステム情報が変更される対象であるか否かを示すために用いられ、ｉは、正の整数である、送信すること
を実行するように構成される、
項目３１に記載のネットワークデバイス。
［項目３３］
上記ページングメッセージは、第２の変更指示をさらに保持し、上記第２の変更指示は、上記次のＭＰ又は上記次の第１の周期に送信される第２のタイプのシステム情報が変更される対象であるか否かを示すために用いられ、上記第２のタイプのシステム情報は、上記第１のタイプのシステム情報以外のシステム情報を含む、
項目３２に記載のネットワークデバイス。
［項目３４］
上記送信ユニットは、さらに、
ｉ番目の第１の周期にページングメッセージを上記端末デバイスに送信することであって、上記端末デバイスのＤＲＸサイクルは、上記ＭＰより短い又はこれと等しく、上記第１の周期より短い又はこれと等しく、上記ページングメッセージは、第１の変更指示を保持し、上記第１の変更指示は、次の第１の周期に送信される第１のタイプのシステム情報が変更される対象であるか否かを示すために用いられる、又は、上記第１の変更指示は、次の変更周期ＭＰに送信されるいずれかのシステム情報が変更される対象であるか否かを示すために用いられ、ｉは、正の整数である、送信すること
を実行するように構成される、
項目３２に記載のネットワークデバイス。
［項目３５］
上記送信ユニットは、さらに、
ｉ番目の第１の周期にページングメッセージを上記端末デバイスに送信することであって、上記端末デバイスのＤＲＸサイクルは、上記ＭＰより長く、上記第１の周期より短い又はこれと等しく、上記ページングメッセージは、第１の変更指示を保持し、上記第１の変更指示は、次の第１の周期に送信される第１のタイプのシステム情報が変更される対象であるか否かを示すために用いられ、ｉは、正の整数である、送信すること
を実行するように構成される、
項目３２に記載のネットワークデバイス。
［項目３６］
上記ページングメッセージは、第２の変更指示をさらに保持し、上記第２の変更指示は、次のＭＰ又は上記次の第１の周期に送信される第２のタイプのシステム情報が変更される対象であるか否かを示すために用いられ、上記第２のタイプのシステム情報は、上記第１のタイプのシステム情報以外のシステム情報を含む、
項目３５に記載のネットワークデバイス。
［項目３７］
上記送信ユニットは、さらに、
ｉ番目の第１の周期に第１のシステムメッセージを送信することであって、上記第１のシステムメッセージは、第１の変更指示を保持する、送信すること
を実行するように構成され、
上記第１の変更指示は、上記ネットワークデバイスによって現在送信されている上記第１のシステムメッセージ以外のシステム情報が、上記端末デバイスに格納された上記第１のシステムメッセージ以外のシステム情報に対して変更されたか否かを示すために用いられる、又は、上記第１の変更指示は、上記ネットワークデバイスによって現在送信されている上記第１のシステムメッセージ以外の第２のタイプのシステム情報が、上記端末デバイスに格納された上記第１のシステムメッセージ以外の第２のタイプのシステム情報に対して変更されたか否かを示すために用いられ、
上記第２のタイプのシステム情報は、上記第１のタイプのシステム情報以外のシステム情報を含み、ｉは、正の整数である、
項目３１に記載のネットワークデバイス。
［項目３８］
上記第１のシステムメッセージは、第２の変更指示をさらに保持し、上記第２の変更指示は、上記ネットワークデバイスによって現在送信されている上記第１のタイプのシステム情報が、上記ネットワークデバイスによって前の第１の周期に送信された第１のタイプのシステム情報に対して変更されたか否かを示すために用いられる、
項目３７に記載のネットワークデバイス。
［項目３９］
上記第１のタイプのシステム情報は、ページング構成情報を含む、項目３１から３８のいずれか１項に記載のネットワークデバイス。
［項目４０］
上記ページング構成情報は、ページング制御チャネルＰＣＣＨ構成情報、上記ページングメッセージが位置する時間周波数リソースについての情報、上記ページングメッセージが上記端末デバイスに反復送信される回数、ページングウィンドウのウィンドウ長、上記ページングウィンドウにおける短ＤＲＸサイクル、及び上記第１のタイプのシステム情報に対して再設定された変更周期の少なくとも１つを含む、
項目３９に記載のネットワークデバイス。
［項目４１］
ｉ番目の第１の周期に、ネットワークデバイスによって送信された第１のメッセージを受信するように構成される受信ユニットであって、上記第１のメッセージは、第１の変更指示を保持し、上記第１の周期は、上記ネットワークデバイスによって第１のタイプのシステム情報に対して設定される変更周期であり、ｉは、正の整数である、受信ユニットと、
上記第１の変更指示に基づいて、上記第１のタイプのシステム情報を更新するか否かを決定するように構成される処理ユニットと、
を備え、
上記第１の変更指示は、上記第１のタイプのシステム情報の変更ステータス又はいずれかのシステム情報の変更ステータスを示すために用いられる、
端末デバイス。
［項目４２］
上記処理ユニットは、さらに、
上記端末デバイスに対して構成されるＤＲＸサイクルが第２のタイプのシステム情報のＭＰより長く、上記ＤＲＸサイクルが上記第１の周期より長いと決定する、又は、
上記端末デバイスに対して構成されるＤＲＸサイクルが上記第１の周期より短い又はこれと等しいと決定する
ように構成される、
項目４１に記載の端末デバイス。
［項目４３］
上記ＤＲＸサイクルが上記第１の周期より短い又はこれと等しい場合に、
上記受信ユニットは、
上記ｉ番目の第１の周期に、上記第１の変更指示を保持する、上記ネットワークデバイスによって送信されたページングメッセージを受信する
ように構成され、
上記処理ユニットは、
上記第１の変更指示が、次の第１の周期に送信される第１のタイプのシステム情報が変更される対象であることを示すために用いられる場合に、（ｉ＋１）番目の第１の周期に上記第１のタイプのシステム情報を更新する、又は、
上記第１の変更指示が、次のＭＰに送信されるいずれかのシステム情報が変更される対象であることを示すために用いられる場合に、上記次のＭＰ又は（ｉ＋１）番目の第１の周期に上記第１のタイプのシステム情報を更新する
ように構成される、
項目４２に記載の端末デバイス。
［項目４４］
上記ＤＲＸサイクルが上記第１の周期より短い又はこれと等しく、上記ＭＰより短い又はこれと等しい場合に、
上記受信ユニットは、
上記ｉ番目の第１の周期に、上記第１の変更指示を保持する、上記ネットワークデバイスによって送信されたページングメッセージを受信する
ように構成され、
上記処理ユニットは、
上記第１の変更指示が、次の第１の周期に送信される第１のタイプのシステム情報が変更される対象であることを示すために用いられる場合に、（ｉ＋１）番目の第１の周期に上記第１のタイプのシステム情報を更新する、又は、
上記第１の変更指示が、次のＭＰに送信されるいずれかのシステム情報が変更される対象であることを示すために用いられる場合に、上記次のＭＰ又は（ｉ＋１）番目の第１の周期に上記第１のタイプのシステム情報を更新する
ように構成される、
項目４３に記載の端末デバイス。
［項目４５］
上記ＤＲＸサイクルが上記第１の周期より短い又はこれと等しく、上記ＭＰより長い場合に、
上記受信ユニットは、
上記ｉ番目の第１の周期に、上記第１の変更指示を保持する、上記ネットワークデバイスによって送信されたページングメッセージを受信する
ように構成され、
上記処理ユニットは、
上記第１の変更指示が、次の第１の周期に送信される第１のタイプのシステム情報が変更される対象であることを示すために用いられる場合に、（ｉ＋１）番目の第１の周期に上記第１のタイプのシステム情報を更新する、又は、
上記第１の変更指示が、次のＭＰに送信されるいずれかのシステム情報が変更される対象であることを示すために用いられる場合に、上記次のＭＰ又は（ｉ＋１）番目の第１の周期に上記第１のタイプのシステム情報を更新する
ように構成される、
項目４３に記載の端末デバイス。
［項目４６］
上記処理ユニットは、
上記（ｉ＋１）番目の第１の周期の開始時におけるスーパーフレームのフレーム番号を決定し、上記決定されたフレーム番号に基づいて、上記スーパーフレームにおける上記第１のタイプのシステム情報を更新する、又は、
上記（ｉ＋１）番目の第１の周期の開始時における無線フレームのフレーム番号を決定し、上記決定されたフレーム番号に基づいて、上記無線フレームにおける上記第１のタイプのシステム情報を更新する
ように構成される、
項目４３から４５のいずれか１項に記載の端末デバイス。
［項目４７］
上記処理ユニットは、さらに、
上記受信ユニットが、上記ｉ番目の第１の周期に、上記第１の変更指示を保持する、上記ネットワークデバイスによって送信された上記ページングメッセージを受信した後で、上記第１の変更指示が、上記次の第１の周期に送信される上記第１のタイプのシステム情報が変更される対象であることを示すために用いられる場合、又は、上記第１の変更指示が、上記次のＭＰに送信されるいずれかのシステム情報が変更される対象であることを示すために用いられる場合に、上記（ｉ＋１）番目の第１の周期に上記第２のタイプのシステム情報を更新することであって、上記第２のタイプのシステム情報は、上記第１のタイプのシステム情報以外のシステム情報を含む、更新すること、又は、
上記受信ユニットが、上記ｉ番目の第１の周期に、上記第１の変更指示を保持する、上記ネットワークデバイスによって送信された上記ページングメッセージを受信した後で、上記第１の変更指示が、上記次の第１の周期に送信される上記第１のタイプのシステム情報が変更される対象であることを示すために用いられる場合、又は、上記第１の変更指示が、上記次のＭＰに送信されるいずれかのシステム情報が変更される対象であることを示すために用いられる場合に、上記次のＭＰに上記第２のタイプのシステム情報を更新することであって、上記第２のタイプのシステム情報は、上記第１のタイプのシステム情報以外のシステム情報を含む、更新すること
を実行するように構成される、
項目４３から４６のいずれか１項に記載の端末デバイス。
［項目４８］
上記処理ユニットは、さらに、
上記第２のタイプのシステム情報を更新する前に、上記ページングメッセージが第２の変更指示をさらに保持すると決定することであって、上記第２の変更指示は、上記次のＭＰ又は上記次の第１の周期に送信される上記第２のタイプのシステム情報が変更される対象であることを示すために用いられる、決定すること
を実行するように構成される、
項目４７に記載の端末デバイス。
［項目４９］
上記ＤＲＸサイクルが上記第１の周期より長い場合に、
上記処理ユニットは、さらに、上記受信ユニットが、上記ｉ番目の第１の周期に、上記ネットワークデバイスによって送信された上記第１のメッセージを受信する前に、上記ｉ番目の第１の周期の開始時におけるスーパーフレームのフレーム番号を決定し、上記フレーム番号に基づいて、上記ネットワークデバイスによって上記スーパーフレームにおいて送信される第１のシステムメッセージの位置を決定する
ように構成され、
上記受信ユニットは、上記位置において、上記第１の変更指示を保持する上記第１のシステムメッセージを読み出すように構成される、
項目４２に記載の端末デバイス。
［項目５０］
上記ＤＲＸサイクルが上記第１の周期より長い場合に、
上記処理ユニットは、さらに、上記受信ユニットが、上記ｉ番目の第１の周期に、上記ネットワークデバイスによって送信された上記第１のメッセージを受信する前に、上記ｉ番目の第１の周期の開始時における無線フレームのフレーム番号を決定し、上記フレーム番号に基づいて、上記ネットワークデバイスによって上記無線フレームにおいて送信される第１のシステムメッセージの位置を決定する
ように構成され、
上記受信ユニットは、上記位置において、上記第１の変更指示を保持する上記第１のシステムメッセージを読み出すように構成される、
項目４２に記載の端末デバイス。
［項目５１］
上記処理ユニットは、さらに、
上記第１の変更指示が、上記ネットワークデバイスによって現在送信されている上記第１のシステムメッセージ以外のシステム情報が上記端末デバイスに格納された上記第１のシステムメッセージ以外のシステム情報に対して変更されたことを示すために用いられる場合、又は、上記第１の変更指示が、上記ネットワークデバイスによって現在送信されている上記第１のシステムメッセージ以外の第２のタイプのシステム情報が上記端末デバイスに格納された上記第１のシステムメッセージ以外の第２のタイプのシステム情報に対して変更されたことを示すために用いられる場合に、上記第１のタイプのシステム情報が変更されたか否かを検出することであって、上記システム情報は、上記第１のタイプのシステム情報及び上記第２のタイプのシステム情報を含み、上記第２のタイプのシステム情報は、上記第１のタイプのシステム情報以外のシステム情報を含む、検出することと、
上記第１のタイプのシステム情報が変更された場合に、上記第１のタイプのシステム情報を更新することと、
を実行するように構成される、
項目４９又は５０に記載の端末デバイス。
［項目５２］
上記処理ユニットは、さらに、
上記第１の変更指示が、上記ネットワークデバイスによって現在送信されている上記第１のシステムメッセージ以外のシステム情報が上記端末デバイスに格納された上記第１のシステムメッセージ以外のシステム情報に対して変更されたことを示すために用いられる場合、又は、上記第１の変更指示が、上記ネットワークデバイスによって現在送信されている上記第１のシステムメッセージ以外の第２のタイプのシステム情報が上記端末デバイスに格納された上記第１のシステムメッセージ以外の第２のタイプのシステム情報に対して変更されたことを示すために用いられる場合に、上記第１のシステムメッセージ以外の第２のタイプのシステム情報が変更されたか否かを検出することと、
上記第１のシステムメッセージ以外の上記第２のタイプのシステム情報が変更された場合に、上記第１のシステムメッセージ以外の上記第２のタイプのシステム情報を更新することと、
を実行するように構成される、
項目５１に記載の端末デバイス。
［項目５３］
上記処理ユニットは、さらに、
上記第１のシステムメッセージが第２の変更指示をさらに保持すると決定することと、
上記第２の変更指示が、上記ネットワークデバイスによって現在送信されている第１のタイプのシステム情報が上記ネットワークデバイスによって前の第１の周期に送信された第１のタイプのシステム情報に対して変更されたことを示すために用いられる場合に、上記第１のタイプのシステム情報が変更されたか否かを検出することと、
上記第１のタイプのシステム情報が変更された場合に、上記第１のタイプのシステム情報を更新することと、
を実行するように構成される、
項目４９又は５０に記載の端末デバイス。
［項目５４］
上記処理ユニットは、さらに、
上記第１の変更指示が、上記ネットワークデバイスによって現在送信されている上記第１のシステムメッセージ以外のシステム情報が上記端末デバイスに格納された上記第１のシステムメッセージ以外のシステム情報に対して変更されたことを示すために用いられる場合、又は、上記第１の変更指示が、上記ネットワークデバイスによって現在送信されている上記第１のシステムメッセージ以外の第２のタイプのシステム情報が上記端末デバイスに格納された上記第１のシステムメッセージ以外の第２のタイプのシステム情報に対して変更されたことを示すために用いられる場合に、上記第１のシステムメッセージ以外の第２のタイプのシステム情報が変更されたか否かを検出することと、
上記第１のシステムメッセージ以外の上記第２のタイプのシステム情報が変更された場合に、上記第１のシステムメッセージ以外の上記第２のタイプのシステム情報を更新することと、
を実行するように構成される、
項目５３に記載の端末デバイス。
［項目５５］
上記受信ユニットは、さらに、
上記ネットワークデバイスとの無線リソース制御ＲＲＣ接続を確立する前に、上記ネットワークデバイスによって送信された上記第１のシステムメッセージを読み出す
ように構成され、
上記処理ユニットは、さらに、
上記第１のシステムメッセージに保持された上記第１の変更指示が、上記ネットワークデバイスによって現在送信されている上記第１のシステムメッセージ以外のシステム情報が上記端末デバイスに格納された上記第１のシステムメッセージ以外の上記システム情報に対して変更されたことを示すために用いられる場合に、上記第１のシステムメッセージ以外の上記システム情報を更新することであって、上記システム情報は、上記第１のタイプのシステム情報及び上記第２のタイプのシステム情報を含み、上記第２のタイプのシステム情報は、上記第１のタイプのシステム情報以外のシステム情報を含む、更新すること、
を実行するように構成される、
項目４１から５４のいずれか１項に記載の端末デバイス。
［項目５６］
上記処理ユニットは、さらに、
上記更新されたシステム情報に基づいて、上記ネットワークデバイスとの上記ＲＲＣ接続を確立する
ように構成される、
項目５５に記載の端末デバイス。
［項目５７］
上記受信ユニットは、さらに、
上記ネットワークデバイスとのＲＲＣ接続を確立する前に、上記ネットワークデバイスによって送信された上記第１のシステムメッセージを読み出す
ように構成され、
上記処理ユニットは、さらに、
上記第１のシステムメッセージに保持された上記第１の変更指示が、上記ネットワークデバイスによって現在送信されている上記第１のシステムメッセージ以外の上記第２のタイプのシステム情報が上記端末デバイスに格納された上記第１のシステムメッセージ以外の上記第２のタイプのシステム情報に対して変更されたことを示すために用いられる場合に、上記第１のシステムメッセージ以外の上記第２のタイプのシステム情報を更新することであって、上記システム情報は、上記第１のタイプのシステム情報及び上記第２のタイプのシステム情報を含み、上記第２のタイプのシステム情報は、上記第１のタイプのシステム情報以外のシステム情報を含む、更新すること
を実行するように構成される、
項目４１から５４のいずれか１項に記載の端末デバイス。
［項目５８］
上記処理ユニットは、さらに、
上記第１のシステムメッセージが上記第２の変更指示をさらに保持すると決定することと、
上記第２の変更指示が、上記ネットワークデバイスによって現在送信されている第１のタイプのシステム情報が上記ネットワークデバイスによって上記前の第１の周期に送信された上記第１のタイプのシステム情報に対して変更されたことを示すために用いられる場合に、上記第１のタイプのシステム情報を更新することと、
を実行するように構成される、
項目５７に記載の端末デバイス。
［項目５９］
上記処理ユニットは、さらに、
上記更新されたシステム情報に基づいて、上記ネットワークデバイスとの上記ＲＲＣ接続を確立する
ように構成される、
項目５８に記載の端末デバイス。
［項目６０］
変更周期ＭＰに基づいて、第１のタイプのシステム情報を端末デバイスに送信するように構成される送信ユニットであって、上記ネットワークデバイスによって送信される上記第１のタイプのシステム情報の内容は、予め定められた期間変更されないままである、送信ユニット
を備える、ネットワークデバイス。
【国際調査報告】
2019501596.tif 000013
2019501596.tif 000014
2019501596.tif 000015
2019501596.tif 000016